(57)【要約】  本出願は、ＲＭＳＩ通信方法及び関連装置を提供する。該通信方法は、端末デバイスにより、オフセット情報、端末デバイスに対応するＲＭＳＩ検出ウィンドウの時間インデックス、及び端末デバイスに対応するＲＭＳＩ検出ウィンドウの持続時間に基づいて、端末デバイスに対応するＲＭＳＩ検出ウィンドウの位置を決定するステップであり、オフセット情報は、ＲＭＳＩ検出期間内のＲＭＳＩ検出ウィンドウの参照位置とＲＭＳＩ検出期間内の第１のＲＭＳＩ検出ウィンドウとの間のオフセットに基づいて、及びＲＭＳＩ検出期間内のＲＭＳＩ検出ウィンドウの参照位置に基づいて決定される、ステップと、端末デバイスにより、ＲＭＳＩ検出ウィンドウの位置に基づいてＲＭＳＩを受信するステップとを含む。本出願で提供されるＲＭＳＩ通信方法及び関連装置は、ＲＭＳＩを伝送するために使用できる。
2021503817.tif 000002
【特許請求の範囲】
【請求項１】
残存最小システム情報ＲＭＳＩ通信方法であって、
端末デバイスにより、オフセット情報、前記端末デバイスに対応するＲＭＳＩ検出ウィンドウの時間インデックス、及び前記端末デバイスに対応する前記ＲＭＳＩ検出ウィンドウの持続時間に基づいて、前記端末デバイスに対応する前記ＲＭＳＩ検出ウィンドウの位置を決定するステップであり、前記オフセット情報は、ＲＭＳＩ検出期間内の前記ＲＭＳＩ検出ウィンドウ検出ウィンドウの参照位置と前記ＲＭＳＩ検出期間内の第１のＲＭＳＩ検出ウィンドウとの間のオフセット、及び前記ＲＭＳＩ検出期間内の前記ＲＭＳＩ検出ウィンドウ検出ウィンドウの前記参照位置に基づいて決定される、ステップと、
前記端末デバイスにより、前記ＲＭＳＩ検出ウィンドウの前記位置に基づいてＲＭＳＩを受信するステップと、
を含む通信方法。
【請求項２】
前記第１のＲＭＳＩ検出ウィンドウは、時間インデックスが０である同期信号ＳＳ／物理報知チャネルＰＢＣＨブロックに対応するＲＭＳＩ検出ウィンドウである、請求項１に記載の通信方法。
【請求項３】
前記ＲＭＳＩ検出期間内の前記検出ウィンドウの前記参照位置は、前記ＲＭＳＩ検出期間内の第１のシステムフレーム及び／又は前記第１のシステムフレームの時間情報に基づいて決定される、請求項２に記載の通信方法。
【請求項４】
前記第１のシステムフレームの前記時間情報は、前記第１のシステムフレームの第１のサブフレーム又は前記第１のシステムフレームの第１のスロットである、請求項３に記載の通信方法。
【請求項５】
前記ＲＭＳＩ検出期間内の検出ウィンドウセットの参照位置が、ＳＳ／ＰＢＣＨバーストセット内の時間インデックスが０であるＳＳ／ＰＢＣＨブロックの位置に基づいて決定される、請求項１に記載の通信方法。
【請求項６】
前記ＲＭＳＩ検出ウィンドウ検出ウィンドウの前記参照位置は、前記ＲＭＳＩ検出期間内の第１のＳＳ／ＰＢＣＨバーストセット内の第１のＳＳ／ＰＢＣＨブロックの位置に基づいて決定される、請求項１に記載の通信方法。
【請求項７】
ＳＳ／ＰＢＣＨブロックは、ＳＳ／ＰＢＣＨバーストセット内の候補ＳＳ／ＰＢＣＨブロックである、請求項１乃至６のうちいずれか１項に記載の通信方法。
【請求項８】
前記ＲＭＳＩ検出期間内の少なくとも２つの隣接するＲＭＳＩ検出ウィンドウが時間において連続する、請求項１乃至７のうちいずれか１項に記載の通信方法。
【請求項９】
前記ＲＭＳＩ検出期間内の少なくとも２つのＲＳＭＩ検出ウィンドウが同じ持続時間を有する、請求項１乃至８のうちいずれか１項に記載の通信方法。
【請求項１０】
前記ＲＭＳＩ検出ウィンドウのオフセットが半フレームで測定される、請求項１乃至９のうちいずれか１項に記載の通信方法。
【請求項１１】
残存最小システム情報ＲＭＳＩ通信方法であって、
ネットワークデバイスにより、オフセット情報、端末デバイスに対応するＲＭＳＩ検出ウィンドウの時間インデックス、及び前記端末デバイスに対応する前記ＲＭＳＩ検出ウィンドウの持続時間に基づいて、前記端末デバイスに対応する前記ＲＭＳＩ検出ウィンドウの位置を決定するステップであり、前記オフセット情報は、ＲＭＳＩ検出期間内の前記ＲＭＳＩ検出ウィンドウ検出ウィンドウの参照位置と前記ＲＭＳＩ検出期間内の第１のＲＭＳＩ検出ウィンドウとの間のオフセットに基づいて、及び前記ＲＭＳＩ検出期間内の前記ＲＭＳＩ検出ウィンドウ検出ウィンドウの前記参照位置に基づいて決定される、ステップと、
前記ネットワークデバイスにより、前記ＲＭＳＩ検出ウィンドウの前記位置に基づいてＲＭＳＩを送信するステップと、
を含む通信方法。
【請求項１２】
前記第１のＲＭＳＩ検出ウィンドウは、時間インデックスが０である同期信号ＳＳ／物理報知チャネルＰＢＣＨブロックに対応するＲＭＳＩ検出ウィンドウである、請求項１１に記載の通信方法。
【請求項１３】
前記ＲＭＳＩ検出期間内の前記検出ウィンドウの前記参照位置は、前記ＲＭＳＩ検出期間内の第１のシステムフレーム及び／又は前記第１のシステムフレームの時間情報に基づいて決定される、請求項１２に記載の通信方法。
【請求項１４】
前記第１のシステムフレームの前記時間情報は、前記第１のシステムフレームの第１のサブフレーム又は前記第１のシステムフレームの第１のスロットである、請求項１３に記載の通信方法。
【請求項１５】
前記ＲＭＳＩ検出期間内の検出ウィンドウセットの参照位置が、ＳＳ／ＰＢＣＨバーストセット内の時間インデックスが０であるＳＳ／ＰＢＣＨブロックの位置に基づいて決定される、請求項１１に記載の通信方法。
【請求項１６】
前記ＲＭＳＩ検出ウィンドウ検出ウィンドウの前記参照位置は、前記ＲＭＳＩ検出期間内の第１のＳＳ／ＰＢＣＨバーストセット内の第１のＳＳ／ＰＢＣＨブロックの位置に基づいて決定される、請求項１１に記載の通信方法。
【請求項１７】
ＳＳ／ＰＢＣＨブロックは、ＳＳ／ＰＢＣＨバーストセット内の候補ＳＳ／ＰＢＣＨブロックである、請求項１１乃至１６のうちいずれか１項に記載の通信方法。
【請求項１８】
前記ＲＭＳＩ検出ウィンドウ期間内の少なくとも２つの隣接するＲＭＳＩ検出ウィンドウが時間において連続する、請求項１１乃至１７のうちいずれか１項に記載の通信方法。
【請求項１９】
前記ＲＭＳＩ検出期間内の少なくとも２つのＲＳＭＩ検出ウィンドウが同じ持続時間を有する、請求項１１乃至１８のうちいずれか１項に記載の通信方法。
【請求項２０】
前記ＲＭＳＩ検出ウィンドウのオフセットが半フレームで測定される、請求項１１乃至１９のうちいずれか１項に記載の通信方法。
【請求項２１】
端末デバイスであって、
オフセット情報、当該端末デバイスに対応する残存最小システム情報ＲＭＳＩ検出ウィンドウの時間インデックス、及び当該端末デバイスに対応する前記ＲＭＳＩ検出ウィンドウの持続時間に基づいて、当該端末デバイスに対応する前記ＲＭＳＩ検出ウィンドウの位置を決定するように構成されたプロセッサであり、前記オフセット情報は、ＲＭＳＩ検出期間内の前記ＲＭＳＩ検出ウィンドウ検出ウィンドウの参照位置と前記ＲＭＳＩ検出期間内の第１のＲＭＳＩ検出ウィンドウとの間のオフセットに基づいて、及び前記ＲＭＳＩ検出期間内の前記ＲＭＳＩ検出ウィンドウ検出ウィンドウの前記参照位置に基づいて決定される、プロセッサと、
前記ＲＭＳＩ検出ウィンドウの前記位置に基づいてＲＭＳＩを受信するように構成された受信機と、
を含む端末デバイス。
【請求項２２】
前記第１のＲＭＳＩ検出ウィンドウは、時間インデックスが０である同期信号ＳＳ／物理報知チャネルＰＢＣＨブロックに対応するＲＭＳＩ検出ウィンドウである、請求項２１に記載の端末デバイス。
【請求項２３】
前記ＲＭＳＩ検出期間内の前記検出ウィンドウの前記参照位置は、前記ＲＭＳＩ検出期間内の第１のシステムフレーム及び／又は前記第１のシステムフレームの時間情報に基づいて決定される、請求項２２に記載の端末デバイス。
【請求項２４】
前記第１のシステムフレームの前記時間情報は、前記第１のシステムフレームの第１のサブフレーム又は前記第１のシステムフレームの第１のスロットである、請求項２３に記載の端末デバイス。
【請求項２５】
前記ＲＭＳＩ検出期間内の検出ウィンドウセットの参照位置が、ＳＳ／ＰＢＣＨバーストセット内の時間インデックスが０であるＳＳ／ＰＢＣＨブロックの位置に基づいて決定される、請求項２１に記載の端末デバイス。
【請求項２６】
前記ＲＭＳＩ検出ウィンドウ検出ウィンドウの前記参照位置は、前記ＲＭＳＩ検出期間内の第１のＳＳ／ＰＢＣＨバーストセット内の第１のＳＳ／ＰＢＣＨブロックの位置に基づいて決定される、請求項２１に記載の端末デバイス。
【請求項２７】
ＳＳ／ＰＢＣＨブロックは、ＳＳ／ＰＢＣＨバーストセット内の候補ＳＳ／ＰＢＣＨブロックである、請求項２１乃至２６のうちいずれか１項に記載の端末デバイス。
【請求項２８】
前記ＲＭＳＩ検出期間内の少なくとも２つの隣接するＲＭＳＩ検出ウィンドウが時間において連続する、請求項２１乃至２７のうちいずれか１項に記載の端末デバイス。
【請求項２９】
前記ＲＭＳＩ検出期間内の少なくとも２つのＲＳＭＩ検出ウィンドウが同じ持続時間を有する、請求項２１乃至２８のうちいずれか１項に記載の端末デバイス。
【請求項３０】
前記ＲＭＳＩ検出ウィンドウのオフセットが半フレームで測定される、請求項２１乃至２９のうちいずれか１項に記載の端末デバイス。
【請求項３１】
ネットワークデバイスであって、
オフセット情報、端末デバイスに対応する残存最小システム情報ＲＭＳＩ検出ウィンドウの時間インデックス、及び前記端末デバイスに対応する前記ＲＭＳＩ検出ウィンドウの持続時間に基づいて、前記端末デバイスに対応する前記ＲＭＳＩ検出ウィンドウの位置を決定するように構成されたプロセッサであり、前記オフセット情報は、ＲＭＳ検出期間内の前記ＲＭＳＩ検出ウィンドウ検出ウィンドウの参照位置と前記ＲＭＳＩ検出期間内の第１のＲＭＳＩ検出ウィンドウとの間のオフセットに基づいて、及び前記ＲＭＳＩ検出期間内の前記ＲＭＳＩ検出ウィンドウ検出ウィンドウの前記参照位置に基づいて決定される、プロセッサと、
前記ＲＭＳＩ検出ウィンドウの前記位置に基づいてＲＭＳＩを送信するように構成された送信機と、
を含むネットワークデバイス。
【請求項３２】
前記第１のＲＭＳＩ検出ウィンドウは、時間インデックスが０である同期信号ＳＳ／物理報知チャネルＰＢＣＨブロックに対応するＲＭＳＩ検出ウィンドウである、請求項３１に記載のネットワークデバイス。
【請求項３３】
前記ＲＭＳＩ検出期間内の前記検出ウィンドウの前記参照位置は、前記ＲＭＳＩ検出期間内の第１のシステムフレーム及び／又は前記第１のシステムフレームの時間情報に基づいて決定される、請求項３２に記載のネットワークデバイス。
【請求項３４】
前記第１のシステムフレームの前記時間情報は、前記第１のシステムフレームの第１のサブフレーム又は前記第１のシステムフレームの第１のスロットである、請求項３３に記載のネットワークデバイス。
【請求項３５】
前記ＲＭＳＩ検出期間内の検出ウィンドウセットの参照位置が、ＳＳ／ＰＢＣＨバーストセット内の時間インデックスが０であるＳＳ／ＰＢＣＨブロックの位置に基づいて決定される、請求項３１に記載のネットワークデバイス。
【請求項３６】
前記ＲＭＳＩ検出ウィンドウ検出ウィンドウの前記参照位置は、前記ＲＭＳＩ検出期間内の第１のＳＳ／ＰＢＣＨバーストセット内の第１のＳＳ／ＰＢＣＨブロックの位置に基づいて決定される、請求項３１に記載のネットワークデバイス。
【請求項３７】
ＳＳ／ＰＢＣＨブロックは、ＳＳ／ＰＢＣＨバーストセット内の候補ＳＳ／ＰＢＣＨブロックである、請求項３１乃至３６のうちいずれか１項に記載のネットワークデバイス。
【請求項３８】
前記ＲＭＳＩ検出期間内の少なくとも２つの隣接するＲＭＳＩ検出ウィンドウが時間において連続する、請求項３１乃至３７のうちいずれか１項に記載のネットワークデバイス。
【請求項３９】
前記ＲＭＳＩ検出期間内の少なくとも２つのＲＳＭＩ検出ウィンドウが同じ持続時間を有する、請求項３１乃至３８のうちいずれか１項に記載のネットワークデバイス。
【請求項４０】
前記ＲＭＳＩ検出ウィンドウのオフセットが半フレームで測定される、請求項３１乃至３９のうちいずれか１項に記載のネットワークデバイス。
【請求項４１】
コンピュータ読取可能記憶媒体であって、端末デバイスにより実行されるプログラムコードを記憶するように構成され、前記プログラムコードは請求項１乃至１０のうちいずれか１項に記載の通信方法を実行するために使用される命令を含む、コンピュータ読取可能記憶媒体。
【請求項４２】
コンピュータ読取可能記憶媒体であって、ネットワークデバイスにより実行されるプログラムコードを記憶するように構成され、前記プログラムコードは請求項１１乃至２０のうちいずれか１項に記載の通信方法を実行するために使用される命令を含む、コンピュータ読取可能記憶媒体。
【請求項４３】
データ通信方法であって、
第１の残存最小システム情報ＲＭＳＩ検出ウィンドウの開始位置、及び同期信号ＳＳ／物理報知チャネルＰＢＣＨブロックの時間インデックスに基づいて、端末デバイスに対応するＲＭＳＩ検出ウィンドウの開始位置を決定するステップであり、前記ＲＭＳＩ検出ウィンドウの前記開始位置の値は４つの値のうちの任意の１つである、ステップと、
前記ＲＭＳＩ検出ウィンドウの前記開始位置に基づいてＲＭＳＩを受信するステップと、
を含む通信方法。
【請求項４４】
前記第１のＲＭＳＩ検出ウィンドウの前記開始位置はスロットに基づき、前記スロットのインデックスは０〜６３のうち任意の値である、請求項４３に記載の通信方法。
【請求項４５】
前記第１のＲＭＳＩ検出ウィンドウの前記開始位置は、ＲＭＳＩ期間内の第１のフレームの０ｍｓ位置又は５ｍｓ位置である、請求項４３又は４４に記載の通信方法。
【請求項４６】
前記第１のＲＭＳＩ検出ウィンドウの前記開始位置は、半システムフレーム内の第１のスロットである、請求項４３乃至４５のうちいずれか１項に記載の通信方法。
【請求項４７】
前記ＳＳ／ＰＢＣＨブロック及び前記ＲＭＳＩが時分割多重方式で伝送されるとき、前記ＲＭＳＩの前記開始位置は、最後に実際に伝送され又は可能性として伝送されるＳＳ／ＰＢＣＨブロックの後である、請求項４３乃至４６のうちいずれか１項に記載の通信方法。
【請求項４８】
１つのスロット内に少なくとも２つのＲＭＳＩ制御情報が存在するとき、
第１のＲＭＳＩ制御情報は前記スロット内の第１のシンボルで送信され、第２のＲＭＳＩ制御情報は前記スロット内の第２のシンボルで送信され、あるいは、
第１のＲＭＳＩ制御情報は前記スロット内の第１のシンボルで送信され、第２のＲＭＳＩ制御情報は前記スロット内の第３のシンボルで送信され、あるいは、
第１のＲＭＳＩ制御情報は前記スロット内の第１のシンボルで送信され、第２のＲＭＳＩ制御情報は前記スロット内の第２のシンボル又は第３のシンボルで送信され、あるいは、
第１のＲＭＳＩ制御情報は前記スロット内の第１のシンボルで送信され、第２のＲＭＳＩ制御情報は前記スロット内の第７のシンボルで送信される、
請求項４３乃至４７のうちいずれか１項に記載の通信方法。
【請求項４９】
前記ＲＭＳＩは２つのフレームにおいて伝送される、請求項４３乃至４８のうちいずれか１項に記載の通信方法。
【請求項５０】
ＲＭＳＩ検出期間は２０ｍｓで固定され、ＳＳ／ＰＢＣＨバーストセットの期間と同じである、請求項４３乃至４９のうちいずれか１項に記載の通信方法。
【請求項５１】
前記第１のＲＭＳＩ検出ウィンドウの前記開始位置はサブキャリア間隔に関連する、請求項４３乃至５０のうちいずれか１項に記載の通信方法。
【請求項５２】
通信装置であって、
第１のＲＭＳＩ検出ウィンドウの開始位置、及び同期信号ＳＳ／物理報知チャネルＰＢＣＨブロックの時間インデックスに基づいて、当該通信装置に対応するＲＭＳＩ検出ウィンドウの開始位置を決定し、前記ＲＭＳＩ検出ウィンドウの前記開始位置の値は４つの値のうち任意の１つであり；前記ＲＭＳＩ検出ウィンドウの前記開始位置に基づいて、ＲＭＳＩを受信するようにトランシーバに指示する、ように構成されたプロセッサと、
前記プロセッサにより指示されたとおり前記ＲＭＳＩを受信するように構成された前記トランシーバと、
を含む通信装置。
【請求項５３】
前記第１のＲＭＳＩ検出ウィンドウの前記開始位置はスロットに基づき、前記スロットのインデックスは０〜６３のうち任意の値である、請求項５２に記載の通信装置。
【請求項５４】
前記第１のＲＭＳＩ検出ウィンドウの前記開始位置は、ＲＭＳＩ期間内の第１のフレームの０ｍｓ位置又は５ｍｓ位置である、請求項５２又は５３に記載の通信装置。
【請求項５５】
前記第１のＲＭＳＩ検出ウィンドウの前記開始位置は、半システムフレーム内の第１のスロットである、請求項５２乃至５４のうちいずれか１項に記載の通信装置。
【請求項５６】
前記ＳＳ／ＰＢＣＨブロック及び前記ＲＭＳＩが時分割多重方式で伝送されるとき、前記ＲＭＳＩの前記開始位置は、最後に実際に伝送され又は可能性として伝送されるＳＳ／ＰＢＣＨブロックの後である、請求項５２乃至５５のうちいずれか１項に記載の通信装置。
【請求項５７】
１つのスロット内に少なくとも２つのＲＭＳＩ制御情報が存在するとき、
第１のＲＭＳＩ制御情報は前記スロット内の第１のシンボルで送信され、第２のＲＭＳＩ制御情報は前記スロット内の第２のシンボルで送信され、あるいは、
第１のＲＭＳＩ制御情報は前記スロット内の第１のシンボルで送信され、第２のＲＭＳＩ制御情報は前記スロット内の第３のシンボルで送信され、あるいは、
第１のＲＭＳＩ制御情報は前記スロット内の第１のシンボルで送信され、第２のＲＭＳＩ制御情報は前記スロット内の第２のシンボル又は第３のシンボルで送信され、あるいは、
第１のＲＭＳＩ制御情報は前記スロット内の第１のシンボルで送信され、第２のＲＭＳＩ制御情報は前記スロット内の第７のシンボルで送信される、
請求項５２乃至５６のうちいずれか１項に記載の通信装置。
【請求項５８】
前記ＲＭＳＩは２つのフレームにおいて伝送される、請求項５２乃至５７のうちいずれか１項に記載の通信装置。
【請求項５９】
ＲＭＳＩ検出期間は２０ｍｓで固定され、ＳＳ／ＰＢＣＨバーストセットの期間と同じである、請求項５２乃至５８のうちいずれか１項に記載の通信装置。
【請求項６０】
前記第１のＲＭＳＩ検出ウィンドウの前記開始位置はサブキャリア間隔に関連する、請求項５２乃至５９のうちいずれか１項に記載の通信装置。
【請求項６１】
コンピュータ読取可能記憶媒体であって、命令を記憶し、前記命令がコンピュータ上で実行されたとき前記コンピュータは請求項４３乃至５１のうちいずれか１項に記載の方法を実行可能にされる、コンピュータ読取可能記憶媒体。
【請求項６２】
チップであって、
コンピュータプログラムを記憶するように構成されたメモリと、
前記メモリに記憶された前記コンピュータプログラムを読み出し、実行するように構成されたプロセッサであり、前記コンピュータプログラムが実行されたとき前記プロセッサは請求項４３乃至５１のうちいずれか１項に記載の方法を実行する、プロセッサと、
を含むチップ。
【請求項６３】
コンピュータプログラムプロダクトであって、当該コンピュータプログラムプロダクトがコンピュータ上で実行されたとき前記コンピュータは請求項４３乃至５１のうちいずれか１項に記載の方法を実行可能にされる、コンピュータプログラムプロダクト。
【請求項６４】
請求項４３乃至５１のうちいずれか１項に記載の方法を実行する通信装置。
【発明の詳細な説明】
【技術分野】
【０００１】
本出願は、2017年11月17日に中国特許庁に出願され、「REMAINING  MINIMUM  SYSTEM  INFORMATION  COMMUNICATION  METHOD  AND  RELATED  APPARATUS」と題された中国特許出願第201711148422.3号に対する優先権を主張するものであり、該出願はその全体を参照により本明細書に組み込まれる。
［技術分野］
本出願は通信分野に関し、より具体的には残存最小システム情報（remaining  minimum  system  information、ＲＭＳＩ）通信方法、端末デバイス、ネットワークデバイス、及びコンピュータ読取可能記憶媒体に関する。
【背景技術】
【０００２】
従来技術では、ＮＲにおけるＲＭＳＩ伝送は小さいウィンドウに基づいて構成されることが提案されている。換言すれば、従来技術では、ＲＭＳＩは小さいウィンドウに基づいて検出され得ることが提案されている。しかしながら、小さいウィンドウに基づいてＲＭＳＩを検出する方法は、従来技術ではさらに提供されていない。したがって、ＲＭＳＩ通信方法が提案される必要がある。
【発明の概要】
【０００３】
本出願は、ＲＭＳＩを伝送するためのＲＭＳＩ通信方法及び関連装置を提供する。
【０００４】
第１の態様によれば、本出願はＲＭＳＩ通信方法を提供する。当該方法は、端末デバイスにより、オフセット情報、端末デバイスに対応するＲＭＳＩ検出ウィンドウの時間インデックス、及び端末デバイスに対応するＲＭＳＩ検出ウィンドウの持続時間に基づいて、端末デバイスに対応するＲＭＳＩ検出ウィンドウの位置を決定するステップであり、オフセット情報は、ＲＭＳＩ検出期間内のＲＭＳＩ検出ウィンドウ検出ウィンドウの参照位置とＲＭＳＩ検出期間内の第１のＲＭＳＩ検出ウィンドウとの間のオフセット、及びＲＭＳＩ検出期間内のＲＭＳＩ検出ウィンドウ検出ウィンドウの参照位置に基づいて決定される、ステップと、端末デバイスにより、ＲＭＳＩ検出ウィンドウの位置に基づいてＲＭＳＩを受信するステップと、を含む。
【０００５】
当該通信方法において、端末デバイスは、ＲＭＳＩ検出ウィンドウの位置を習得し、ＲＭＳＩ検出ウィンドウ内のＲＭＳＩを受信することができる。
【０００６】
可能な設計において、第１のＲＭＳＩ検出ウィンドウは、時間インデックスが０である同期信号ＳＳ／物理報知チャネルＰＢＣＨブロックに対応するＲＭＳＩ検出ウィンドウである。
【０００７】
可能な設計において、ＲＭＳＩ期間内の検出ウィンドウの参照位置は、ＲＭＳＩ検出期間内の第１のシステムフレーム及び／又は第１のシステムフレームの時間情報に基づいて決定される。
【０００８】
可能な設計において、第１のシステムフレームの時間情報は、第１のシステムフレームの第１のサブフレーム又は第１のシステムフレームの第１のスロットである。
【０００９】
可能な設計において、ＲＭＳＩ検出期間内の検出ウィンドウセットの参照位置が、ＳＳ／ＰＢＣＨバーストセット内の時間インデックスが０であるＳＳ／ＰＢＣＨブロックの位置に基づいて決定される。
【００１０】
可能な設計において、検出ウィンドウの参照位置は、ＲＭＳＩ検出期間内の第１のＳＳ／ＰＢＣＨバーストセット内の第１のＳＳ／ＰＢＣＨブロックの位置に基づいて決定される。
【００１１】
可能な設計において、ＳＳ／ＰＢＣＨブロックは、ＳＳ／ＰＢＣＨバーストセット内の候補ＳＳ／ＰＢＣＨブロックである。
【００１２】
可能な設計において、ＲＭＳＩ検出期間内の少なくとも２つの隣接するＲＭＳＩ検出ウィンドウが時間において連続する。
【００１３】
可能な設計において、ＲＭＳＩ検出期間内の少なくとも２つのＲＳＭＩ検出ウィンドウが同じ持続時間を有する。
【００１４】
可能な設計において、ＲＭＳＩ検出ウィンドウのオフセットが半フレームで測定される。
【００１５】
可能な設計において、ＲＭＳＩ検出ウィンドウの開始時間位置がＲＭＳＩ検出ウィンドウの持続時間に関連する。
【００１６】
可能な設計において、ＲＭＳＩ制御情報の周波数位置がＲＭＳＩ検出ウィンドウの持続時間及び／又は時間位置に関連する。
【００１７】
可能な設計において、ＲＭＳＩのサブキャリア間隔がＲＭＳＩ検出ウィンドウの開始時間位置及び／又は時間位置に関連する。
【００１８】
可能な設計において、ＲＭＳＩ制御情報の周波数位置はＲＭＳＩ検出ウィンドウの開始時間位置及び／又は時間位置に関連する。
【００１９】
可能な設計において、ＲＭＳＩ検出ウィンドウの開始位置が半システムフレーム内の第１のスロットに関連する。
【００２０】
第２の態様によれば、本出願はＲＭＳＩ通信方法を提供する。当該通信方法は、ネットワークデバイスにより、オフセット情報、端末デバイスに対応するＲＭＳＩ検出ウィンドウの時間インデックス、及び端末デバイスに対応するＲＭＳＩ検出ウィンドウの持続時間に基づいて、端末デバイスに対応するＲＭＳＩ検出ウィンドウの位置を決定するステップであり、オフセット情報は、ＲＭＳＩ検出期間内のＲＭＳＩ検出ウィンドウ検出ウィンドウの参照位置とＲＭＳＩ検出期間内の第１のＲＭＳＩ検出ウィンドウとの間のオフセットに基づいて、及びＲＭＳＩ検出期間内のＲＭＳＩ検出ウィンドウ検出ウィンドウの参照位置に基づいて決定される、ステップと、ネットワークデバイスにより、ＲＭＳＩ検出ウィンドウの位置に基づいてＲＭＳＩを送信するステップと、を含む。
【００２１】
当該通信方法において、ネットワークデバイスは、ＲＭＳＩを端末デバイスに対応するＲＭＳＩ検出ウィンドウ内で送信することができ、それにより、端末デバイスは、ＲＭＳＩを受信することができる。
【００２２】
可能な設計において、第１のＲＭＳＩ検出ウィンドウは、時間インデックスが０である同期信号ＳＳ／物理報知チャネルＰＢＣＨブロックに対応するＲＭＳＩ検出ウィンドウである。
【００２３】
可能な設計において、ＲＭＳＩ期間内の検出ウィンドウの参照位置は、ＲＭＳＩ検出期間内の第１のシステムフレーム及び／又は第１のシステムフレームの時間情報に基づいて決定される。
【００２４】
可能な設計において、第１のシステムフレームの時間情報は、第１のシステムフレームの第１のサブフレーム又は第１のシステムフレームの第１のスロットである。
【００２５】
可能な設計において、ＲＭＳＩ検出期間内の検出ウィンドウセットの参照位置が、ＳＳ／ＰＢＣＨバーストセット内の時間インデックスが０であるＳＳ／ＰＢＣＨブロックの位置に基づいて決定される。
【００２６】
可能な設計において、検出ウィンドウの参照位置は、ＲＭＳＩ検出ウィンドウ期間内の第１のＳＳ／ＰＢＣＨバーストセット内の第１のＳＳ／ＰＢＣＨブロックの位置に基づいて決定される。
【００２７】
可能な設計において、ＳＳ／ＰＢＣＨブロックは、ＳＳ／ＰＢＣＨバーストセット内の候補ＳＳ／ＰＢＣＨブロックである。
【００２８】
可能な設計において、ＲＭＳＩ検出ウィンドウ期間内の少なくとも２つの隣接するＲＭＳＩ検出ウィンドウが時間において連続する。
【００２９】
可能な設計において、ＲＭＳＩ検出期間内の少なくとも２つのＲＳＭＩ検出ウィンドウが同じ持続時間を有する。
【００３０】
可能な設計において、ＲＭＳＩ検出ウィンドウのオフセットが半フレームで測定される。
【００３１】
可能な設計において、ＲＭＳＩ検出ウィンドウの開始時間位置がＲＭＳＩ検出ウィンドウの持続時間に関連する。
【００３２】
可能な設計において、ＲＭＳＩ制御情報の周波数位置がＲＭＳＩ検出ウィンドウの持続時間及び／又は時間位置に関連する。
【００３３】
可能な設計において、ＲＭＳＩのサブキャリア間隔がＲＭＳＩ検出ウィンドウの開始時間位置及び／又は時間位置に関連する。
【００３４】
可能な設計において、ＲＭＳＩ制御情報の周波数位置はＲＭＳＩ検出ウィンドウの開始時間位置及び／又は時間位置に関連する。
【００３５】
可能な設計において、ＲＭＳＩ検出ウィンドウの開始位置が半システムフレーム内の第１のスロットに関連する。
【００３６】
第３の態様によれば、本出願の一実施形態は端末デバイスを提供する。当該端末デバイスは、第１の態様による通信方法における端末デバイスの動作を実現する機能を有する。該機能は、ハードウェアにより実現されてもよく、あるいは対応するソフトウェアを実行するハードウェアにより実現されてもよい。ハードウェア又はソフトウェアは、前述の機能に対応する１つ以上のモジュール、例えばプロセッサ及びメモリを含む。メモリは、関連する命令を記憶し、プロセッサは、メモリ内の命令を実行して前述の通信方法における各処理ステップを完了する。
【００３７】
可能な設計において、当該端末デバイスは受信機及びプロセッサを含み、
プロセッサは、オフセット情報、端末デバイスに対応するＲＭＳＩ検出ウィンドウの時間インデックス、及び端末デバイスに対応するＲＭＳＩ検出ウィンドウの持続時間に基づいて、端末デバイスに対応するＲＭＳＩ検出ウィンドウの位置を決定するように構成され、オフセット情報は、ＲＭＳＩ検出期間内のＲＭＳＩ検出ウィンドウ検出ウィンドウの参照位置とＲＭＳＩ検出期間内の第１のＲＭＳＩ検出ウィンドウとの間のオフセットに基づいて、及びＲＭＳＩ検出期間内のＲＭＳＩ検出ウィンドウ検出ウィンドウの参照位置に基づいて決定され、
受信機は、ＲＭＳＩ検出ウィンドウの位置に基づいてＲＭＳＩを受信するように構成される。
【００３８】
当該端末デバイスはメモリをさらに含んでもよく、メモリはプロセッサに結合され、当該端末デバイスの必要なプログラム命令及び必要なデータを記憶する。
【００３９】
当該端末デバイスは送信機をさらに含んでもよく、送信機は情報をネットワークデバイスに送信するように構成される。
【００４０】
第４の態様によれば、本出願の一実施形態はネットワークデバイスを提供する。当該ネットワークデバイスは、第２の態様による通信方法における端末デバイスの動作を実現する機能を有する。該機能は、ハードウェアにより実現されてもよく、あるいは対応するソフトウェアを実行するハードウェアにより実現されてもよい。ハードウェア又はソフトウェアは、前述の機能に対応する１つ以上のモジュール、例えばプロセッサ及びメモリを含む。メモリは、関連する命令を記憶し、プロセッサは、メモリ内の命令を実行して前述の通信方法における各処理ステップを完了する。
【００４１】
可能な設計において、当該ネットワークデバイスは送信機及びプロセッサを含み、
プロセッサは、オフセット情報、端末デバイスに対応するＲＭＳＩ検出ウィンドウの時間インデックス、及び端末デバイスに対応するＲＭＳＩ検出ウィンドウの持続時間に基づいて、端末デバイスに対応するＲＭＳＩ検出ウィンドウの位置を決定するように構成され、オフセット情報は、ＲＭＳＩ検出期間内のＲＭＳＩ検出ウィンドウ検出ウィンドウの参照位置とＲＭＳＩ検出期間内の第１のＲＭＳＩ検出ウィンドウとの間のオフセットに基づいて、及びＲＭＳＩ検出期間内のＲＭＳＩ検出ウィンドウ検出ウィンドウの参照位置に基づいて決定され、
送信機は、ＲＭＳＩ検出ウィンドウの位置に基づいてＲＭＳＩを送信するように構成される。
【００４２】
当該ネットワークデバイスはメモリをさらに含んでもよく、メモリはプロセッサに結合され、当該ネットワークデバイスの必要なプログラム命令及び必要なデータを記憶する。
【００４３】
当該ネットワークデバイスは受信機をさらに含んでもよく、受信機は別のデバイスにより送信された情報を受信するように構成される。
【００４４】
第５の態様によれば、本出願はコンピュータ読取可能記憶媒体を提供する。当該コンピュータ読取可能記憶媒体は、端末デバイスにより実行されるプログラムコードを記憶する。プログラムコードは、第１の態様による通信方法を実行するために使用される命令を含む。
【００４５】
第６の態様によれば、本出願はコンピュータ読取可能記憶媒体を提供する。当該コンピュータ読取可能記憶媒体は、ネットワークデバイスにより実行されるプログラムコードを記憶する。プログラムコードは、第２の態様による通信方法を実行するために使用される命令を含む。
【００４６】
第７の態様によれば、本出願は、命令を含むコンピュータプログラムプロダクトを提供する。当該コンピュータプログラムプロダクトが端末デバイス上で実行されたとき、端末デバイスは第１の態様による通信方法を実行可能にされる。
【００４７】
第８の態様によれば、本出願は、命令を含むコンピュータプログラムプロダクトを提供する。当該コンピュータプログラムプロダクトがネットワークデバイス上で実行されたとき、ネットワークデバイスは第２の態様による通信方法を実行可能にされる。
【００４８】
第９の態様によれば、本出願はシステムチップを提供し、当該システムチップは、入力／出力インターフェース、少なくとも１つのプロセッサ、少なくとも１つのメモリ、及びバスを含む。少なくとも１つのメモリは、命令を記憶するように構成され、少なくとも１つのプロセッサは、少なくとも１つのメモリ内の命令を呼び出して第１の態様又は第２の態様による通信方法における動作を実行するように構成される。
【図面の簡単な説明】
【００４９】
【図１】本出願の一実施形態による通信方法を使用する通信システムの概略アーキテクチャ図である。
【図２】本出願の一実施形態による通信方法の概略フローチャートである。
【図３】本出願の一実施形態によるＲＭＳＩ及びＳＳ／ＰＢＣＨ  ｂｌｏｃｋの送信の概略図である。
【図４】本出願の一実施形態によるＲＭＳＩ及びＳＳ／ＰＢＣＨ  ｂｌｏｃｋの送信の概略図である。
【図５】本出願の一実施形態によるＲＭＳＩ及びＳＳ／ＰＢＣＨ  ｂｌｏｃｋの送信の概略図である。
【図６】本出願の一実施形態によるＲＭＳＩ及びＳＳ／ＰＢＣＨ  ｂｌｏｃｋの送信の概略図である。
【図７】本出願の別の実施形態による通信方法の概略フローチャートである。
【図８】本出願の一実施形態による端末デバイスの概略構造図である。
【図９】本出願の一実施形態によるネットワークデバイスの概略構造図である。
【発明を実施するための形態】
【００５０】
以下では、本出願の技術的解決策を添付の図面を参照して説明する。
【００５１】
図１は、本出願の一実施形態が適用されるシステムの概略図である。図１に示すように、システム１００は、ネットワークデバイス１０２及び端末デバイス１０４、１０６、１０８、１１０、１１２、及び１１４を含み得る。ネットワークデバイスは、端末デバイスに無線接続される。
【００５２】
図１において、システムが１つのネットワークデバイスを含むことは説明のため一例として用いられているに過ぎず、本出願のこの実施形態はこのことに限定されないことを理解されたい。例えば、システムは、代替的に、さらなるネットワークデバイスを含んでもよい。同様に、システムは、代替的に、さらなる端末デバイスを含んでもよい。さらに、システムはネットワークとも呼ばれ得ることを理解されたい。本出願のこの実施形態は、このことへの制限を設けない。
【００５３】
端末デバイスは、ユーザ装置（User  Equipment、ＵＥ）、アクセス端末、加入者ユニット、加入者局、移動局、移動コンソール、遠隔局、遠隔端末、移動端末、モバイルデバイス、ユーザ端末、端末、無線通信デバイス、ユーザエージェント、又はユーザ機器でもよい。アクセス端末は、セルラーフォン、コードレスフォン、セッション開始プロトコル（Session  Initiation  Protocol、ＳＩＰ）フォン、無線ローカルループ（Wireless  Local  Loop、ＷＬＬ）局、パーソナルデジタルアシスタント（Personal  Digital  Assistant、ＰＤＡ）、無線通信機能を有するハンドヘルドデバイス、無線モデムに接続されたコンピューティングデバイス又は他の処理デバイス、車載デバイス、ウェアラブルデバイス、将来の５Ｇネットワークにおける端末デバイス、将来の進化型公衆陸上移動体ネットワーク（Public  Land  Mobile  Network、ＰＬＭＮ）における端末デバイスなどでもよい。
【００５４】
限定の代わりに例として、本出願の実施形態では、端末デバイスは、代替的に、ウェアラブルデバイスでもよい。ウェアラブルデバイスは、ウェアラブルインテリジェントデバイスとも呼ばれることがあり、ウェアラブル技術を使用することにより日々の着用に対してインテリジェントな設計及び開発を行うことにより得られる、メガネ、手袋、時計、衣服、及び靴などのウェアラブルデバイスの総称である。ウェアラブルデバイスは、身体に直接装着され、あるいはユーザの衣服又はアクセサリに組み込まれるポータブルデバイスである。ウェアラブルデバイスはハードウェアデバイスを越え、ソフトウェアサポート、データ交換、クラウド対話を通じて強力な機能を実現する。広義には、ウェアラブルインテリジェントデバイスは、包括的な機能を提供し、かつスマートフォンから独立して全部又は一部の機能を実現できる大きいサイズのデバイス、例えば、スマートウォッチ又はスマートグラスを含み、また、特定タイプのアプリケーション機能のみが意図され、かつスマートフォンなどの他のデバイスと協働して使用される必要があるデバイス、例えば、サイン監視に使用される種々のタイプのスマートバンド及びスマートジュエリーを含む。
【００５５】
ネットワークデバイスは、端末デバイスと通信するように構成されたデバイスであり得る。ネットワークデバイスは、グローバルシステムフォーモバイルコミュニケーション（Global  System  of  Mobile  communication、ＧＳＭ）又は符号分割多元接続（Code  Division  Multiple  Access、ＣＤＭＡ）におけるベーストランシーバ局（Base  Transceiver  Station、ＢＴＳ）でもよく、広帯域符号分割多元接続（Wideband  Code  Division  Multiple  Access、ＷＣＤＭＡ）システムにおけるノードＢ（NodeB、ＮＢ）でもよく、ロングタームエボリューション（Long  Term  Evolution、ＬＴＥ）システムにおける進化型ノードＢ（Evolutional  Node  B、ｅＮＢ、又はｅＮｏｄｅＢ）でもよく、あるいはクラウド無線アクセスネットワーク（Cloud  Radio  Access  Network、ＣＲＡＮ）シナリオにおける無線コントローラでもよい。代替的に、ネットワークデバイスは、中継局、アクセスノード、車載デバイス、ウェアラブルデバイス、将来の５Ｇネットワークにおけるネットワークデバイス、将来の発展型ＰＬＭＮネットワークにおけるネットワークデバイスなどでもよい。
【００５６】
さらに、本出願の実施形態では、ネットワークデバイスはセルのサービスを提供する。端末デバイスは、セルにより使用される伝送リソース（例えば、周波数ドメイン、すなわち、スペクトルリソース）を使用することによりネットワークデバイスと通信し、セルは、ネットワークデバイス（例えば、基地局）に対応するセルであり得る。セルは、マクロ基地局に属してもよく、あるいはスモールセル（small  cell）に対応する基地局に属してもよい。本明細書におけるスモールセルは、メトロセル（Metro  cell）、マイクロセル（Micro  cell）、ピコセル（Pico  cell）、フェムトセル（Femto  cell）などを含み得る。これらのセルは小カバレッジ及び低送信電力により特徴づけられ、高速データ伝送サービスを提供するのに適する。さらに、セルは、代替的に、ハイパーセル（Hypercell）でもよい。
【００５７】
本出願の実施形態では、擬似コロケーション（quasi  co-location、ＱＣＬ）は、以下のパラメータ、すなわち、到着角（angle  of  arrival、ＡｏＡ）、主到着角（Dominant  AoA）、平均到着角、到着角のパワー角スペクトル（power  angular  spectrum（ＰＡＳ）  of  AoA）、出発角（angle  of  departure、ＡｏＤ）、主出発角、平均出発角、出発角のパワー角スペクトル、ＵＥ送信ビームフォーミング、ＵＥ受信ビームフォーミング、空間チャネル相関、基地局送信ビームフォーミング、基地局受信ビームフォーミング、平均チャネル利得、平均チャネル遅延、遅延スプレッド（delay  spread）、ドップラースプレッド（Doppler  spread）等のうち少なくとも１つに関して、同じであるか又は明確な対応を有することを意味する。
【００５８】
同じ下りリンク信号／基地局ビーム／端末ビームを有することは、同じ空間受信パラメータ及び／又は同じアンテナポートを有すること、例えば、以下のパラメータ、すなわち、到着角、主到着角ＤｏｍｉｎａｎｔＡｏＡ、平均到着角、到着角のパワー角スペクトル、出発角、主出発角、平均出発角、出発角のパワー角スペクトル、端末送信ビームフォーミング、ＵＥ受信ビームフォーミング、空間チャネル相関、基地局送信ビームフォーミング、基地局受信ビームフォーミング、平均チャネル利得、平均チャネル遅延、遅延スプレッド、ドップラースプレッド等のうち少なくとも１つに関して、同じであるか又は明確な対応を有することを意味する。
【００５９】
ＲＭＳＩ検出ウィンドウとＳＳ／ＰＢＣＨブロックとが関連づけられているか又はＱＣＬ関係にあるとき、ＲＭＳＩ及びＳＳ／ＰＢＣＨは同じアンテナポートを有し、かつ／あるいは同じビームを使用することにより送信される。
【００６０】
本出願におけるＲＭＳＩ検出ウィンドウは、ＲＭＳＩ監視ウィンドウとも呼ばれる。ＲＭＳＩ監視ウィンドウは、ＲＭＳＩの物理下りリンク制御チャネル（ＰＤＣＣＨ）監視ウィンドウでもよく、ＲＭＳＩの物理下りリンク共用チャネル（ＰＤＳＣＨ）監視ウィンドウでもよく、ＲＭＳＩの制御情報セット（ＣＯＲＥＳＥＴ）監視ウィンドウでもよく、データ情報の監視ウィンドウでもよく、あるいはＲＭＳＩ制御情報の監視ウィンドウでもよい。
【００６１】
図２は、本出願の一実施形態によるＲＭＳＩ通信方法の概略フローチャートである。図２において、ネットワークデバイスは、上述のネットワークデバイスでもよく、端末デバイスは、上述の端末デバイスでもよい。確かに、実際のシステムでは、ネットワークデバイスの数量及びネットワークデバイスの数量は、本実施形態又は別の実施形態の例に限定されなくてよい。詳細は以下では説明されない。
【００６２】
Ｓ２１０．端末デバイスが、オフセット情報、端末デバイスに対応するＲＭＳＩ検出ウィンドウの時間インデックス、及び端末デバイスに対応するＲＭＳＩ検出ウィンドウの持続時間（duration）に基づいて、端末デバイスに対応するＲＭＳＩ検出ウィンドウの位置を決定し、オフセット情報は、ＲＭＳＩ検出期間内のＲＭＳＩ検出ウィンドウ検出ウィンドウの参照位置とＲＭＳＩ検出期間内の第１のＲＭＳＩ検出ウィンドウとの間のオフセット（ウィンドウオフセット（window  offset））に基づいて、及びＲＭＳＩ検出期間内のＲＭＳＩ検出ウィンドウ検出ウィンドウの参照位置に基づいて決定される。
【００６３】
Ｓ２２０．端末デバイスが、ＲＭＳＩ検出ウィンドウの位置に基づいてＲＭＳＩを受信する。
【００６４】
第１のＲＭＳＩ検出ウィンドウは、時間インデックスが０である同期信号（synchronization  signal、ＳＳ）／物理報知チャネル（physical  broadcast  channel、ＰＢＣＨ）ブロック（block）に対応するＲＭＳＩ検出ウィンドウである。
【００６５】
ＳＳ／ＰＢＣＨ  ｂｌｏｃｋの時間インデックスは、ＲＭＳＩ検出ウィンドウの時間インデックスとして使用されてもよい。ＳＳ／ＰＢＣＨ  ｂｌｏｃｋの時間インデックスは、候補ＳＳ／ＰＢＣＨ  ｂｌｏｃｋの時間インデックスでもよく、あるいは実際に送信されたＳＳ／ＰＢＣＨ  ｂｌｏｃｋの時間インデックスでもよい。候補ＳＳ  ｂｌｏｃｋの時間インデックスは、可能性として伝送される（possibly  transmitted）ＳＳ  ｂｌｏｃｋの時間インデックスとして参照されてもよい。候補ＳＳ  ｂｌｏｃｋの時間インデックスは、略して候補ＳＳ  ｂｌｏｃｋのインデックスと呼ばれてもよい。
【００６６】
代替的に、ＲＭＳＩ検出ウィンドウの時間インデックスは予め定義されてもよい。
【００６７】
代替的に、ＲＭＳＩ検出ウィンドウの位置は、ＳＳ／ＰＢＣＨ  ｂｌｏｃｋの時間インデックスに関連づけられたＲＭＳＩ検出ウィンドウの時間インデックスに基づいて決定されてもよい。
【００６８】
ＲＭＳＩ検出ウィンドウの持続時間は予め定義されてもよく、あるいは端末デバイスのためにネットワークデバイスにより構成されてもよい。
【００６９】
少なくとも２つの隣接する検出ウィンドウが時間において連続してもよい。少なくとも２つの検出ウィンドウが等しい持続時間を有してもよい。
【００７０】
ＲＭＳＩ検出ウィンドウのオフセットは、ＲＭＳＩ検出ウィンドウの開始時間とＲＭＳＩ検出ウィンドウ検出ウィンドウの参照位置との間のオフセットでもよい。
【００７１】
検出ウィンドウのオフセットの粒度又は時間単位は、半フレーム、フレーム、スロット、サブフレーム、又はシンボルでもよい。ｗｉｎｄｏｗ  ｏｆｆｓｅｔを表現する方法は、スロット、絶対時間（ｍｓ単位）、サブフレーム、半フレーム、又はシンボルに基づいてもよい。
【００７２】
ｗｉｎｄｏｗ  ｏｆｆｓｅｔがスロットに基づいて表されるとき、さらに、ｗｉｎｄｏｗ  ｏｆｆｓｅｔの単位長さはサブキャリア間隔（ＳＣＳ）に関連してもよい。例えば、ＳＣＳが１５ＫＨｚのとき、ｗｉｎｄｏｗ  ｏｆｆｓｅｔの単位長さは１スロット、５スロット、又は１０スロットでもよく、ＳＣＳが３０ＫＨｚのとき、ｗｉｎｄｏｗ  ｏｆｆｓｅｔの単位長さは１スロット、５スロット、１０スロット、又は２０スロットでもよく、ＳＣＳが６０ＫＨｚのとき、ｗｉｎｄｏｗ  ｏｆｆｓｅｔの単位長さは１スロット、５スロット、１０スロット、２０スロット、又は４０スロットでもよく、あるいはＳＣＳが１２０ＫＨｚのとき、ｗｉｎｄｏｗ  ｏｆｆｓｅｔの単位長さは１スロット、５スロット、１０スロット、２０スロット、４０スロット、又は８０スロットでもよい。
【００７３】
ｗｉｎｄｏｗ  ｏｆｆｓｅｔは、ネットワークデバイスにより示されることなく端末デバイス上で予め構成されてもよく、あるいはネットワークデバイスにより示されてもよい。例えば、ネットワークデバイスは、１ビット、２ビット、又は３ビットを使用することによりｗｉｎｄｏｗ  ｏｆｆｓｅｔを示してもよい。ｗｉｎｄｏｗ  ｏｆｆｓｅｔは、複数の値を有してもよい。値は、０、０．５フレーム、１フレーム、１．５フレーム、２フレーム、２．５フレーム、３フレーム、３．５フレーム、４フレーム、４．５フレーム、５フレーム、５．５フレーム、６フレーム、６．５フレーム、７フレーム、及び７．５フレームのうち全部又は一部でもよい。３ビットは、０、１０ｍｓ、２０ｍｓ、３０ｍｓ、４０ｍｓ、５０ｍｓ、６０ｍｓ、又は７０ｍｓを示してもよい。
【００７４】
ｗｉｎｄｏｗ  ｏｆｆｓｅｔが１ビットを使用することにより示されるとき、ＳＣＳが１５ＫＨｚである場合、１ビットはｗｉｎｄｏｗ  ｏｆｆｓｅｔがゼロスロット若しくは５スロットであることを示すことができ、又は１ビットはｗｉｎｄｏｗ  ｏｆｆｓｅｔが５スロット若しくは１０スロットであることを示すことができ、ＳＣＳが３０ＫＨｚである場合、１ビットはｗｉｎｄｏｗ  ｏｆｆｓｅｔがゼロスロット若しくは１０スロットであることを示すことができ、又は１ビットはｗｉｎｄｏｗ  ｏｆｆｓｅｔが１０スロット若しくは２０スロットであることを示すことができ、ＳＣＳが６０ＫＨｚである場合、１ビットはｗｉｎｄｏｗ  ｏｆｆｓｅｔがゼロスロット若しくは２０スロットであることを示すことができ、又は１ビットはｗｉｎｄｏｗ  ｏｆｆｓｅｔが２０スロット若しくは４０スロットであることを示すことができ、あるいはＳＣＳが１２０ＫＨｚである場合、１ビットはｗｉｎｄｏｗ  ｏｆｆｓｅｔがゼロスロット若しくは４０スロットであることを示すことができ、又は１ビットはｗｉｎｄｏｗ  ｏｆｆｓｅｔが４０スロット若しくは８０スロットであることを示すことができる。代替的に、時間単位は、別の表現方法に等価的に変換されてもよい。例えば、ＳＣＳが１５ＫＨｚである場合、１ビットが、ｗｉｎｄｏｗ  ｏｆｆｓｅｔが５スロット又は１０スロットを示せることは、１ビットが、ｗｉｎｄｏｗ  ｏｆｆｓｅｔが５ｍｓ又は１０ｍｓであることを示せることに等価的に変換されてもよい。これは以下の実施形態にも適用可能であり、詳細は説明されない。
【００７５】
ｗｉｎｄｏｗ  ｏｆｆｓｅｔが２ビットを使用することにより示されるとき、ＳＣＳが１５ＫＨｚである場合、２ビットはｗｉｎｄｏｗ  ｏｆｆｓｅｔがゼロスロット、５スロット、１０スロット、若しくは１５スロットであることを示すことができ、又は２ビットはｗｉｎｄｏｗ  ｏｆｆｓｅｔが５スロット、１０スロット、１５スロット、若しくは２０スロットであることを示すことができ、ＳＣＳが３０ＫＨｚである場合、２ビットはｗｉｎｄｏｗ  ｏｆｆｓｅｔがゼロスロット、１０スロット、２０スロット、若しくは３０スロットであることを示すことができ、又は２ビットはｗｉｎｄｏｗ  ｏｆｆｓｅｔが１０スロット、２０スロット、３０スロット、若しくは４０スロットであることを示すことができ、ＳＣＳが６０ＫＨｚである場合、２ビットはｗｉｎｄｏｗ  ｏｆｆｓｅｔがゼロスロット、２０スロット、４０スロット、若しくは６０スロットであることを示すことができ、又は２ビットはｗｉｎｄｏｗ  ｏｆｆｓｅｔが２０スロット、４０スロット、６０スロット、若しくは８０スロットであることを示すことができ、あるいはＳＣＳが１２０ＫＨｚである場合、２ビットはｗｉｎｄｏｗ  ｏｆｆｓｅｔがゼロスロット、４０スロット、８０スロット、若しくは１２０スロットであることを示すことができ、又は２ビットはｗｉｎｄｏｗ  ｏｆｆｓｅｔが４０スロット、８０スロット、１２０スロット、若しくは１６０スロットであることを示すことができる。
【００７６】
代替的に、ｗｉｎｄｏｗ  ｏｆｆｓｅｔの時間単位は、別の時間値、例えば０スロットから６３スロットのうち任意の値でもよい。
【００７７】
代替的に、ｗｉｎｄｏｗ  ｏｆｆｓｅｔの値は、絶対時間単位を使用することにより構成されてもよい。例えば、指示情報が２ビットであるとき、ｗｉｎｄｏｗ  ｏｆｆｓｅｔは０ミリ秒（ｍｓ）、５ｍｓ、１０ｍｓ、又は１５ｍｓでもよく、あるいはｗｉｎｄｏｗ  ｏｆｆｓｅｔは５ｍｓ、１０ｍｓ、１５ｍｓ、又は２０ｍｓでもよく、時間単位は５ｍｓである。指示情報が１ビットであるとき、ｗｉｎｄｏｗ  ｏｆｆｓｅｔは０ｍｓ又は５ｍｓでもよく、あるいはｗｉｎｄｏｗ  ｏｆｆｓｅｔは５ｍｓ又は１０ｍｓでもよく、時間単位は５ｍｓである。
【００７８】
代替的に、ｗｉｎｄｏｗ  ｏｆｆｓｅｔの時間単位は半フレームでもよい。例えば、ｗｉｎｄｏｗ  ｏｆｆｓｅｔは、ゼロ個の半フレーム、１個の半フレーム、２個の半フレームでもよい。
【００７９】
異なる検出ウィンドウは、異なるｗｉｎｄｏｗ  ｏｆｆｓｅｔを有してもよい。例えば、ＳＳ／ＰＢＣＨ  ｂｌｏｃｋのインデックスが検出ウィンドウの最大数量Ｎより大きく、ＲＭＳＩが次のフレーム又はＫ個の隣接するフレーム内で伝送されるとき、異なる検出ウィンドウは異なるｗｉｎｄｏｗ  ｏｆｆｓｅｔを有し得る。
【００８０】
例えば、少なくとも２つの隣接ｗｉｎｄｏｗ  ｏｆｆｓｅｔは同じでもよく、あるいは少なくとも２つの隣接ｗｉｎｄｏｗ  ｏｆｆｓｅｔは異なってもよい。
【００８１】
ＲＭＳＩ及びＳＳ／ＰＢＣＨ  ｂｌｏｃｋが周波数分割方式で多重化されるとき、ＲＭＳＩのＳＣＳがＳＳ／ＰＢＣＨ  ｂｌｏｃｋのＳＣＳと同じであるため、ＲＭＳＩのＳＣＳを示すための１ビットデータが、ｗｉｎｄｏｗ  ｏｆｆｓｅｔの一部又は全部の値を示すために使用されてもよく、あるいはＲＭＳＩのＳＣＳを示すための１ビットデータは、ｗｉｎｄｏｗ  ｏｆｆｓｅｔを示すビットデータの一部として使用されてもよい。
【００８２】
ＲＭＳＩ及びＳＳ／ＰＢＣＨ  ｂｌｏｃｋが周波数分割方式で多重化されるとき、各検出ウィンドウの持続時間は、固定値、例えば０．５ｍｓでもよい。したがって、検出ウィンドウの持続時間は構成されなくてもよい。この場合、検出ウィンドウの持続時間を示すために使用されるビットが、ｗｉｎｄｏｗ  ｏｆｆｓｅｔを示すために使用されてもよい。
【００８３】
ＲＭＳＩ検出ウィンドウの位置は、ＲＭＳＩ検出ウィンドウの開始時間でもよい。検出ウィンドウの開始時間は、検出ウィンドウの開始位置として参照されてもよい。
【００８４】
ＲＭＳＩ検出期間は、４つの方法を使用することによりＰＢＣＨに対して構成されてもよい。第１の方法では、ＲＭＳＩ検出期間は直接構成される。例えば、１ビットが、ＲＭＳＩ検出期間が２０ｍｓ又は４０ｍｓであることを示すために使用されてもよく、あるいは１ビットが、ＲＭＳＩ検出期間が４０ｍｓ又は８０ｍｓであることを示すために使用されてもよく、あるいは１ビットが、ＲＭＳＩ検出期間が２０ｍｓ又は８０ｍｓであることを示すために使用されてもよい。
【００８５】
第２の方法では、ＲＭＳＩ検出期間はＰＢＣＨの期間の倍数に構成され、１ビット情報が、倍数が１倍又は２倍であることを示すために使用されてもよい。
【００８６】
第３の方法では、固定されたＲＭＳＩ検出期間が構成され、あるいはＰＢＣＨの期間に対するＲＭＳＩ検出期間の倍数が示される。例えば、１ビットは、ＲＭＳＩ検出期間が２０ｍｓで固定されているか又はＳＳ／ＰＢＣＨバーストセット（burst  set）の期間と同じかを示すために使用され、あるいは１ビットは、ＲＭＳＩ検出期間が４０ｍｓで固定されているか又はＳＳ／ＰＢＣＨ  ｂｕｒｓｔ  ｓｅｔの期間と同じかを示すために使用される。
【００８７】
ＲＭＳＩ検出期間がＳＳ／ＰＢＣＨ  ｂｕｒｓｔ  ｓｅｔの期間と無関係であるとき、第４の方法では、ＲＭＳＩ検出期間がＳＳ／ＰＢＣＨ  ｂｕｒｓｔ  ｓｅｔの期間と同じか又はＳＳ／ＰＢＣＨ  ｂｕｒｓｔ  ｓｅｔの期間より大きいかが示される。ＲＭＳＩ期間がＳＳ  ｂｕｒｓｔ  ｓｅｔの期間と同じとき、ＲＭＳＩ検出ウィンドウの位置は、ＲＭＳＩ検出期間が示されない場合でも決定できる。しかしながら、ＲＭＳＩ検出期間がＳＳ／ＰＢＣＨ  ｂｕｒｓｔ  ｓｅｔの期間より大きいとき、ＲＭＳＩに関連づけられたＳＳ  ｂｕｒｓｔ  ｓｅｔのフレーム位置がブラインド検出される必要がある。
【００８８】
代替的に、ＲＭＳＩ検出期間が示されてもよく、ＲＭＳＩ検出期間がＳＳ／ＰＢＣＨ  ｂｕｒｓｔ  ｓｅｔの期間と同じであるか、又はＳＳ／ＰＢＣＨ  ｂｕｒｓｔ  ｓｅｔの期間がＲＭＳＩ検出期間より小さいかがさらに示される。この場合、ブラインド検出が行われる必要はない。
【００８９】
ＲＭＳＩの伝送を容易にするために、１つのサブフレーム内のＲＭＳＩ検出ウィンドウの最大数量がＮに設定されてもよい。ＳＳ／ＰＢＣＨ  ｂｌｏｃｋのインデックス（候補ＳＳ／ＰＢＣＨ  ｂｌｏｃｋの時間インデックス、及び／又は実際に伝送されたＳＳ／ＰＢＣＨ  ｂｌｏｃｋのインデックスを含む）がＮより大きいとき、ＲＭＳＩは、次のフレーム又はＫ個の隣接するフレームで伝送されてもよい。ＳＳ／ＰＢＣＨ  ｂｌｏｃｋのインデックス（候補ＳＳ／ＰＢＣＨ  ｂｌｏｃｋの時間インデックス、及び／又は実際に伝送されたＳＳ／ＰＢＣＨ  ｂｌｏｃｋのインデックスを含む）がＮ以下であるとき、ＲＭＳＩは、現在のフレーム、又は検出ウィンドウの開始位置が位置するフレームで伝送されてもよい。
【００９０】
例えば、ＳＳ／ＰＢＣＨ  ｂｌｏｃｋ及びページングメッセージ又はＲＭＳＩが時分割多重方式で伝送されるとき、ＲＭＳＩ又はページングメッセージは、ＳＳ／ＰＢＣＨ  ｂｌｏｃｋのものとは異なる半フレームで伝送されてもよく、あるいは最後に実際に伝送され又は可能性として伝送されるＳＳ／ＰＢＣＨ  ｂｌｏｃｋの後に伝送されてもよい。
【００９１】
検出ウィンドウの参照位置は固定されてもよく、あるいは絶対的でもよい。例えば、検出ウィンドウの参照位置は、ＲＭＳＩ検出期間内の第１のシステムフレーム、及び／又はＲＭＳＩ検出期間内の第１のシステムフレームの時間情報に基づいて決定されてもよい。例えば、第１のシステムフレームの時間情報は、第１のシステムフレームの第１のサブフレーム、又は第１のシステムフレームの第１のスロットでもよい。
【００９２】
代替的に、検出ウィンドウの参照位置は、ＳＳ／ＰＢＣＨ  ｂｌｏｃｋの位置に関連してもよい。例えば、検出ウィンドウの参照位置は、ＲＭＳＩ検出期間内の第１のＳＳ／ＰＢＣＨバースト（burst）セット（set）内の第１のＳＳ／ＰＢＣＨ  ｂｌｏｃｋの位置（フレーム及び／又はスロット及び／シンボル）に基づいて決定されてもよい。別の例として、検出ウィンドウの参照位置は、ＲＭＳＩ検出期間内の第１のＳＳ／ＰＢＣＨ  ｂｕｒｓｔ  ｓｅｔ内の第１のＳＳ／ＰＢＣＨ  ｂｌｏｃｋの位置でもよい。
【００９３】
検出ウィンドウの位置を決定するとき、端末デバイスは、ＲＭＳＩのＳＣＳ及びＳＳ／ＰＢＣＨ  ｂｌｏｃｋのＳＣＳに基づいて、検出ウィンドウの位置をさらに決定してもよい。
【００９４】
ＲＭＳＩのＳＣＳがＳＳ／ＰＢＣＨ  ｂｌｏｃｋのＳＣＳと同じであるとき、検出ウィンドウの位置は直接決定されてもよい。ＲＭＳＩのＳＣＳがＳＳ／ＰＢＣＨ  ｂｌｏｃｋのＳＣＳと異なるとき、検出ウィンドウの参照位置及び／又は検出ウィンドウのオフセットは、同じＳＣＳに基づく値にコンバートされてもよく、次いで、検出ウィンドウの位置が決定される。
【００９５】
上述のように、ＲＭＳＩ検出ウィンドウの参照位置は固定されてもよい。以下では、ＲＭＳＩ検出ウィンドウの参照位置が固定され得るときにＲＭＳＩ検出ウィンドウの位置を決定する方法について説明する。
【００９６】
ＲＭＳＩ検出ウィンドウの参照位置がＲＭＳＩ期間内で固定されることは、以下を含み得る：ＲＭＳＩ検出ウィンドウの参照位置のフレーム位置が固定され、ＲＭＳＩ検出ウィンドウの参照位置のフレーム内位置が固定される。参照位置が位置するフレームは、参照フレームと呼ばれてもよい。
【００９７】
この場合、端末デバイスは、オフセット情報、検出ウィンドウの時間インデックス、及びＲＭＳＩ検出ウィンドウの持続時間に基づいて、ＲＭＳＩ検出ウィンドウの位置を決定してもよい。
【００９８】
本明細書における検出ウィンドウの参照位置は、ＲＭＳＩ検出期間内の第１のＲＭＳＩ検出ウィンドウの参照位置でもよく、あるいは第ＮのＲＭＳＩ検出ウィンドウの参照位置でもよい。Ｎは、ＲＭＳＩ検出期間内の検出ウィンドウの数量である。
【００９９】
検出ウィンドウの参照位置は、２つの部分に分割されてもよい。第１の部分は、検出ウィンドウの参照位置のフレーム位置であり、換言すれば、第１の部分は、検出ウィンドウの参照位置が位置するシステムフレームのフレーム番号である。第２の部分は、検出ウィンドウの参照位置のフレーム内位置である。
【０１００】
第１の部分は、式を使用することにより算出されてもよい。算出方法は以下のとおりである：ＳＦＮ  ｍｏｄ  ｙ＝ｋ１。ＳＦＮは、検出ウィンドウの参照位置が位置するシステムフレームのフレーム番号を表し、ｍｏｄはモジュロ演算を表し、ｙは、フレームで測定されるＲＭＳＩ検出期間を表し、ｋ１は予め定義された値である。
【０１０１】
例えば、ｋ１は固定値でもよく、例えば、０、１、２、３、４、５、６、７、８、９、１０、１１、１２、１３、１４、又は１５のうち任意の値でもよい。たとえば、ｋ１は０である。
【０１０２】
例えば、ｋ１は、ネットワークデバイスにより送信された情報に基づいて構成されてもよい。例えば、ネットワークデバイスは、物理報知チャネル（ＰＢＣＨ）を使用することによりｋ１を構成してもよい。
【０１０３】
例えば、ｋ１は、暗黙的方式で構成されてもよい。例えば、ｋ１の値は、ＰＢＣＨの変調及び符号化方式、ＰＢＣＨの巡回冗長検査（cyclic  redundancy  check、ＣＲＣ）、スクランブル方式、又は巡回シフトを使用することにより暗黙的に示されてもよい。例えば、ｋ１の値は、プライマリ同期信号（ＰＳＳ）の周波数、セカンダリ同期信号（ＳＳＳ）の周波数、ＰＳＳの時間ドメイン位置、ＳＳＳの時間ドメイン位置、ＰＳＳの巡回シフト、ＰＳＳの巡回シフト、ＤＭＲＳ、ＳＳＳの異なる系列、又はＰＳＳの異なる系列を使用することにより暗黙的に示されてもよい。
【０１０４】
検出ウィンドウの参照位置の第２の部分はスロットに基づいてもよく、あるいはサブフレームに基づき又はシンボルに基づいてもよい。第２の部分がスロットに基づくとき、スロットのインデックスは、０〜６３のうち任意の値でもよい。第２の部分がサブフレームに基づくとき、サブフレームのインデックスは０〜９のうち任意の値でもよい。第２の部分がシンボルに基づく一例は、第２の部分が第１のシンボルであることである。第２の部分がスロットに基づく一例は、第２の部分がフレーム内の第１のスロット、例えば、インデックスが０であるスロットであることである。
【０１０５】
第２の部分がスロットに基づくとき、第２の部分の値は、ＰＢＣＨのサブキャリア間隔（subcarrier  spacing、ＳＣＳ）に関連してもよい。例えば、サブキャリア間隔が１５キロヘルツ（ＫＨｚ）のとき、第２の部分の値は第５のスロットであり得、サブキャリア間隔が３０ＫＨｚのとき、第２の部分の値は第１０のスロットであり得、サブキャリア間隔が６０ＫＨｚのとき、第２の部分の値は第２０のスロットであり得、サブキャリア間隔が１２０ＫＨｚのとき、第２の部分の値は第４０のスロットであり得る。
【０１０６】
任意で、検出ウィンドウの開始位置と検出ウィンドウの参照位置との間にオフセットがあってもよく、あるいはオフセットがなくてもよい。
【０１０７】
オフセットがない場合、検出ウィンドウの参照位置は、検出ウィンドウの開始位置として参照されてもよい。オフセットが存在する場合、オフセットは、検出ウィンドウのオフセットとして参照されてもよい。
【０１０８】
検出ウィンドウの開始位置と検出ウィンドウの参照位置との間にオフセットがあるとき、第１の検出ウィンドウの開始位置は、検出ウィンドウの参照位置と検出ウィンドウのオフセットとに基づいて取得されてもよい。
【０１０９】
例えば、図３に示すように、ＲＭＳＩ検出期間は４つのシステムフレームを含み、フレーム番号は、それぞれ、ＳＦＮ０、ＳＦＮ１、ＳＦＮ２、及びＳＦＮ３である。検出ウィンドウの参照位置は、ＲＭＳＩ検出期間内の第１のシステムフレームの第１のスロット、すなわち、フレーム番号がＳＦＮ０であるシステムフレーム内でスロットインデックスが０であるスロットに固定される。さらに、検出ウィンドウのオフセットが５スロットのとき、検出ウィンドウの開始位置は、フレーム番号がＳＦＮ０であるシステムフレーム内でスロットインデックスが５であるスロットであり得る。
【０１１０】
隣接する検出ウィンドウが時間において連続し、任意の２つの検出ウィンドウが同じ持続時間を有するとき、端末デバイスは、検出ウィンドウの参照位置、検出ウィンドウのオフセット、及びＳＳ／ＰＢＣＨ  ｂｌｏｃｋのインデックスに基づいて、ＲＭＳＩ検出期間内の任意の検出ウィンドウの開始位置を算出してもよい。
【０１１１】
例えば、端末デバイスは、式Ｉ＋Ｗｉｎｄｏｗ  ｏｆｆｓｅｔ＋ｘ×ＳＳＢ＿ＴＩに基づいて、第ｘの検出ウィンドウの開始位置を算出してもよく、Ｉは、検出ウィンドウの参照位置を表し、ｗｉｎｄｏｗ  ｏｆｆｓｅｔは、検出ウィンドウの参照位置に対するＲＭＳＩ検出期間内の第１の検出ウィンドウの時間オフセットを表し、ＳＳＢ＿ＴＩは、ＳＳ／ＰＢＣＨ  ｂｌｏｃｋの時間インデックスを表す。ＳＳＢ＿ＴＩは、ＲＭＳＩの時間インデックスとして参照されてもよい。
【０１１２】
任意で、ＳＳＢ＿ＴＩは、可能性として伝送されるＳＳ／ＰＢＣＨ  ｂｌｏｃｋの時間インデックスを表してもよく、あるいは実際に伝送されたＳＳ／ＰＢＣＨ  ｂｌｏｃｋの時間インデックスを表してもよい。
【０１１３】
例えば、図３に示すように、検出ウィンドウの参照位置が第１のフレームの第１のスロットであり、ｗｉｎｄｏｗ  ｏｆｆｓｅｔが５スロットであり、検出ウィンドウの持続時間が１スロットであるとき、第２の検出ウィンドウの開始位置は０＋５＋１×２＝７である。換言すれば、第２の検出ウィンドウの開始位置は、第１のフレーム内でインデックスが７であるスロットである。
【０１１４】
ＲＭＳＩがフレームにわたり伝送されるとき、検出ウィンドウが位置するフレームは、式ｋ１＋ｆｌｏｏｒ（（Ｉ＋Ｗｉｎｄｏｗ  ｏｆｆｓｅｔ＋ｘ×ＳＳＢ＿ＴＩ）／Ｎ）を使用することにより算出されてもよく、検出ウィンドウの開始スロットは、式（Ｉ＋Ｗｉｎｄｏｗ  ｏｆｆｓｅｔ＋ｘ×ＳＳＢ＿ＴＩ）  ｍｏｄ  Ｎを使用することにより算出されてもよい。検出ウィンドウの開始位置はシステムフレーム内のスロットの数量に関連し得、あるいはシステムフレームのＳＣＳに関連し得ることが習得できる。本明細書における検出ウィンドウの開始位置は、１つの検出ウィンドウの開始位置であることに留意されたい。
【０１１５】
ＲＭＳＩ監視ウィンドウが重なる（overlap）とき、重なり係数がｋである、換言すればｋ個の監視ウィンドウが重なることを仮定し、検出ウィンドウの開始位置を算出する式は、Ｉ＋Ｗｉｎｄｏｗ  ｏｆｆｓｅｔ＋ｘ×ｆｌｏｏｒ（ＳＳＢ＿ＴＩ／ｋ）である。代替的に、検出ウィンドウが位置するフレームが、式ｋ１＋ｆｌｏｏｒ（（Ｉ＋ｗｉｎｄｏｗ  ｏｆｆｓｅｔ＋ｘ×ｆｌｏｏｒ（ＳＳＢ＿ＴＩ／ｋ））／Ｎを使用することにより算出されてもよく、検出ウィンドウの開始位置は、式（Ｉ＋ｗｉｎｄｏｗ  ｏｆｆｓｅｔ＋ｘ×ｆｌｏｏｒ（ＳＳＢ＿ＴＩ／ｋ））  ｍｏｄ  Ｎを使用することにより算出される。
【０１１６】
端末デバイスにより受信される、可能性として伝送されるＳＳ／ＰＢＣＨ  ｂｌｏｃｋのインデックスは、比較的大きい可能性がある。例えば、ＳＣＳが６０ＫＨｚのＳＳ／ＰＢＣＨ  ｂｌｏｃｋについて、端末デバイスにより受信されるＳＳ／ＰＢＣＨ  ｂｌｏｃｋのインデックスは４５であり得る。１つの検出ウィンドウの持続時間が１スロットである場合、４５スロットが必要とされる。したがって、ＲＭＳＩは少なくとも２つのフレームで受信される必要がある。
【０１１７】
Ｎの値は、ＲＭＳＩ検出期間、ＳＳ／ＰＢＣＨ  ｂｕｒｓｔ  ｓｅｔの期間中に可能性として伝送されるＳＳ／ＰＢＣＨ  ｂｌｏｃｋの数量、ＳＳ／ＰＢＣＨ  ｂｌｏｃｋの周波数帯範囲、端末デバイスのサービスタイプ、上りリンク／下りリンク時間リソース比、サブキャリア間隔、又は検出ウィンドウの持続時間などの情報に基づいて決定されてもよい。
【０１１８】
例えば、ＳＣＳが１５ＫＨｚのとき、Ｎの値は５であり得、ＳＣＳが３０ＫＨｚのとき、Ｎの値は１０であり得、ＳＣＳが６０ＫＨｚのとき、Ｎの値は２０であり得、あるいはＳＣＳが１２０ＫＨｚのとき、Ｎの値は４０であり得る。
【０１１９】
少なくとも２つの隣接する検出ウィンドウは、時間において不連続でもよい。この場合、検出ウィンドウの位置の算出の間、別のオフセットが導入される必要がある。オフセットは、フレームに基づいてもよい。２つの不連続な監視ウィンドウ間のオフセットの一部の情報又は全部の情報が明確であり得、換言すれば、端末デバイスにより習得され得る。
【０１２０】
例えば、第１の検出ウィンドウの位置は、ＲＭＳＩ検出期間内の第ｓのフレーム内にあり、第（ｉ＋１）の検出ウィンドウの位置は、ＲＭＳＩ検出期間内のｓ＋１個のフレーム内にある。この場合、検出ウィンドウの開始位置スロットを算出する方法は、（Ｉ＋Ｗｉｎｄｏｗ  ｏｆｆｓｅｔ＋ｘ×ＳＳＢ＿ＴＩ）  ｍｏｄ  ｉでもよく、ｉは正の整数であり、ｓは正の整数である。
【０１２１】
隣接する検出ウィンドウが時間において不連続であり、隣接する検出ウィンドウの開始位置間にｚスロットの差があるとき、検出ウィンドウが位置するフレームは、式ｓ＋ｆｌｏｏｒ（（Ｉ＋ｗｉｎｄｏｗ  ｏｆｆｓｅｔ＋ｚ×ＳＳＢ＿ＴＩ）／Ｎ）を使用することにより算出されてもよく、検出ウィンドウが位置するスロットは、式（Ｉ＋ｗｉｎｄｏｗ  ｏｆｆｓｅｔ＋ｚ×ＳＳＢ＿ＴＩ）  ｍｏｄ  Ｎを使用することにより算出されてもよい。
【０１２２】
ＲＭＳＩ制御情報及び／又はデータ情報並びにＳＳ／ＰＢＣＨ  ｂｌｏｃｋが周波数分割方式で多重化されるとき、ＲＭＳＩ周波数位置がＲＭＳＩ検出ウィンドウの持続時間に関連してもよく、あるいはＲＭＳＩ検出ウィンドウの開始時間位置に関連してもよい。
【０１２３】
例えば、図４に示すように、ＲＭＳＩ制御情報及び／又はデータ情報の周波数位置並びにＳＳ／ＰＢＣＨ  ｂｌｏｃｋの周波数位置に関する４つのケースがあり得る。最初の３つのケースは、ＲＭＳＩ制御情報及び／又はデータ情報とＳＳ／ＰＢＣＨ  ｂｌｏｃｋとが周波数分割方式で多重化されるとき存在する周波数位置関係を示し、最後のケースは、ＲＭＳＩ制御情報及び／又はデータ情報とＳＳ／ＰＢＣＨ  ｂｌｏｃｋとが時分割方式で多重化されるとき存在する周波数位置関係を示す。
【０１２４】
図４から、ＲＭＳＩの周波数位置は、ＲＭＳＩ及びＳＳ／ＰＢＣＨ  ｂｌｏｃｋが周波数分割方式で多重化されていることを示すことが分かる。ＲＭＳＩ制御情報及び／又はデータ情報の周波数位置とＳＳ／ＰＢＣＨ  ｂｌｏｃｋの周波数位置との間の位置関係は、ＲＭＳＩ検出ウィンドウの持続時間が周波数分割多重化の間の半スロットであることを示すことができ、あるいはＲＭＳＩ検出ウィンドウの開始時間位置が周波数分割多重化の間のＳＳ／ＰＢＣＨ  ｂｌｏｃｋの開始時間位置と同じであることを示すことができる。この場合、ｗｉｎｄｏｗ  ｏｆｆｓｅｔが示される必要はなくてもよい。
【０１２５】
検出ウィンドウの位置は相対的である。例えば、検出ウィンドウの位置がＳＳ／ＰＢＣＨ  ｂｌｏｃｋの位置に対し相対的であるとき、検出ウィンドウの位置は、ＲＭＳＩ検出期間とＳＳ／ＰＢＣＨ  ｂｕｒｓｔ  ｓｅｔの期間との間の関係に基づいて異なる方法を使用することにより決定されてもよい。
【０１２６】
検出ウィンドウの位置が相対的であるとき、検出ウィンドウの位置はさらに、ＲＭＳＩ検出期間とＳＳ／ＰＢＣＨ  ｂｕｒｓｔ  ｓｅｔの期間との間の関係を検出することにより決定されてもよい。
【０１２７】
ＲＭＳＩ検出期間がＳＳ／ＰＢＣＨ  ｂｌｏｃｋの期間に関連するとき、検出ウィンドウの位置は、検出ウィンドウの参照位置が固定されているときに検出ウィンドウの位置を決定する方法を参照して決定されてもよい。検出ウィンドウの参照位置が固定されているときに検出ウィンドウの位置を決定する方法における固定参照位置は、ＳＳ／ＰＢＣＨ  ｂｌｏｃｋの位置で置換される必要があり、あるいは検出ウィンドウの参照位置が固定されているときに検出ウィンドウの位置を決定する方法における固定参照位置は、第ｉの検出ウィンドウの位置を決定するために、第ｉのＳＳ／ＰＢＣＨ  ｂｌｏｃｋの位置で置換される必要があることに留意されたい。
【０１２８】
ＲＭＳＩのＳＣＳがＳＳ／ＰＢＣＨ  ｂｌｏｃｋのＳＣＳと異なるとき、検出ウィンドウの参照位置及び／又は検出ウィンドウのオフセットは、同じＳＣＳに基づく値にコンバートされてもよく、次いで、検出ウィンドウの位置は、ＲＭＳＩのＳＣＳがＳＳ／ＰＢＣＨのＳＣＳと同じであるときに検出ウィンドウの位置を決定する方法に基づいて決定される。
【０１２９】
ＲＭＳＩのＳＣＳがＳＳ／ＰＢＣＨ  ｂｌｏｃｋのＳＣＳと同じであるとき、検出ウィンドウの位置は、検出ウィンドウの参照位置が固定されているときに検出ウィンドウの位置を決定する方法を参照して決定されてもよい。検出ウィンドウの参照位置が固定されているときに検出ウィンドウの位置を決定する方法における固定参照位置は、ＳＳ／ＰＢＣＨ  ｂｌｏｃｋの位置で置換される必要があり、あるいは検出ウィンドウの参照位置が固定されているときに検出ウィンドウの位置を決定する方法における固定参照位置は、第ｉの検出ウィンドウの位置を決定するために、第ｉのＳＳ／ＰＢＣＨ  ｂｌｏｃｋの位置で置換される必要があることに留意されたい。
【０１３０】
ＲＭＳＩ検出期間がＳＳ／ＰＢＣＨ  ｂｕｒｓｔ  ｓｅｔの期間と無関係であるとき、ＲＭＳＩ期間内のＳＳ  ｂｕｒｓｔ  ｓｅｔ０内のＳＳ／ＰＢＣＨ  ｂｌｏｃｋ０が位置するスロットが、検出ウィンドウの参照位置として使用されてもよく、ＲＭＳＩ期間内のＳＳ  ｂｕｒｓｔ  ｓｅｔ  ｎ内のＳＳ／ＰＢＣＨ  ｂｌｏｃｋ０が位置するスロットが、参照位置として使用されてもよく、ＲＭＳＩ期間内のＳＳ  ｂｕｒｓｔ  ｓｅｔ０内のＳＳ／ＰＢＣＨ  ｂｌｏｃｋ  ｎが位置するスロットが、参照位置として使用されてもよく、ＲＭＳＩ期間内のＳＳ  ｂｕｒｓｔ  ｓｅｔ  ｎ内のＳＳ／ＰＢＣＨ  ｂｌｏｃｋ  ｎが位置するスロットが、参照位置として使用されてもよく、ＲＭＳＩ期間内のＳＳ  ｂｕｒｓｔ  ｓｅｔ０内のＳＳ／ＰＢＣＨ  ｂｌｏｃｋ０が位置するミニスロットが、参照位置として使用されてもよく、ＲＭＳＩ期間内のＳＳ  ｂｕｒｓｔ  ｓｅｔ０内のＳＳ／ＰＢＣＨ  ｂｌｏｃｋ  ｎが位置するミニスロットが、参照位置として使用されてもよく、ＲＭＳＩ期間内のＳＳ  ｂｕｒｓｔ  ｓｅｔ  ｎ内のＳＳ／ＰＢＣＨ  ｂｌｏｃｋ０が位置するミニスロットが、参照位置として使用されてもよく、ＲＭＳＩ期間内のＳＳ  ｂｕｒｓｔ  ｓｅｔ  ｎ内のＳＳ／ＰＢＣＨ  ｂｌｏｃｋ  ｎが位置するミニスロットが、参照位置として使用されてもよく、ＲＭＳＩ期間内のＳＳ  ｂｕｒｓｔ  ｓｅｔ０内のＳＳ／ＰＢＣＨ  ｂｌｏｃｋ０が位置する第１のシンボルが、参照位置として使用されてもよく、ＲＭＳＩ期間内のＳＳ  ｂｕｒｓｔ  ｓｅｔ０内のＳＳ／ＰＢＣＨ  ｂｌｏｃｋ  ｎが位置する第１のシンボルが、参照位置として使用されてもよく、ＲＭＳＩ期間内のＳＳ  ｂｕｒｓｔ  ｓｅｔ  ｎ内のＳＳ／ＰＢＣＨ  ｂｌｏｃｋ０が位置する第１のシンボルが、参照位置として使用されてもよく、あるいはＲＭＳＩ期間内のＳＳ  ｂｕｒｓｔ  ｓｅｔ  ｎ内のＳＳ／ＰＢＣＨ  ｂｌｏｃｋ  ｎが位置する第１のシンボルが、参照位置として使用されてもよい。例えば、ＲＭＳＩ検出期間内の第１のＳＳ／ＰＢＣＨ  ｂｕｒｓｔ  ｓｅｔ内の第１のＳＳ／ＰＢＣＨ  ｂｌｏｃｋが、参照位置として使用される。
【０１３１】
ＲＭＳＩ検出期間がＳＳ／ＰＢＣＨ  ｂｌｏｃｋの期間と無関係であり、ＲＭＳＩ期間が不明であり、又はＳＳ／ＰＢＣＨ  ｂｌｏｃｋの期間が不明なとき、あるいは他の場合、端末デバイスがＳＳ／ＰＢＣＨ  ｂｌｏｃｋを検出した後、端末デバイスは、ＳＳ／ＰＢＣＨ  ｂｌｏｃｋの位置に基づいて検出ウィンドウの位置を決定できない。この場合、端末デバイスは５つの方法を使用することによりＲＭＳＩを受信してもよい。
【０１３２】
第１の方法では、端末デバイスは、検出ウィンドウの位置を決定するために、検出ウィンドウをブラインド検出する。
【０１３３】
例えば、ＳＳ／ＰＢＣＨ  ｂｌｏｃｋを検出した後、端末デバイスは、ＲＭＳＩが伝送され得る複数の時間ウィンドウをブラインド検出する。各時間ウィンドウの持続時間は、５ｍｓ又は１０ｍｓであり得る。
【０１３４】
第２の方法では、ネットワークデバイスは、ＰＢＣＨを使用することにより、ＳＳ／ＰＢＣＨ  ｂｌｏｃｋに関連づけられた検出ウィンドウの位置を示し、あるいは検出ウィンドウの参照位置として使用されるＳＳ／ＰＢＣＨ  ｂｕｒｓｔ  ｓｅｔの位置を示す。ネットワークデバイスは、ネットワークデバイスの指示に基づいてＲＭＳＩウィンドウの位置を算出する。
【０１３５】
ＲＭＳＩは、ＳＳ／ＰＢＣＨ  ｂｌｏｃｋに関連づけられたＲＭＳＩ監視ウィンドウの位置が、ＲＭＳＩに関連づけられたＳＳ  ｂｕｒｓｔ  ｓｅｔが位置するフレームであり、１つのＲＭＳＩ期間内のＳＳ  ｂｕｒｓｔ  ｓｅｔが位置するフレームの位置でもよく、あるいはＲＭＳＩとＳＳ／ＰＢＣＨ  ｂｕｒｓｔ  ｓｅｔとの間の伝送時間間隔（transmission  time  interval、ＴＴＩ）が位置するフレームの位置でもよいことを示し、３ビットが、８８個のフレーム位置を示すために使用されてもよく、２ビットが、４つのフレーム位置を示すために使用されてもよく、あるいは１ビットが、２つのフレーム位置を示すために使用されてもよい。
【０１３６】
第３の方法では、ネットワークデバイスは、ＰＢＣＨを使用することによりＳＳ／ＰＢＣＨ  ｂｕｒｓｔ  ｓｅｔの期間を示す。端末デバイスは、ＳＳ／ＰＢＣＨ  ｂｕｒｓｔ  ｓｅｔ内のＳＳ  ｂｌｏｃｋを検出した後、受信したＳＳ／ＰＢＣＨ  ｂｌｏｃｋのフレーム情報、スロット情報、シンボル情報などの情報に基づいて、検出ウィンドウの参照位置として使用されるＳＳ／ＰＢＣＨ  ｂｕｒｓｔ  ｓｅｔ内の位置を決定して、検出ウィンドウの開始位置を決定してもよい。
【０１３７】
第４の方法では、ネットワークデバイスは、ＰＢＣＨを使用することにより、ＰＢＣＨが位置するＳＳ／ＰＢＣＨ  ｂｕｒｓｔ  ｓｅｔがＲＭＳＩ検出期間内の検出ウィンドウセットに関連づけられてＲＭＳＩ位置を決定するかどうか、又はＰＢＣＨが位置するＳＳ／ＰＢＣＨ  ｂｕｒｓｔ  ｓｅｔがＲＭＳＩ検出ウィンドウの参照ＳＳ／ＰＢＣＨ  ｂｕｒｓｔ  ｓｅｔであるかどうかを示す。例えば、１ビットが指示に使用されてもよい。ＳＳ／ＰＢＣＨ  ｂｕｒｓｔ  ｓｅｔ内のＳＳ／ＰＢＣＨ  ｂｌｏｃｋを検出した後、端末デバイスは、情報に基づいて、ＰＢＣＨが位置するＳＳ／ＰＢＣＨ  ｂｕｒｓｔ  ｓｅｔがＲＭＳＩ検出期間内の検出ウィンドウセットに関連づけられてＲＭＳＩ位置を決定するかどうか、又はＰＢＣＨが位置するＳＳ／ＰＢＣＨ  ｂｕｒｓｔ  ｓｅｔがＲＭＳＩ検出ウィンドウの参照ＳＳ／ＰＢＣＨ  ｂｕｒｓｔ  ｓｅｔであるかどうかを決定し、次いで、次回のＳＳ／ＰＢＣＨ  ｂｕｒｓｔ  ｓｅｔ又はＳＳ／ＰＢＣＨ  ｂｌｏｃｋを検出するかどうかを決定する。
【０１３８】
第５の方法は、前述の方法の組み合わせである。
【０１３９】
ＲＭＳＩ検出期間がＳＳ／ＰＢＣＨ  ｂｕｒｓｔ  ｓｅｔの期間に関連するとき、ＲＭＳＩ検出期間とＳＳ／ＰＢＣＨ  ｂｕｒｓｔ  ｓｅｔの期間との間の関係は、以下のうち任意の１つでもよい：ＲＭＳＩ検出期間がＳＳ／ＰＢＣＨ  ｂｌｏｃｋの期間と同じであること、ＲＭＳＩ検出期間がＳＳ／ＰＢＣＨ  ｂｌｏｃｋの期間の整数倍であること、及びＲＭＳＩ検出期間がＳＳ／ＰＢＣＨ  ｂｌｏｃｋの期間より大きいこと、及びＲＭＳＩ検出期間がＳＳ／ＰＢＣＨ  ｂｌｏｃｋの期間の分数倍又は小数倍であること。
【０１４０】
ＲＭＳＩ検出期間がＳＳ／ＰＢＣＨ  ｂｌｏｃｋの期間と異なるとき、ＲＭＳＩ検出期間は固定されていてもよく、あるいは固定されていなくてもよい。例えば、固定ＲＭＳＩ検出期間は、２０ｍｓ又は４０ｍｓでもよい。
【０１４１】
ＲＭＳＩ検出期間が固定されていないとき、ＲＭＳＩ検出期間は、ＳＳ／ＰＢＣＨ  ｂｕｒｓｔ  ｓｅｔの期間の倍数でもよい。具体的に、倍数は、整数倍、例えば２倍でもよく、あるいは分数倍、例えば１／２倍でもよい。
【０１４２】
ＲＭＳＩ検出期間がＳＳ／ＰＢＣＨ  ｂｌｏｃｋの期間と同じであるとき、検出ウィンドウの参照位置は、ＳＳ／ＰＢＣＨ  ｂｕｒｓｔ  ｓｅｔ内の第１のＳＳ／ＰＢＣＨ  ｂｌｏｃｋの位置に基づいて決定されてもよく、あるいは第ｉの検出ウィンドウの位置は、ＳＳ／ＰＢＣＨ  ｂｕｒｓｔ  ｓｅｔ内の第１のＳＳ／ＰＢＣＨ  ｂｌｏｃｋの位置に基づいて決定されてもよい。
【０１４３】
以下では、ＲＭＳＩ検出期間がＳＳ／ＰＢＣＨ  ｂｌｏｃｋの期間と同じであるときに検出ウィンドウの参照位置を決定し、参照位置に基づいて検出ウィンドウの位置をさらに決定するために端末デバイスにより使用される方法について説明する。
【０１４４】
ＲＭＳＩ検出期間がＳＳ／ＰＢＣＨ  ｂｌｏｃｋの期間と同じであるケースがさらに分割された後に得られる２つのケースを以下に説明する。一方のケースでは、検出ウィンドウの参照位置は、ＳＳ／ＰＢＣＨ  ｂｌｏｃｋの位置に関連する。他方のケースでは、ＲＭＳＩ期間内の第ｉの検出ウィンドウの参照位置は、ＳＳ／ＰＢＣＨ  ｂｕｒｓｔ  ｓｅｔにおける第ｉのＳＳ／ＰＢＣＨ  ｂｌｏｃｋの位置に関連する。
【０１４５】
ＲＭＳＩ検出期間がＳＳ／ＰＢＣＨ  ｂｌｏｃｋの期間と同じである一例を図５に示す。ＲＭＳＩ検出期間及びＳＳ／ＰＢＣＨ  ｂｌｏｃｋの期間は各々４０ｍｓである。
【０１４６】
以下では、検出ウィンドウの参照位置がＳＳ／ＰＢＣＨ  ｂｌｏｃｋの位置に関連するときに検出ウィンドウの参照位置を決定し、参照位置に基づいて検出ウィンドウの位置をさらに決定するために端末デバイスにより使用される方法について説明する。
【０１４７】
ＲＭＳＩ検出期間がＳＳ／ＰＢＣＨ  ｂｌｏｃｋの期間と同じとき、検出ウィンドウの参照位置は、ＳＳ／ＰＢＣＨ  ｂｕｒｓｔ  ｓｅｔ内の第１のＳＳ／ＰＢＣＨ  ｂｌｏｃｋの位置であり得る。このようにして、ＳＳ／ＰＢＣＨ  ｂｌｏｃｋを検出した後、端末デバイスは、ＲＭＳＩ検出期間に基づいてＳＳ／ＰＢＣＨ  ｂｌｏｃｋの期間を推論し、受信したＳＳ／ＰＢＣＨ  ｂｌｏｃｋのインデックスに基づいて、ＳＳ／ＰＢＣＨ  ｂｕｒｓｔ  ｓｅｔ内の最初に可能性として伝送されるＳＳ／ＰＢＣＨ  ｂｌｏｃｋの位置を推論し、その位置を検出ウィンドウの参照位置として使用してもよい。
【０１４８】
次いで、式Ｏ＋Ｗｉｎｄｏｗ  ｏｆｆｓｅｔ＋ｘ×ＳＳＢ＿ＴＩを使用することにより、第（ＳＳＢ＿ＴＩ）の検出ウィンドウの位置が推論され得る。ＳＳＢ＿ＴＩは、０から始まるＳＳ／ＰＢＣＨ  ｂｌｏｃｋの時間インデックスである。Ｏは、ＳＳ／ＰＢＣＨ  ｂｕｒｓｔ  ｓｅｔ内の第１のＳＳ／ＰＢＣＨ  ｂｌｏｃｋの位置であり、スロット０又はスロットｎであり得、サブフレーム０又はサブフレームｎであり得、あるいはミニスロット０又はミニスロットｎであり得る。
【０１４９】
Ｏがスロット０のとき、Ｏは式中に存在しなくてもよい。換言すれば、式は、Ｗｉｎｄｏｗ  ｏｆｆｓｅｔ＋ｘ×ＳＳＢ＿ＴＩに簡素化され得る。
【０１５０】
ｗｉｎｄｏｗ  ｏｆｆｓｅｔの特徴は、検出ウィンドウの参照位置が固定されているときのｗｉｎｄｏｗ  ｏｆｆｓｅｔの特徴を含み得る。詳細はここで再度説明されない。
【０１５１】
さらに、ＦＤＭ又はＴＤＭを示すためのデータビットが、ｗｉｎｄｏｗ  ｏｆｆｓｅｔを示すために使用されてもよい。例えば、ＦＤＭを示すためのデータビット値は、検出ウィンドウの開始位置が、検出ウィンドウの参照位置として使用されるＳＳ  ｂｕｒｓｔ  ｓｅｔ内のＳＳ  ｂｌｏｃｋの位置と同じであることを示すことができ、ｉは、０〜Ｎのうち任意の値であり、Ｎは、ＲＭＳＩ検出期間内の検出ウィンドウの数量である。
【０１５２】
例えば、ＴＤＭを示すためのデータビットは、検出ウィンドウの参照位置が、検出ウィンドウの参照位置として使用されるＳＳ  ｂｕｒｓｔ  ｓｅｔ内のＳＳ  ｂｌｏｃｋの位置と半フレームだけ異なることを示すことができる。
【０１５３】
ＳＳ  ｂｌｏｃｋのＳＣＳがＲＭＳＩのＳＣＳと異なるとき、ＳＳ  ｂｌｏｃｋのＳＣＳに基づいて定義されるｗｉｎｄｏｗ  ｏｆｆｓｅｔが使用されてもよく、あるいはＲＭＳＩのＳＣＳに基づいて定義されるｗｉｎｄｏｗ  ｏｆｆｓｅｔが使用されてもよい。
【０１５４】
検出ウィンドウの参照位置として使用されるＳＳ  ｂｌｏｃｋの位置におけるスロットの単位は、ＳＳ  ｂｌｏｃｋのＳＣＳに基づいて定義されてもよく、あるいはＲＭＳＩのＳＣＳに基づいて定義されてもよい。
【０１５５】
さらに、ｗｉｎｄｏｗ  ｏｆｆｓｅｔは半フレームに基づくものではない。ｗｉｎｄｏｗ  ｏｆｆｓｅｔのサイズはｎスロットである。スロットの単位は、ＳＳ  ｂｌｏｃｋのＳＣＳに基づいてもよく、あるいはＲＭＳＩのＳＣＳに基づいてもよい。
【０１５６】
ＲＭＳＩ検出ウィンドウの開始位置を算出する第１の方法は、以下を含み得る：Ｏの値が、ＳＳ／ＰＢＣＨ  ｂｌｏｃｋのＳＣＳに基づき、ｗｉｎｄｏｗ  ｏｆｆｓｅｔは、ＲＭＳＩのＳＣＳに基づき、Ｏの値は、ＲＭＳＩのＳＣＳに変換される。ＲＭＳＩのＳＣＳがＳＳ／ＰＢＣＨ  ｂｌｏｃｋのＳＣＳより大きいとき、Ｏを変換した後に得られる値は、Ｏ＿ＲＭＳＩ＝Ｏ×ｍであり、ｍは、ＲＭＳＩのＳＣＳとＳＳ／ＰＢＣＨ  ｂｌｏｃｋのＳＣＳとの間の倍数関係を表す。ＲＭＳＩのＳＣＳがＳＳ／ＰＢＣＨ  ｂｌｏｃｋのＳＣＳより小さいとき、Ｏを変換した後に得られる値は、Ｏ＿ＲＭＳＩ＝ｆｌｏｏｒ（Ｏ／ｍ）であり、ｍは、ＳＳ／ＰＢＣＨ  ｂｌｏｃｋのＳＣＳとＲＭＳＩのＳＣＳとの間の倍数関係を表す。
【０１５７】
Ｏ＿ＲＭＳＩを算出する前述の式は、Ｏ＿ＲＭＳＩ＝ｆｌｏｏｒ（Ｏ×ｍ）へ組み合わせられてもよく、ｍは、ＳＳ／ＰＢＣＨ  ｂｌｏｃｋのＳＣＳがＲＭＳＩのＳＣＳの分数倍又は整数倍であることを表し得る。
【０１５８】
Ｏ＿ＲＭＳＩが算出された後、ＲＭＳＩ検出ウィンドウの特定の位置は、式Ｏ＿ＲＭＳＩ＋Ｗｉｎｄｏｗ  ｏｆｆｓｅｔ＋ｘ×ＳＳＢ＿ＴＩを使用することにより算出されてもよく、ｘは、検出ウィンドウの持続時間であり、ＳＳＢ＿ＴＩは、検出ウィンドウの時間インデックス又はＳＳ／ＰＢＣＨ  ｂｌｏｃｋのインデックスである。
【０１５９】
ＲＭＳＩ検出ウィンドウの開始位置を算出する第２の方法は、以下を含み得る：Ｏの値が、ＳＳ／ＰＢＣＨ  ｂｌｏｃｋのＳＣＳに基づき、ｗｉｎｄｏｗ  ｏｆｆｓｅｔは、ＳＳ／ＰＢＣＨ  ｂｌｏｃｋのＳＣＳに基づき、Ｏ＋Ｗｉｎｄｏｗ  ｏｆｆｓｅｔの値が、ＲＭＳＩのＳＣＳに変換される。
【０１６０】
ＲＭＳＩのＳＣＳがＳＳ／ＰＢＣＨ  ｂｌｏｃｋのＳＣＳより大きいとき、Ｏ＋Ｗｉｎｄｏｗ  ｏｆｆｓｅｔを変換した後に得られる値は、（Ｏ＋Ｗｉｎｄｏｗ  ｏｆｆｓｅｔ）×ｍであり、ｍは、ＲＭＳＩのＳＣＳとＳＳ  ｂｌｏｃｋ／ＰＢＣＨのＳＣＳとの間の倍数関係を表す。ＲＭＳＩのＳＣＳがＳＳ／ＰＢＣＨ  ｂｌｏｃｋのＳＣＳより小さいとき、Ｏ＋ｗｉｎｄｏｗ  ｏｆｆｓｅｔを変換した後に得られる値は、ｆｌｏｏｒ（（Ｏ＋Ｗｉｎｄｏｗ  ｏｆｆｓｅｔ）／ｍ）であり、ｍは、ＳＳ／ＰＢＣＨ  ｂｌｏｃｋのＳＣＳとＲＭＳＩのＳＣＳとの間の倍数関係を表す。
【０１６１】
Ｏ＋Ｗｉｎｄｏｗ  ｏｆｆｓｅｔを変換する２つの式は、ｆｌｏｏｒ（（Ｏ＋Ｗｉｎｄｏｗ  ｏｆｆｓｅｔ）×ｍ）へ組み合わせられてもよい。ｍは、ＳＳ／ＰＢＣＨ  ｂｌｏｃｋのＳＣＳとＲＭＳＩのＳＣＳとの間の倍数関係を表し、ｍは、分数倍を表すことがあり、あるいは整数倍を表すことがある。
【０１６２】
（Ｏ＋Ｗｉｎｄｏｗ  ｏｆｆｓｅｔ）×ｍ）が算出された後、次いで、ＲＭＳＩ検出ウィンドウの特定の位置は、式ｆｌｏｏｒ（（Ｏ＋Ｗｉｎｄｏｗ  ｏｆｆｓｅｔ）×ｍ）＋ｘ×ＳＳＢ＿ＴＩを使用することにより算出される。
【０１６３】
代替的に、ＲＭＳＩ検出ウィンドウの開始位置又は特定の位置は、１つのフレーム内で伝送される検出ウィンドウの最大数量Ｎに基づいて決定されてもよい。
【０１６４】
例えば、ＳＳ／ＰＢＣＨ  ｂｕｒｓｔ  ｓｅｔが位置するフレームのフレーム番号がｋ１である場合、ＲＭＳＩ検出ウィンドウのインデックス又はＲＭＳＩに関連づけられたＳＳ／ＰＢＣＨ  ｂｌｏｃｋの時間インデックスがＮより大きいとき、ＲＭＳＩは、フレーム番号がｋ１＋１であるフレーム内で伝送され得る。
【０１６５】
ｆｌｏｏｒ（（ｆｌｏｏｒ（（Ｏ＋Ｗｉｎｄｏｗ  ｏｆｆｓｅｔ）×ｍ）＋ｘ×ＳＳＢ＿ＴＩ）／Ｎ）＝ｋ２の場合、ＲＭＳＩ検出ウィンドウは、フレーム番号がｋ１＋ｋ２のフレームで伝送される。
【０１６６】
（ｆｌｏｏｒ（（Ｏ＋Ｗｉｎｄｏｗ  ｏｆｆｓｅｔ）×ｍ）＋ｘ×ＳＳＢ＿ＴＩ）  ｍｏｄ  Ｎ＝ｋ３の場合、フレーム番号がｋ１＋ｋ２のフレーム内のＲＭＳＩ検出ウィンドウのスロット位置は、ｆｌｏｏｒ（（Ｏ＋Ｗｉｎｄｏｗ  ｏｆｆｓｅｔ）×ｍ）＋ｋ３×ＳＳＢ＿ＴＩである。
【０１６７】
ｗｉｎｄｏｗ  ｏｆｆｓｅｔの指示情報は、他の情報と多重化されてもよい。例えば、ＲＭＳＩ及びＳＳ／ＰＢＣＨ  ｂｌｏｃｋが周波数分割方式で多重化されているとき、ＲＭＳＩのＳＣＳはＳＳ／ＰＢＣＨ  ｂｌｏｃｋのＳＣＳと同じであるため、ＳＣＳを示す１ビットのデータが、ｗｉｎｄｏｗ  ｏｆｆｓｅｔのいくつかの値又は全ての値を示すために使用されてもよく、あるいは１ビットが、ｗｉｎｄｏｗ  ｏｆｆｓｅｔを示す情報のいくつかのデータビットとして使用される。例えば、ｗｉｎｄｏｗ  ｏｆｆｓｅｔを示す情報のデータビットが１ビットであり、０ｍｓ又は５ｍｓが示されているとき、その１ビットは指示のためにさらに使用される。前者の場合、ビットは１５ｍｓ及び１０ｍｓを示す。後者の場合、２ビットあり、００は０ｍｓを表し、０１は５ｍｓを表し、１０は１０ｍｓを表し、１１は１５ｍｓを表す。
【０１６８】
ＲＭＳＩ及びＳＳ／ＰＢＣＨ  ｂｌｏｃｋが周波数分割方式で多重化されているとき、各ＲＭＳＩ監視ウィンドウの持続時間は０．５ｍｓでもよい。したがって、検出ウィンドウの持続時間は構成されなくてもよい。このようにして、検出ウィンドウの持続時間を示すデータビットが、ｗｉｎｄｏｗ  ｏｆｆｓｅｔを示すために使用されてもよい。例えば、ｗｉｎｄｏｗ  ｏｆｆｓｅｔを示す情報のデータビットが１ビットであり、検出ウィンドウの持続時間を示す情報が１ビットであり、０ｍｓ又は５ｍｓが示されているとき、その１ビットは指示のためにさらに使用される。前者の場合、ビットは１５ｍｓ及び１０ｍｓを示す。後者の場合、２ビットあり、００は０ｍｓを表し、０１は５ｍｓを表し、１０は１０ｍｓを表し、１１は１５ｍｓを表す。
【０１６９】
異なる検出ウィンドウは、異なるｗｉｎｄｏｗ  ｏｆｆｓｅｔを有してもよい。少なくとも２つの隣接ｗｉｎｄｏｗ  ｏｆｆｓｅｔは同じでもよく、あるいは少なくとも２つの隣接ｗｉｎｄｏｗ  ｏｆｆｓｅｔは異なってもよい。例えば、１つのフレームが１０スロットを有するとき、最初の５スロットが下りリンク伝送に使用されてもよく、最後の５スロットが上りリンク伝送に使用される。ＲＭＳＩ監視ウィンドウの開始位置は、スロット３から開始する。４つのＲＭＳＩ検出ウィンドウがあり、各検出ウィンドウの持続時間は１スロットである。この場合、上りリンクデータ伝送スロットを回避するために、最後のＲＭＳＩ監視ウィンドウのオフセットは５スロットである。最後の監視ウィンドウのオフセットは、前の３つの監視ウィンドウのオフセットとは異なる。
【０１７０】
ＲＭＳＩ制御情報及び／又はデータ情報並びにＳＳ／ＰＢＣＨが周波数分割方式で多重化されているとき、ＲＭＳＩ周波数位置は、ＲＭＳＩ検出ウィンドウの持続時間に関連し得、あるいはＲＭＳＩ検出ウィンドウの開始位置に関連し得る。
【０１７１】
ＲＭＳＩ制御情報及び／又はデータ情報の周波数位置とＳＳ／ＰＢＣＨの周波数位置との関係は図３に示されている。詳細はここで再度説明されない。
【０１７２】
ＲＭＳＩ制御情報の周波数位置、ＲＭＳＩ検出ウィンドウの持続時間、及びＲＭＳＩ検出ウィンドウ又はｗｉｎｄｏｗ  ｏｆｆｓｅｔの位置は、連帯的に構成されてもよい。ＲＭＳＩの前述の構成パラメータは、ＲＭＳＩ検出期間及び／又はＳＳ／ＰＢＣＨ  ｂｕｒｓｔ  ｓｅｔの期間に関連し得る。ＲＭＳＩの前述のパラメータは、インデックス指示方法を使用することにより構成されてもよい。例えば、表１に示すように、表１のケースは、４ビットを使用することにより代替的に示され得る。時分割におけるＲＭＳＩ検出ウィンドウの持続時間情報又はＲＭＳＩの位置情報が追加され、表２に示される。表２は一例であり、表２の一部又は全部の値が実際の状況で使用され得る。
【表１】
2021503817.tif 000003
【表２】
2021503817.tif 000004
【０１７３】
ＲＭＳＩ検出ウィンドウは重なる場合がある。換言すれば、１つのＲＭＳＩ検出ウィンドウは複数のＳＳ／ＰＢＣＨ  ｂｌｏｃｋに関連づけられ得る。関連づけられるＳＳ／ＰＢＣＨ  ｂｌｏｃｋの数量は構成されてもよく、あるいはプロトコルで規定されてもよい。
【０１７４】
ＲＭＳＩ監視ウィンドウが重なるとき、１つのＲＭＳＩ検出ウィンドウ内で送信される複数のＲＭＳＩ制御情報は、それぞれ、異なるＳＳ／ＰＢＣＨ  ｂｌｏｃｋに対応し得る。
【０１７５】
複数のＲＭＳＩが１つのスロット内で送信されるとき、ＲＭＳＩ検出ウィンドウ内のＲＭＳＩ情報が時間シーケンスで送信され得、あるいは周波数シーケンスで送信され得ることが予め定義されてもよい。
【０１７６】
例えば、第１のＲＭＳＩ制御情報がスロット内の第１のシンボルで送信され、第２のＲＭＳＩ制御情報がスロット内の第２のシンボルで送信されることを、プロトコルで規定されてもよく、又はネットワークデバイスが示してもよく、あるいは、
第１のＲＭＳＩ制御情報がスロット内の第２のシンボルで送信され、第２のＲＭＳＩ制御情報がスロット内の第３のシンボルで送信されることを、プロトコルで規定されてもよく、又はネットワークデバイスが示してもよく、あるいは、
第１のＲＭＳＩ制御情報がスロット内の第１のシンボルで送信され、第２のＲＭＳＩ制御情報がスロット内の第３のシンボルで送信されることを、プロトコルで規定されてもよく、又はネットワークデバイスが示してもよく、あるいは、
第１のＲＭＳＩ制御情報がスロット内の第１のシンボルで送信され、第２のＲＭＳＩ制御情報がスロット内の第２のシンボルで送信され、第３のＲＭＳＩ制御情報がスロット内の第３のシンボルで送信されることを、プロトコルで規定されてもよく、又はネットワークデバイスが示してもよく、あるいは、
第１のＲＭＳＩ制御情報がスロット内の第１又は第２のシンボルで送信され、第２のＲＭＳＩ制御情報がスロット内の第３のシンボルで送信されることを、プロトコルで規定されてもよく、又はネットワークデバイスが示してもよく、あるいは、
第１のＲＭＳＩ制御情報がスロット内の第１のシンボルで送信され、第２のＲＭＳＩ制御情報がスロット内の第２又は第３のシンボルで送信されることを、プロトコルで規定されてもよく、又はネットワークデバイスが示してもよく、あるいは、
第１のＲＭＳＩ制御情報がスロット内の第１のシンボルで送信され、第２のＲＭＳＩ制御情報がスロット内の第７のシンボルで送信されることを、プロトコルで規定されてもよく、又はネットワークデバイスが示してもよい。
【０１７７】
以下では、ＲＭＳＩ検出期間がＳＳ／ＰＢＣＨ  ｂｌｏｃｋの期間と同じであり、第ｉのＲＭＳＩ検出ウィンドウの参照位置がＳＳ  ｂｕｒｓｔ  ｓｅｔ内の第ｉのＳＳ／ＰＢＣＨ  ｂｌｏｃｋの位置に関連するケースについて説明する。
【０１７８】
ＲＭＳＩ検出期間がＳＳ／ＰＢＣＨ  ｂｌｏｃｋの期間と同じであるとき、ＳＳ  ｂｕｒｓｔ  ｓｅｔ内の第ｉのＳＳ／ＰＢＣＨ  ｂｌｏｃｋの位置は、第ｉのＲＭＳＩ検出ウィンドウの参照位置Ｏとして使用されてもよい。
【０１７９】
このようにして、第ｉのＳＳ／ＰＢＣＨ  ｂｌｏｃｋを検出した後、端末デバイスは、第ｉのＳＳ／ＰＢＣＨ  ｂｌｏｃｋに対する第ｉのＲＭＳＩ検出ウィンドウのオフセットに基づいて、第ｉのＲＭＳＩ検出ウィンドウの位置を決定してもよい。ＲＭＳＩ検出ウィンドウとＳＳ／ＰＢＣＨ  ｂｌｏｃｋとはＱＣＬ関係にあり得る。
【０１８０】
ＳＳ／ＰＢＣＨ  ｂｌｏｃｋが半スロットに基づき、ＲＭＳＩ検出ウィンドウがスロットに基づくとき、第ｉのＲＭＳＩ検出ウィンドウの開始位置は、検出ウィンドウに関連づけられたＳＳ／ＰＢＣＨ  ｂｌｏｃｋのインデックス及び検出ウィンドウの持続時間に関連する。
【０１８１】
第ｉのＳＳ／ＰＢＣＨ  ｂｌｏｃｋに対する第ｉのＲＭＳＩ検出ウィンドウのオフセットは、複数の方式で構成され得る。
【０１８２】
１つの方法では、各ＳＳ／ＰＢＣＨ  ｂｌｏｃｋ内のＰＢＣＨコンテンツは一意的である。このようにして、ＳＳ／ＰＢＣＨ  ｂｌｏｃｋとＱＣＬ関係にある各ＲＭＳＩ検出ウィンドウに対する各ＳＳ／ＰＢＣＨ  ｂｌｏｃｋのオフセットの特定の値がＰＢＣＨコンテンツに配置される。この場合、ＲＭＳＩ検出ウィンドウの位置は、式Ｏ＿ＳＳｉ＋Ｔｉｍｅ  ｏｆｆｅｓｔｉを使用することにより算出されてもよく、Ｏ＿ＳＳｉは、第ｉのＳＳ／ＰＢＣＨ  ｂｌｏｃｋの位置を表し、Ｔｉｍｅ  ｏｆｆｓｅｔｉは、第ｉのＲＭＳＩ検出ウィンドウに対する第ｉのＳＳ／ＰＢＣＨ  ｂｌｏｃｋの位置のオフセットを表す。
【０１８３】
ＲＭＳＩ検出ウィンドウの開始位置の参照位置Ｏ＿ＳＳｉは、ＲＭＳＩのＳＣＳ又はＳＳ／ＰＢＣＨ  ｂｌｏｃｋのＳＣＳに関連し得る。
【０１８４】
Ｏ＿ＳＳｉの値及びＴｉｍｅ  ｏｆｆｓｅｔｉの値が双方ともＲＭＳＩのＳＣＳに基づくとき、ＲＭＳＩ検出ウィンドウの開始位置は、式Ｏ＿ＳＳｉ＋Ｔｉｍｅ  ｏｆｆｓｅｔｉを使用することにより直接算出されてもよい。
【０１８５】
Ｏ＿ＳＳｉがＳＳ／ＰＢＣＨ  ｂｌｏｃｋのＳＣＳに基づき、Ｔｉｍｅ  ｏｆｆｓｅｔｉがＲＭＳＩのＳＣＳに基づくとき、Ｏ＿ＳＳｉの値は、ＲＭＳＩのＳＣＳに最初変換されてもよい。
【０１８６】
ＲＭＳＩのＳＣＳがＳＳ／ＰＢＣＨ  ｂｌｏｃｋのＳＣＳより大きいとき、Ｏ＿ＳＳｉをＲＭＳＩのＳＣＳに変換した後に得られる値は、Ｏ＿ＲＭＳＩｉ＝Ｏ＿ＳＳｉ×ｍであり、ｍは、ＳＳ／ＰＢＣＨ  ｂｌｏｃｋのＳＣＳに対するＲＭＳＩのＳＣＳの倍数を表す。
【０１８７】
ＲＭＳＩのＳＣＳがＳＳ／ＰＢＣＨ  ｂｌｏｃｋのＳＣＳより小さいとき、Ｏ＿ＳＳｉをＲＭＳＩのＳＣＳに変換した後に得られる値は、Ｏ＿ＲＭＳＩｉ＝ｆｌｏｏｒ（Ｏ＿ＳＳｉ／ｍ）であり、ｍは、ＲＭＳＩのＳＣＳに対するＳＳ／ＰＢＣＨ  ｂｌｏｃｋのＳＣＳの倍数を表す。
【０１８８】
Ｏ＿ＳＳｉを変換する前述の式は、Ｏ＿ＲＭＳＩｉ＝ｆｌｏｏｒ（Ｏ＿ＳＳｉ×ｍ）へ組み合わせられてもよく、ｍは、ＲＭＳＩのＳＣＳに対するＳＳ／ＰＢＣＨ  ｂｌｏｃｋのＳＣＳの倍数を表す。具体的には、ｍは、分数倍を表すことがあり、あるいは整数倍を表すことがある。
【０１８９】
ＲＭＳＩ検出ウィンドウの位置は、ＲＭＳＩ検出ウィンドウのインデックス、又はＲＭＳＩ検出ウィンドウとＱＣＬ関係にあるＳＳ／ＰＢＣＨ  ｂｌｏｃｋのインデックスに関連し得る。この場合、Ｏ＿ＲＭＳＩｉ＋Ｔｉｍｅ  ｏｆｆｓｅｔｉ＋ｘ×ＳＳＢ＿ＴＩが算出され、ＲＭＳＩ検出ウィンドウの位置を取得してもよい。
【０１９０】
Ｏ＿ＳＳｉがＲＭＳＩのＳＣＳに基づき、Ｔｉｍｅ  ｏｆｆｓｅｔｉがＳＳ／ＰＢＣＨ  ｂｌｏｃｋのＳＣＳに基づくとき、Ｔｉｍｅ  ｏｆｆｓｅｔｉの値は、ＲＭＳＩのＳＣＳに最初変換されてもよい。
【０１９１】
ＲＭＳＩのＳＣＳがＳＳ／ＰＢＣＨ  ｂｌｏｃｋのＳＣＳより大きいとき、Ｔｉｍｅ  ｏｆｆｓｅｔをＲＭＳＩのＳＣＳに変換した後に得られる値は、ＴＯ＿ＲＭＳＩｉ＝Ｔｉｍｅ  ｏｆｆｓｅｔｉ×ｍであり、ｍは、ＳＳ／ＰＢＣＨ  ｂｌｏｃｋのＳＣＳに対するＲＭＳＩのＳＣＳの倍数を表す。
【０１９２】
ＲＭＳＩのＳＣＳがＳＳ／ＰＢＣＨ  ｂｌｏｃｋのＳＣＳより小さいとき、Ｔｉｍｅ  ｏｆｆｓｅｔｉをＲＭＳＩのＳＣＳに変換した後に得られる値は、ＴＯ＿ＲＭＳＩｉ＝ｆｌｏｏｒ（Ｔｉｍｅ  ｏｆｆｓｅｔｉ／ｍ）であり、ｍは、ＲＭＳＩのＳＣＳに対するＳＳ／ＰＢＣＨ  ｂｌｏｃｋのＳＣＳの倍数を表す。
【０１９３】
ＴＯ＿ＲＭＳＩｉを算出するための前述の２つの式は、ＴＯ＿ＲＭＳＩｉ＝ｆｌｏｏｒ（Ｏ＿ＳＳｉ×ｍ）へ組み合わせられてもよく、ｍは、ＲＭＳＩのＳＣＳに対するＳＳ／ＰＢＣＨ  ｂｌｏｃｋのＳＣＳの倍数を表し、ｍは、分数倍を表すことがあり、あるいは整数倍を表すことがある。
【０１９４】
ＲＭＳＩ検出ウィンドウの位置が、ＲＭＳＩ検出ウィンドウのインデックス、又はＲＭＳＩ検出ウィンドウとＱＣＬ関係にあるＳＳ／ＰＢＣＨ  ｂｌｏｃｋのインデックスに関連するとき、ＲＭＳＩ検出ウィンドウの位置は、Ｏ＿ＳＳｉ＋ＴＯ＿ＲＭＳＩｉ＋ｘ×ＳＳＢ＿ＴＩを算出することにより取得されてもよい。この場合、Ｏ＿ＳＳｉがＳＳ／ＰＢＣＨ  ｂｌｏｃｋのＳＣＳに基づき、Ｔｉｍｅ  ｏｆｆｓｅｔｉがＳＳ／ＰＢＣＨ  ｂｌｏｃｋのＳＣＳに基づく場合、ＳＳ／ＰＢＣＨ  ｂｌｏｃｋのＳＣＳは、同じ方法を用いることによりＲＭＳＩのＳＣＳに変換されてもよい。
【０１９５】
ＲＭＳＩ検出ウィンドウの位置がＲＭＳＩ検出ウィンドウのインデックスに関連し、あるいはＲＭＳＩ検出ウィンドウとＱＣＬ関係にあるＳＳ／ＰＢＣＨ  ｂｌｏｃｋのインデックスに関連するとき、ＲＭＳＩ検出ウィンドウのインデックスは、伝送されるべきＳＳ／ＰＢＣＨ  ｂｌｏｃｋのインデックスと同じであり得る。この場合、ＲＭＳＩ検出ウィンドウの持続時間が１スロットである場合、ＲＭＳＩ検出ウィンドウの特定の位置は、（Ｏ＿ＳＳｉ＋Ｔｉｍｅ  ｏｆｆｓｅｔｉ＋ＳＳＢ＿ＴＩ）  ｍｏｄ  ２であり得る。ＲＭＳＩ検出ウィンドウの持続時間が１スロットより大きい、例えば、持続時間が２スロットである場合、ＲＭＳＩ検出ウィンドウの特定の位置は、式Ｏ＿ＳＳｉ＋Ｔｉｍｅ  ｏｆｆｓｅｔ＋ｘ×（ＳＳＢ＿ＴＩ  ｍｏｄ  ２）＋３×ｆｌｏｏｒ（ＳＳＢ＿ＴＩ／２）を使用することにより算出されてもよい。
【０１９６】
以下では、ＲＭＳＩ検出期間がＳＳ／ＰＢＣＨ  ｂｕｒｓｔ  ｓｅｔの期間の整数倍であり、検出ウィンドウの位置がＳＳ  ｂｕｒｓｔ  ｓｅｔ内のＳＳ／ＰＢＣＨ  ｂｌｏｃｋの位置に関連するケースについて説明する。
【０１９７】
ＲＭＳＩ検出期間がＳＳ／ＰＢＣＨ  ｂｕｒｓｔ  ｓｅｔの期間の整数倍である一例を図６に示す。ＲＭＳＩ検出ウィンドウ期間は４０ｍｓであり、ＳＳ／ＰＢＣＨ  ｂｌｏｃｋ期間は１０ｍｓである。
【０１９８】
ＲＭＳＩ検出期間がＳＳ／ＰＢＣＨ  ｂｕｒｓｔ  ｓｅｔの期間の整数倍であるとき、ＲＭＳＩ検出期間内のＳＳ／ＰＢＣＨ  ｂｕｒｓｔ  ｓｅｔ０内のＳＳ／ＰＢＣＨ  ｂｌｏｃｋ０が位置するスロットが、ＲＭＳＩ検出ウィンドウ検出ウィンドウの参照位置として使用されてもよく、あるいは、
ＲＭＳＩ検出期間内のＳＳ／ＰＢＣＨ  ｂｕｒｓｔ  ｓｅｔ  ｎ内のＳＳ／ＰＢＣＨ  ｂｌｏｃｋ０が位置するスロットが、ＲＭＳＩ検出ウィンドウ検出ウィンドウの参照位置として使用されてもよく、あるいは、
ＲＭＳＩ検出期間内のＳＳ／ＰＢＣＨ  ｂｕｒｓｔ  ｓｅｔ０内のＳＳ／ＰＢＣＨ  ｂｌｏｃｋ  ｎが位置するスロットが、ＲＭＳＩ検出ウィンドウ検出ウィンドウの参照位置として使用されてもよく、あるいは、
ＲＭＳＩ検出期間内のＳＳ／ＰＢＣＨ  ｂｕｒｓｔ  ｓｅｔ  ｎ内のＳＳ／ＰＢＣＨ  ｂｌｏｃｋ  ｎが位置するスロットが、ＲＭＳＩ検出ウィンドウ検出ウィンドウの参照位置として使用されてもよく、あるいは、
ＲＭＳＩ検出期間内のＳＳ／ＰＢＣＨ  ｂｕｒｓｔ  ｓｅｔ０内のＳＳ／ＰＢＣＨ  ｂｌｏｃｋ０が位置するミニスロットが、ＲＭＳＩ検出ウィンドウ検出ウィンドウの参照位置として使用されてもよく、あるいは、
ＲＭＳＩ検出期間内のＳＳ／ＰＢＣＨ  ｂｕｒｓｔ  ｓｅｔ  ｎ内のＳＳ／ＰＢＣＨ  ｂｌｏｃｋ０が位置するミニスロットが、ＲＭＳＩ検出ウィンドウ検出ウィンドウの参照位置として使用されてもよく、あるいは、
ＲＭＳＩ検出期間内のＳＳ／ＰＢＣＨ  ｂｕｒｓｔ  ｓｅｔ０内のＳＳ／ＰＢＣＨ  ｂｌｏｃｋ  ｎが位置するミニスロットが、ＲＭＳＩ検出ウィンドウ検出ウィンドウの参照位置として使用されてもよく、あるいは、
ＲＭＳＩ検出期間内のＳＳ／ＰＢＣＨ  ｂｕｒｓｔ  ｓｅｔ  ｎ内のＳＳ／ＰＢＣＨ  ｂｌｏｃｋ  ｎが位置するミニスロットが、ＲＭＳＩ検出ウィンドウ検出ウィンドウの参照位置として使用されてもよく、あるいは、
ＲＭＳＩ検出期間内のＳＳ／ＰＢＣＨ  ｂｕｒｓｔ  ｓｅｔ０内のＳＳ／ＰＢＣＨ  ｂｌｏｃｋ０が位置する第１のシンボルが、ＲＭＳＩ検出ウィンドウ検出ウィンドウの参照位置として使用されてもよく、あるいは、
ＲＭＳＩ検出期間内のＳＳ／ＰＢＣＨ  ｂｕｒｓｔ  ｓｅｔ  ｎ内のＳＳ／ＰＢＣＨ  ｂｌｏｃｋ０が位置する第１のシンボルが、ＲＭＳＩ検出ウィンドウ検出ウィンドウの参照位置として使用されてもよく、あるいは、
ＲＭＳＩ検出期間内のＳＳ／ＰＢＣＨ  ｂｕｒｓｔ  ｓｅｔ０内のＳＳ／ＰＢＣＨ  ｂｌｏｃｋ  ｎが位置する第１のシンボルが、ＲＭＳＩ検出ウィンドウ検出ウィンドウの参照位置として使用されてもよく、あるいは、
ＲＭＳＩ検出期間内のＳＳ／ＰＢＣＨ  ｂｕｒｓｔ  ｓｅｔ  ｎ内のＳＳ／ＰＢＣＨ  ｂｌｏｃｋ  ｎが位置する第１のシンボルが、ＲＭＳＩ検出ウィンドウ検出ウィンドウの参照位置として使用されてもよい。
【０１９９】
ＲＭＳＩ検出期間の参照フレーム又は開始フレームのフレーム番号は、式ＳＦＮ  ｍｏｄ  ｙ＝ｋ２を使用することにより算出されてもよく、
ｙは、フレーム内で測定されるＲＭＳＩ検出期間を表し、ｋ２の値は、固定されてもよく、例えば０、１、２、３、４、５、６、７、８、９、１０、１１、１２、１３、１４、又は１５のうち任意の１つ、例えば０でもよく、ＳＦＮは、ＲＭＳＩ検出期間の参照フレームのフレーム番号を表す。
【０２００】
ＳＳ／ＰＢＣＨ  ｂｌｏｃｋの期間の参照フレーム又は開始フレームのフレーム番号を算出する方式については、ＲＭＳＩ検出期間の参照フレーム又は開始フレームのフレーム番号を算出する方式を参照する。詳細はここで再度説明されない。
【０２０１】
ＲＭＳＩ検出期間は、ＳＳ／ＰＢＣＨ  ｂｌｏｃｋの期間の整数倍である。したがって、ＳＳ／ＰＢＣＨ  ｂｌｏｃｋを検出した後、端末デバイスは、ＲＭＳＩ検出期間に基づいてＳＳ／ＰＢＣＨ  ｂｌｏｃｋの期間を推論し、ＳＳ／ＰＢＣＨ  ｂｌｏｃｋのフレーム番号に基づいて、ＲＭＳＩの参照として使用されるＳＳ／ＰＢＣＨ  ｂｕｒｓｔ  ｓｅｔのフレーム番号を決定してもよい。例えば、ＲＭＳＩ検出期間内の第１のＳＳ／ＰＢＣＨ  ｂｕｒｓｔ  ｓｅｔのフレーム番号は、ＲＭＳＩ検出ウィンドウの位置を決定するために使用されるフレーム番号として使用されてもよい。
【０２０２】
次に、受信したＳＳ／ＰＢＣＨ  ｂｌｏｃｋのインデックスに基づいて、ＳＳ／ＰＢＣＨ  ｂｕｒｓｔ  ｓｅｔ内の可能性として伝送されるＳＳ／ＰＢＣＨ  ｂｌｏｃｋ０の位置が決定され得、該位置は、ＲＭＳＩ検出ウィンドウ検出ウィンドウの参照位置として使用されてもよく、第１のＲＭＳＩ検出ウィンドウの位置は、式Ｏ＋ｗｉｎｄｏｗ  ｏｆｆｓｅｔ＋ｘ×ＳＳＢ＿ＴＩを使用することにより算出される。Ｏは、ＳＳ／ＰＢＣＨ  ｂｕｒｓｔ  ｓｅｔ内の第１のＳＳ／ＰＢＣＨ  ｂｌｏｃｋの位置である。第１のＳＳ／ＰＢＣＨ  ｂｌｏｃｋの位置は、スロット０又はスロットｎであり得、サブフレームｎ又はサブフレームｎであり得、ミニスロット０又はミニスロットｎであり得、あるいはシンボル０又はシンボルｎであり得る。任意で、ＲＭＳＩ検出ウィンドウの位置は、代替的に、Ｗｉｎｄｏｗ  ｏｆｆｓｅｔ＋ｘ×ＳＳＢ＿ＴＩに基づいて算出されてもよい。
【０２０３】
ｗｉｎｄｏｗ  ｏｆｆｓｅｔの特徴は、ＲＭＳＩ検出ウィンドウ検出ウィンドウの参照位置が固定されているときに得られるｗｉｎｄｏｗ  ｏｆｆｓｅｔの特徴と同じであり得る。
【０２０４】
Ｏの単位は、ＳＳ／ＰＢＣＨ  ｂｌｏｃｋのＳＣＳに基づいてもよく、あるいはＲＭＳＩのＳＣＳに基づいてもよい。ｗｉｎｄｏｗ  ｏｆｆｓｅｔは、ＳＳ／ＰＢＣＨ  ｂｌｏｃｋのＳＣＳに基づいてもよく、あるいはＲＭＳＩのＳＣＳに基づいてもよい。
【０２０５】
ＯがＳＳ／ＰＢＣＨ  ｂｌｏｃｋのＳＣＳに基づき、ｗｉｎｄｏｗ  ｏｆｆｓｅｔがＲＭＳＩのＳＣＳに基づくとき、Ｏの値は、ＲＭＳＩのＳＣＳに最初変換されてもよい。
【０２０６】
ＲＭＳＩのＳＣＳがＳＳ／ＰＢＣＨ  ｂｌｏｃｋのＳＣＳより大きいとき、ＯをＲＭＳＩのＳＣＳに変換した後に得られる値は、Ｏ＿ＲＭＳＩ＝Ｏ×ｍであり、ｍは、ＳＳ／ＰＢＣＨ  ｂｌｏｃｋのＳＣＳに対するＲＭＳＩのＳＣＳの倍数を表す。
【０２０７】
ＲＭＳＩのＳＣＳがＳＳ／ＰＢＣＨ  ｂｌｏｃｋのＳＣＳより小さいとき、ＯをＲＭＳＩのＳＣＳに変換した後に得られる値は、Ｏ＿ＲＭＳＩ＝ｆｌｏｏｒ（Ｏ／ｍ）であり、ｍは、ＲＭＳＩのＳＣＳに対するＳＳ／ＰＢＣＨ  ｂｌｏｃｋのＳＣＳの倍数を表す。
【０２０８】
Ｏを変換する２つの式は、Ｏ＿ＲＭＳＩ＝ｆｌｏｏｒ（Ｏ×ｍ）へ組み合わせられてもよく、ｍは、ＲＭＳＩのＳＣＳに対するＳＳ／ＰＢＣＨ  ｂｌｏｃｋのＳＣＳの倍数を表し、ｍは、分数倍を表すことがあり、あるいは整数倍を表すことがある。
【０２０９】
Ｏ＿ＲＭＳＩが算出された後、ＲＭＳＩ検出の特定の位置が、式Ｏ＿ＲＭＳＩ＋Ｗｉｎｄｏｗ  ｏｆｆｓｅｔ＋ｘ×ＳＳＢ＿ＴＩを使用することにより算出される。
【０２１０】
Ｏの値がＳＳ／ＰＢＣＨ  ｂｌｏｃｋのＳＣＳに基づき、ｗｉｎｄｏｗ  ｏｆｆｓｅｔがＳＳ／ＰＢＣＨ  ｂｌｏｃｋのＳＣＳに基づくとき、Ｏ＋Ｗｉｎｄｏｗ  ｏｆｆｓｅｔの値が、ＲＭＳＩのＳＣＳに最初変換されてもよい。
【０２１１】
ＲＭＳＩのＳＣＳがＳＳ／ＰＢＣＨ  ｂｌｏｃｋのＳＣＳより大きいとき、Ｏ＋Ｗｉｎｄｏｗ  ｏｆｆｓｅｔをＲＭＳＩのＳＣＳに変換した後に得られる値は、（Ｏ＋Ｗｉｎｄｏｗ  ｏｆｆｓｅｔ）×ｍであり、ｍは、ＳＳ／ＰＢＣＨ  ｂｌｏｃｋのＳＣＳに対するＲＭＳＩのＳＣＳの倍数を表す。
【０２１２】
ＲＭＳＩのＳＣＳがＳＳ／ＰＢＣＨ  ｂｌｏｃｋのＳＣＳより小さいとき、Ｏ＋Ｗｉｎｄｏｗ  ｏｆｆｓｅｔをＲＭＳＩのＳＣＳに変換した後に得られる値は、ｆｌｏｏｒ（（Ｏ＋Ｗｉｎｄｏｗ  ｏｆｆｓｅｔ）／ｍ）であり、ｍは、ＲＭＳＩのＳＣＳに対するＳＳ／ＰＢＣＨ  ｂｌｏｃｋのＳＣＳの倍数を表す。
【０２１３】
Ｏ＋Ｗｉｎｄｏｗ  ｏｆｆｓｅｔを変換する２つの式は、ｆｌｏｏｒ（（Ｏ＋Ｗｉｎｄｏｗ  ｏｆｆｓｅｔ）×ｍ）へ組み合わせられてもよく、ｍは、ＲＭＳＩのＳＣＳに対するＳＳ／ＰＢＣＨ  ｂｌｏｃｋのＳＣＳの倍数を表し、ｍは、分数倍を表すことがあり、あるいは整数倍を表すことがある。
【０２１４】
ｆｌｏｏｒ（（Ｏ＋Ｗｉｎｄｏｗ  ｏｆｆｓｅｔ）×ｍ）が得られた後、ＲＭＳＩウィンドウの特定の位置が、ｆｌｏｏｒ（（Ｏ＋Ｗｉｎｄｏｗ  ｏｆｆｓｅｔ）×ｍ）＋ｘ×ＳＳＢ＿ＴＩを使用することにより算出される。
【０２１５】
代替的に、ＲＭＳＩ検出ウィンドウの開始位置又は特定の位置は、１つのフレーム内で伝送される検出ウィンドウの最大数量Ｎに基づいて決定されてもよい。
【０２１６】
例えば、ＳＳ／ＰＢＣＨ  ｂｕｒｓｔ  ｓｅｔが位置するフレームのフレーム番号がｋ１であるとき、ＲＭＳＩ検出ウィンドウのインデックス又はＲＭＳＩに関連づけられたＳＳ／ＰＢＣＨ  ｂｌｏｃｋの時間インデックスがＮより大きい場合、ＲＭＳＩは、フレーム番号がｋ１＋１のフレーム内で伝送され得る。
【０２１７】
例えば、ｆｌｏｏｒ（（ｆｌｏｏｒ（（Ｏ＋Ｗｉｎｄｏｗ  ｏｆｆｓｅｔ）×ｍ）＋ｘ×ＳＳＢ＿ＴＩ）／Ｎ）＝ｋ２のとき、ＲＭＳＩ検出ウィンドウは、フレームｋ１＋ｋ２内で伝送され得る。
【０２１８】
例えば、（ｆｌｏｏｒ（（Ｏ＋ｗｉｎｄｏｗ  ｏｆｆｓｅｔ）×ｍ）＋ｘ×ＳＳＢ＿ＴＩ）  ｍｏｄ  Ｎ＝ｋ３の場合、フレームｋ１＋ｋ２内のＲＭＳＩ監視ウィンドウのスロット位置は、ｆｌｏｏｒ（（Ｏ＋Ｗｉｎｄｏｗ  ｏｆｆｓｅｔ）×ｍ）＋ｋ３×ＳＳＢ＿ＴＩである。
【０２１９】
以下では、第ｉのＲＭＳＩ検出ウィンドウの参照位置がＳＳ／ＰＢＣＨ  ｂｕｒｓｔ  ｓｅｔ内の第ｉのＳＳ／ＰＢＣＨ  ｂｌｏｃｋの位置に関連し、ＲＭＳＩ検出期間がＳＳ／ＰＢＣＨ  ｂｕｒｓｔ  ｓｅｔの期間の整数倍であるケースについて説明する。
【０２２０】
ＲＭＳＩ検出期間がＳＳ／ＰＢＣＨ  ｂｕｒｓｔ  ｓｅｔの期間の整数倍であるとき、ＲＭＳＩ検出ウィンドウ検出ウィンドウの参照位置は、ＲＭＳＩ検出期間内の第１のＳＳ／ＰＢＣＨ  ｂｕｒｓｔ  ｓｅｔ内の第ｉのＳＳ／ＰＢＣＨ  ｂｌｏｃｋの位置であり得る。
【０２２１】
代替的に、ＲＭＳＩ検出ウィンドウ検出ウィンドウの参照位置は、ＲＭＳＩ検出期間内のＳＳ／ＰＢＣＨ  ｂｕｒｓｔ  ｓｅｔ  ｎ内の第１のＳＳ／ＰＢＣＨ  ｂｕｒｓｔ  ｓｅｔ内の第ｉのＳＳ／ＰＢＣＨ  ｂｌｏｃｋの位置でもよい。
【０２２２】
ＲＭＳＩ検出期間の参照フレーム又は開始フレームのフレーム番号は、式ＳＦＮ  ｍｏｄ  ｙ＝ｋ２を使用することにより算出されてもよく、ｙは、フレーム内で測定されるＲＭＳＩ検出期間を表し、ｋ２の値は、固定されてもよく、例えば０、１、２、３、４、５、６、７、８、９、１０、１１、１２、１３、１４、又は１５のうち任意の１つであり、ＳＦＮは、ＲＭＳＩ検出期間の参照フレーム又は開始フレームのフレーム番号を表す。
【０２２３】
ＳＳ／ＰＢＣＨ  ｂｌｏｃｋの期間の参照フレーム又は開始フレームのフレーム番号を算出する方式については、ＲＭＳＩ検出期間の参照フレーム又は開始フレームのフレーム番号を算出する方式を参照する。詳細はここで再度説明されない。
【０２２４】
ＳＳ／ＰＢＣＨ  ｂｌｏｃｋを検出した後、端末デバイスは、ＲＭＳＩ検出期間に基づいてＳＳ／ＰＢＣＨ  ｂｌｏｃｋの期間を決定し、次いで、ＳＳ／ＰＢＣＨ  ｂｌｏｃｋが位置するフレームのフレーム番号に基づいて、ＲＭＳＩの参照として使用されるＳＳ／ＰＢＣＨ  ｂｕｒｓｔ  ｓｅｔが位置するフレームのフレーム番号を決定し、例えば、ＲＭＳＩ検出期間内の第１のＳＳ／ＰＢＣＨ  ｂｕｒｓｔ  ｓｅｔのフレーム番号を、ＲＭＳＩの参照として使用されるＳＳ  ｂｕｒｓｔ  ｓｅｔが位置するフレームのフレーム番号として決定してもよい。
【０２２５】
第ｉのＳＳ／ＰＢＣＨ  ｂｌｏｃｋの位置が第ｉのＲＭＳＩウィンドウの参照位置Ｏとして使用されるとき、第ｉのＳＳ／ＰＢＣＨ  ｂｌｏｃｋを検出した後、端末デバイスは、第ｉのＳＳ／ＰＢＣＨ  ｂｌｏｃｋに対するＲＭＳＩ検出ウィンドウのオフセットに基づいて第ｉのＲＭＳＩ検出ウィンドウの位置を決定してもよい。第ｉのＲＭＳＩ検出ウィンドウの位置は、第ｉのＳＳ／ＰＢＣＨ  ｂｌｏｃｋとＱＣＬ関係にある。
【０２２６】
ＳＳ／ＰＢＣＨ  ｂｌｏｃｋは半スロットに基づいてもよく、ＲＭＳＩ検出ウィンドウはスロットに基づいてもよい。
【０２２７】
第ｉのＲＭＳＩ監視ウィンドウの開始位置は、関連づけられたＳＳ／ＰＢＣＨ  ｂｌｏｃｋのインデックス及び検出ウィンドウの持続時間に関連する。
【０２２８】
第ｉのＳＳ／ＰＢＣＨ  ｂｌｏｃｋに対するＲＭＳＩ検出ウィンドウのオフセットは、複数の方法を使用することにより構成されてもよい。一方法が以下を含む：各ＳＳ／ＰＢＣＨ  ｂｌｏｃｋ内のＰＢＣＨコンテンツは一意的である。ＳＳ／ＰＢＣＨ  ｂｌｏｃｋとＱＣＬ関係にあるＲＭＳＩ検出ウィンドウの位置に対する各ＳＳ／ＰＢＣＨ  ｂｌｏｃｋのオフセットの特定の値がＰＢＣＨコンテンツに配置される。
【０２２９】
ＲＭＳＩ検出ウィンドウの位置を算出する特定の方法が、Ｏ＿ＳＳＩ＋Ｔｉｍｅ  ｏｆｆｅｓｔｉであり得、Ｏ＿ＳＳＩは、第ｉのＳＳ／ＰＢＣＨ  ｂｌｏｃｋの位置を表し、Ｔｉｍｅ  ｏｆｆｅｓｔｉは、第ｉのＲＭＳＩ検出ウィンドウに対する第ｉのＳＳ／ＰＢＣＨ  ｂｌｏｃｋの位置の時間オフセットを表す。
【０２３０】
ＲＭＳＩ検出ウィンドウの参照位置Ｏ＿ＳＳｉは、ＲＭＳＩのＳＣＳ及び／又はＳＳ／ＰＢＣＨ  ｂｌｏｃｋのＳＣＳに関連し得る。
【０２３１】
Ｏ＿ＳＳｉの値及びＴｉｍｅ  ｏｆｆｅｓｔｉの値がＲＭＳＩのＳＣＳに基づくとき、ＲＭＳＩ検出ウィンドウの開始位置は、Ｏ＿ＳＳｉ＋Ｔｉｍｅ  ｏｆｆｅｓｔｉの式を使用することにより直接算出されてもよい。
【０２３２】
Ｏ＿ＳＳｉがＳＳ／ＰＢＣＨ  ｂｌｏｃｋのＳＣＳに基づき、Ｔｉｍｅ  ｏｆｆｅｓｔｉがＲＭＳＩのＳＣＳに基づくとき、Ｏ＿ＳＳｉの値は、ＲＭＳＩのＳＣＳに最初変換されてもよい。
【０２３３】
例えば、ＲＭＳＩのＳＣＳがＳＳ／ＰＢＣＨ  ｂｌｏｃｋのＳＣＳより大きいとき、Ｏ＿ＳＳｉをＲＭＳＩのＳＣＳに変換した後に得られる値は、Ｏ＿ＲＭＳＩｉ＝Ｏ＿ＳＳｉ×ｍであり得、ｍは、ＳＳ／ＰＢＣＨ  ｂｌｏｃｋのＳＣＳに対するＲＭＳＩのＳＣＳの倍数を表す。
【０２３４】
例えば、ＲＭＳＩのＳＣＳがＳＳ／ＰＢＣＨ  ｂｌｏｃｋのＳＣＳより小さいとき、Ｏ＿ＳＳｉをＲＭＳＩのＳＣＳに変換した後に得られる値は、Ｏ＿ＲＭＳＩｉ＝ｆｌｏｏｒ（Ｏ＿ＳＳＩ／ｍ）であり得、ｍは、ＲＭＳＩのＳＣＳに対するＳＳ／ＰＢＣＨ  ｂｌｏｃｋのＳＣＳの倍数を表す。
【０２３５】
Ｏ＿ＳＳｉを変換する２つの式は、Ｏ＿ＲＭＳＩｉ＝ｆｌｏｏｒ（Ｏ＿ＳＳｉ×ｍ）へ組み合わせられてもよく、ｍは、ＲＭＳＩのＳＣＳに対するＳＳ／ＰＢＣＨ  ｂｌｏｃｋのＳＣＳの倍数を表し、ｍは、分数倍を表すことがあり、あるいは整数倍を表すことがある。
【０２３６】
ＲＭＳＩ検出ウィンドウの位置は、ＲＭＳＩ検出ウィンドウのインデックス、及び／又はＲＭＳＩ検出ウィンドウとＱＣＬ関係にあるＳＳ／ＰＢＣＨ  ｂｌｏｃｋのインデックスに関連し得る。この場合、ＲＭＳＩ検出ウィンドウの位置は、Ｏ＿ＲＭＳＩｉ＋Ｔｉｍｅ  ｏｆｆｅｓｔｉ＋ｘ×ＳＳＢ＿ＴＩを算出することにより取得されてもよい。
【０２３７】
Ｏ＿ＳＳｉがＲＭＳＩのＳＣＳに基づき、Ｔｉｍｅ  ｏｆｆｅｓｔｉがＳＳ／ＰＢＣＨ  ｂｌｏｃｋのＳＣＳに基づくとき、Ｔｉｍｅ  ｏｆｆｅｓｔｉの値は、ＲＭＳＩのＳＣＳに最初変換されてもよい。
【０２３８】
例えば、ＲＭＳＩのＳＣＳがＳＳ／ＰＢＣＨ  ｂｌｏｃｋのＳＣＳより大きいとき、Ｔｉｍｅ  ｏｆｆｅｓｔｉをＲＭＳＩのＳＣＳに変換した後に得られる値は、ＴＯ＿ＲＭＳＩｉ＝Ｔｉｍｅ  ｏｆｆｅｓｔｉ×ｍであり得、ｍは、ＳＳ／ＰＢＣＨ  ｂｌｏｃｋのＳＣＳに対するＲＭＳＩのＳＣＳの倍数を表す。
【０２３９】
例えば、ＲＭＳＩのＳＣＳがＳＳ／ＰＢＣＨ  ｂｌｏｃｋのＳＣＳより小さいとき、Ｔｉｍｅ  ｏｆｆｅｓｔｉをＲＭＳＩのＳＣＳに変換した後に得られる値は、ＴＯ＿ＲＭＳＩｉ＝ｆｌｏｏｒ（Ｔｉｍｅ  ｏｆｆｅｓｔｉ／ｍ）であり得、ｍは、ＲＭＳＩのＳＣＳに対するＳＳ／ＰＢＣＨ  ｂｌｏｃｋのＳＣＳの倍数を表す。
【０２４０】
Ｔｉｍｅ  ｏｆｆｅｓｔｉを変換する２つの式は、ＴＯ＿ＲＭＳＩｉ＝ｆｌｏｏｒ（Ｏ＿ＳＳｉ×ｍ）へ組み合わせられてもよく、ｍは、ＲＭＳＩのＳＣＳに対するＳＳ／ＰＢＣＨ  ｂｌｏｃｋのＳＣＳの倍数を表し、ｍは、分数倍を表すことがあり、あるいは整数倍を表すことがある。
【０２４１】
ＲＭＳＩ検出ウィンドウの位置が、ＲＭＳＩ検出ウィンドウのインデックス及び／又はＲＭＳＩ検出ウィンドウとＱＣＬ関係にあるＳＳ／ＰＢＣＨ  ｂｌｏｃｋのインデックスに関連し得るとき、ＲＭＳＩ検出ウィンドウの位置は、Ｏ＿ＳＳｉ＋ＴＯ＿ＲＭＳＩｉ＋ｘ×ＳＳＢ＿ＴＩを算出することにより取得されてもよい。
【０２４２】
Ｏ＿ＳＳｉがＳＳ／ＰＢＣＨ  ｂｌｏｃｋのＳＣＳに基づき、Ｔｉｍｅ  ｏｆｆｅｓｔｉがＳＳ／ＰＢＣＨ  ｂｌｏｃｋのＳＣＳに基づくとき、前述の方法を参照してＯ＿ＳＳｉ及びＴｉｍｅ  ｏｆｆｅｓｔｉをＲＭＳＩのＳＣＳに変換する。
【０２４３】
以下では、ＲＭＳＩ検出期間がＳＳ／ＰＢＣＨ  ｂｕｒｓｔ  ｓｅｔの期間より大きく、ＲＭＳＩ検出期間がＳＳ／ＰＢＣＨ  ｂｕｒｓｔ  ｓｅｔの期間の分数倍であるケースについて説明する。
【０２４４】
このケースでは、ＳＳ／ＰＢＣＨ  ｂｕｒｓｔ  ｓｅｔの期間内に複数のＲＭＳＩ検出ウィンドウセットが存在し得る。これらの検出ウィンドウセットは、１つのＳＳ／ＰＢＣＨ  ｂｕｒｓｔ  ｓｅｔ内の全てのＳＳ／ＰＢＣＨ  ｂｌｏｃｋに関連づけられ得る。
【０２４５】
ＲＭＳＩ検出期間がＰＢＣＨに対して構成される場合、ＳＳ  ｂｕｒｓｔ  ｓｅｔの期間は、ＲＭＳＩ検出期間とＳＳ／ＰＢＣＨ  ｂｕｒｓｔ  ｓｅｔの期間との間の倍数関係に基づいて推論されてもよく、ＳＳ／ＰＢＣＨ  ｂｕｒｓｔ  ｓｅｔの位置がさらに推論される。さらに、ＳＳ／ＰＢＣＨ  ｂｕｒｓｔ  ｓｅｔの期間内のＲＭＳＩ検出ウィンドウセットの数量Ｎが推論されてもよい。
【０２４６】
ＳＳ／ＰＢＣＨ  ｂｕｒｓｔ  ｓｅｔの期間内の第１の検出ウィンドウセットは、ＳＳ／ＰＢＣＨ  ｂｕｒｓｔ  ｓｅｔの期間内のＳＳ／ＰＢＣＨ  ｂｕｒｓｔ  ｓｅｔに関連づけられた検出ウィンドウセットとして定義されてもよい。
【０２４７】
別のＲＭＳＩ検出ウィンドウセットでは、ＳＳ  ｂｕｒｓｔ  ｓｅｔに対する別のＲＭＳＩ検出ウィンドウセットのオフセットが、ＲＭＳＩ検出期間及びＳＳ  ｂｕｒｓｔ  ｓｅｔの期間内の第１の検出ウィンドウセットのインデックスに基づいて算出されてもよい。
【０２４８】
例えば、ＳＳ  ｂｕｒｓｔ  ｓｅｔに対する別のＲＭＳＩ検出ウィンドウのオフセットは、Ｉ＋ｉ×Ｔ＿ＲＭＳＩを算出することにより取得されてもよい。Ｉは、ＳＳ  ｂｕｒｓｔ  ｓｅｔの期間内の第１の検出ウィンドウセットの位置を表し、Ｉは、フレーム位置でもよく、半フレーム位置でもよく、あるいはスロット位置でもよく、Ｔ＿ＲＭＳＩは、ＲＭＳＩ検出期間を表し、ｉは、ＳＳ／ＰＢＣＨ  ｂｕｒｓｔ  ｓｅｔの期間内のＲＭＳＩ検出ウィンドウセットのインデックスを表す。
【０２４９】
ＲＭＳＩ検出ウィンドウの特定の位置は、上記の種々のケースにおける検出ウィンドウの位置を決定する方法を参照して決定され得る。
【０２５０】
例えば、ＳＳ  ｂｌｏｃｋ及びＲＭＳＩが周波数分割方式で多重化されているとき、ＲＭＳＩ検出ウィンドウが位置するフレームの位置は、ＳＳ／ＰＢＣＨ  ｂｕｒｓｔ  ｓｅｔに基づいて算出されてもよい。
【０２５１】
ＲＭＳＩ検出ウィンドウの特定の位置については、第１のＳＳ／ＰＢＣＨ  ｂｌｏｃｋを参照し、あるいはＳＳ／ＰＢＣＨ  ｂｌｏｃｋ  ｎを参照し、ｎは１より大きい整数である。
【０２５２】
本出願のこの実施形態では、検出ウィンドウのオフセットは定義されなくてもよいが、ＲＭＳＩ検出ウィンドウに対してＮ個の開始位置が定義される。
【０２５３】
この場合、ＲＭＳＩ検出ウィンドウ検出ウィンドウの参照位置は、ＲＭＳＩ検出ウィンドウの開始位置として参照されてもよい。
【０２５４】
ＲＭＳＩ検出ウィンドウの開始位置は、第１の検出ウィンドウの開始位置でもよい。第１のＲＭＳＩ検出ウィンドウの複数の開始位置が存在してもよい。
【０２５５】
第１のＲＭＳＩ検出ウィンドウの２つの開始位置があるとき、２つの開始位置は、それぞれ、ＲＭＳＩ検出期間内の第１のフレームの前半フレーム及び後半フレームでもよく、あるいは、それぞれ、ＲＭＳＩ検出期間内の第１のフレーム及び第２のフレームでもよい。
【０２５６】
代替的に、２つの開始位置は、それぞれ、参照として使用されるＳＳ／ＰＢＣＨ  ｂｕｒｓｔ  ｓｅｔが位置するフレームの第１のＳＳ／ＰＢＣＨ  ｂｌｏｃｋが半フレームだけシフトされ及び１フレームだけシフトされた後に得られる位置でもよい。
【０２５７】
２つの開始位置は、１ビット情報を使用することにより示されてもよい。
【０２５８】
第１のＲＭＳＩ検出ウィンドウの４つの開始位置があるとき、４つの開始位置は、それぞれ、ＲＭＳＩ期間内の第１のフレームの前半フレーム及び後半フレーム、並びにＲＭＳＩ期間内の第２のフレームの前半フレーム及び後半フレームでもよい。
【０２５９】
代替的に、４つの開始位置は、それぞれ、参照として使用されるＳＳ／ＰＢＣＨ  ｂｕｒｓｔ  ｓｅｔが位置するフレームの第１のＳＳ／ＰＢＣＨ  ｂｌｏｃｋが半フレーム、１フレーム、１．５フレーム、及び２フレームだけシフトされた後に得られる位置でもよい。
【０２６０】
４つの開始位置は、２ビットを使用することにより示されてもよい。
【０２６１】
同様に、第１のＲＭＳＩ検出ウィンドウの８つの開始位置があるとき、３ビットが指示に使用されてもよい。
【０２６２】
ＲＭＳＩ検出ウィンドウのためのＮ個の開始位置を定義する方法は、ＦＤＭケースに適用されてもよく、ＴＤＭケースにさらに適用されてもよい。本出願はこのことへの制限を設けない。
【０２６３】
図７は、本出願の別の実施形態によるＲＭＳＩ通信方法の概略フローチャートである。
【０２６４】
Ｓ７１０．ネットワークデバイスが、オフセット情報、端末デバイスに対応するＲＭＳＩ検出ウィンドウの時間インデックス、及び端末デバイスに対応するＲＭＳＩ検出ウィンドウの持続時間に基づいて、端末デバイスに対応するＲＭＳＩ検出ウィンドウの位置を決定し、オフセット情報は、ＲＭＳＩ検出期間内のＲＭＳＩ検出ウィンドウ検出ウィンドウの参照位置とＲＭＳＩ検出期間内の第１のＲＭＳＩ検出ウィンドウとの間のオフセットに基づいて、及びＲＭＳＩ期間内のＲＭＳＩ検出ウィンドウ検出ウィンドウの参照位置に基づいて決定される。
【０２６５】
Ｓ７２０．ネットワークデバイスが、ＲＭＳＩ検出ウィンドウの位置に基づいてＲＭＳＩを送信する。
【０２６６】
図２の通信方法の技術的特徴は図７の通信方法にも適用可能である。簡潔さのため、詳細はここで再度説明されない。
【０２６７】
図８は、本出願の一実施形態による端末デバイスの概略構造図である。図８に示される端末デバイス８００は単なる一例であることを理解されたい。本出願のこの実施形態における端末デバイスは、他のモジュール又はユニットをさらに含んでもよく、あるいは図８のモジュールの機能と同様の機能を有するモジュールを含んでもよく、あるいは図８の全てのモジュールを含む必要はない。
【０２６８】
端末デバイス８００は、プロセッサ８２０及び受信機８３０を含み得る。任意で、端末デバイス８００は、メモリ８１０及び送信機８４０をさらに含んでもよい。メモリ８１０は、プロセッサにより実行されるプログラムコード及び関連データを記憶するように構成される。メモリ８１０は、プロセッサ８２０に統合されてもよい。送信機８４０は、情報を送信するように構成されてもよい。
【０２６９】
プロセッサ８２０は、オフセット情報、端末デバイスに対応するＲＭＳＩ検出ウィンドウの時間インデックス、及び端末デバイスに対応するＲＭＳＩ検出ウィンドウの持続時間に基づいて、端末デバイスに対応するＲＭＳＩ検出ウィンドウの位置を決定するように構成され、オフセット情報は、ＲＭＳＩ検出期間内のＲＭＳＩ検出ウィンドウ検出ウィンドウの参照位置とＲＭＳＩ検出期間内の第１のＲＭＳＩ検出ウィンドウとの間のオフセットに基づいて、及びＲＭＳＩ検出期間内のＲＭＳＩ検出ウィンドウ検出ウィンドウの参照位置に基づいて決定される。
【０２７０】
受信機８３０は、ＲＭＳＩ検出ウィンドウの位置に基づいてＲＭＳＩを受信するように構成される。
【０２７１】
任意で、第１のＲＭＳＩ検出ウィンドウは、時間インデックスが０である同期信号ＳＳ／物理報知チャネルＰＢＣＨ  ｂｌｏｃｋに対応するＲＭＳＩ検出ウィンドウである。
【０２７２】
任意で、ＲＭＳＩ検出期間内の検出ウィンドウの参照位置は、ＲＭＳＩ検出期間内の第１のシステムフレーム及び／又は第１のシステムフレームの時間情報に基づいて決定される。
【０２７３】
任意で、第１のシステムフレームの時間情報は、第１のシステムフレームの第１のサブフレーム又は第１のシステムフレームの第１のスロットである。
【０２７４】
任意で、ＲＭＳＩ検出期間内の検出ウィンドウセットの参照位置は、ＳＳ／ＰＢＣＨ  ｂｕｒｓｔ  ｓｅｔ内で時間インデックスが０であるＳＳ／ＰＢＣＨ  ｂｌｏｃｋの位置に基づいて決定される。
【０２７５】
任意で、ＲＭＳＩ検出ウィンドウ検出ウィンドウの参照位置は、ＲＭＳＩ検出期間内の第１のＳＳ／ＰＢＣＨ  ｂｕｒｓｔ  ｓｅｔ内の第１のＳＳ／ＰＢＣＨ  ｂｌｏｃｋの位置に基づいて決定される。
【０２７６】
任意で、ＳＳ／ＰＢＣＨ  ｂｌｏｃｋは、ＳＳ／ＰＢＣＨ  ｂｕｒｓｔ  ｓｅｔ内の候補ＳＳ／ＰＢＣＨ  ｂｌｏｃｋである。
【０２７７】
任意で、ＲＭＳＩ検出期間内の少なくとも２つの隣接するＲＭＳＩ検出ウィンドウは時間において連続する。
【０２７８】
任意で、ＲＭＳＩ検出期間内の少なくとも２つのＲＳＭＩ検出ウィンドウは同じ持続時間を有する。
【０２７９】
任意で、ＲＭＳＩ検出ウィンドウのオフセットは半フレームで測定される。
【０２８０】
端末デバイス８００は、図２に示す通信方法において端末デバイスにより実行される動作又はステップを実現することができる。詳細はここで再度説明されない。
【０２８１】
図９は、本出願の一実施形態によるネットワークデバイスの概略構造図である。図９に示されるネットワークデバイス９００は単なる一例であることを理解されたい。本出願のこの実施形態におけるネットワークデバイスは、他のモジュール又はユニットをさらに含んでもよく、あるいは図９のモジュールと同様の機能を有するモジュールを含んでもよく、あるいは図９の全てのモジュールを含む必要はない。
【０２８２】
ネットワークデバイス９００は、プロセッサ９２０及び送信機９４０を含み得る。任意で、ネットワークデバイス９００は、メモリ９１０及び送信機９４０をさらに含んでもよい。メモリ９１０は、プロセッサにより実行されるプログラムコード及び関連データを記憶するように構成される。メモリ９１０は、プロセッサ９２０に統合されてもよい。受信機９３０は、情報を受信するように構成されてもよい。
【０２８３】
プロセッサ９２０は、オフセット情報、端末デバイスに対応するＲＭＳＩ検出ウィンドウの時間インデックス、及び端末デバイスに対応するＲＭＳＩ検出ウィンドウの持続時間に基づいて、端末デバイスに対応するＲＭＳＩ検出ウィンドウの位置を決定するように構成され、オフセット情報は、ＲＭＳＩ検出期間内のＲＭＳＩ検出ウィンドウ検出ウィンドウの参照位置とＲＭＳＩ検出期間内の第１のＲＭＳＩ検出ウィンドウとの間のオフセットに基づいて、及びＲＭＳＩ検出期間内のＲＭＳＩ検出ウィンドウ検出ウィンドウの参照位置に基づいて決定される。
【０２８４】
送信機９４０は、ＲＭＳＩ検出ウィンドウの位置に基づいてＲＭＳＩを送信するように構成される。
【０２８５】
任意で、第１のＲＭＳＩ検出ウィンドウは、時間インデックスが０である同期信号ＳＳ／物理報知チャネルＰＢＣＨ  ｂｌｏｃｋに対応するＲＭＳＩ検出ウィンドウである。
【０２８６】
任意で、ＲＭＳＩ期間内の検出ウィンドウの参照位置は、ＲＭＳＩ検出期間内の第１のシステムフレーム及び／又は第１のシステムフレームの時間情報に基づいて決定される。
【０２８７】
任意で、第１のシステムフレームの時間情報は、第１のシステムフレームの第１のサブフレーム又は第１のシステムフレームの第１のスロットである。
【０２８８】
任意で、ＲＭＳＩ検出期間内の検出ウィンドウの参照位置は、ＳＳ／ＰＢＣＨ  ｂｕｒｓｔ  ｓｅｔ内で時間インデックスが０であるＳＳ／ＰＢＣＨ  ｂｌｏｃｋの位置に基づいて決定される。
【０２８９】
任意で、ＲＭＳＩ検出ウィンドウ検出ウィンドウの参照位置は、ＲＭＳＩ検出期間内の第１のＳＳ／ＰＢＣＨ  ｂｕｒｓｔ  ｓｅｔ内の第１のＳＳ／ＰＢＣＨ  ｂｌｏｃｋの位置に基づいて決定される。
【０２９０】
任意で、ＳＳ／ＰＢＣＨ  ｂｌｏｃｋは、ＳＳ／ＰＢＣＨ  ｂｕｒｓｔ  ｓｅｔ内の候補ＳＳ／ＰＢＣＨ  ｂｌｏｃｋである。
【０２９１】
任意で、ＲＭＳＩ検出期間内の少なくとも２つの隣接するＲＭＳＩ検出ウィンドウは時間において連続する。
【０２９２】
任意で、ＲＭＳＩ検出期間内の少なくとも２つのＲＳＭＩ検出ウィンドウは同じ持続時間を有する。
【０２９３】
任意で、ＲＭＳＩ検出ウィンドウのオフセットは半フレームで測定される。
【０２９４】
ネットワークデバイス９００は、図７に示す通信方法においてネットワークデバイスにより実行される動作又はステップを実現することができる。詳細はここで再度説明されない。
【０２９５】
当業者は、本明細書に開示された実施形態と組み合わせて説明された例におけるユニット及びアルゴリズムステップが電子ハードウェア又はコンピュータソフトウェアと電子ハードウェアとの組み合わせにより実現され得ることを認識し得る。機能がハードウェアにより実行されるか又はソフトウェアにより実行されるかは、技術的解決策の特定の適用及び設計制約条件に依存する。当業者は、説明された機能を特定の適用ごとに実装するために異なる方法を用い得るが、その実装は本出願の範囲を超えるものであると解釈されるべきではない。
【０２９６】
簡便かつ簡潔な説明を目的として、前述のシステム、装置、及びユニットの詳細な動作処理については、前述の方法の実施形態における対応する処理を参照することが当業者により明確に理解され得る。詳細はここで再度説明されない。
【０２９７】
本出願で提供されるいくつかの実施形態において、開示されたシステム、装置、及び方法は他の方法で実現されてもよいことを理解されたい。例えば、説明された装置の実施形態は単なる一例である。例えば、ユニット分割は単なる論理機能分割であり、実際の実装では他の分割でもよい。例えば、複数のユニット又は構成要素が組み合わせられ、又は別のシステムへ統合されてもよく、あるいはいくつかの特徴が無視され、あるいは実行されなくてもよい。さらに、表示され又は論じられた相互結合又は直接結合又は通信接続は、いくつかのインターフェースを使用することにより実現されてもよい。装置又はユニット間の間接結合又は通信接続は、電子的、機械的、又は他の形式で実現されてもよい。
【０２９８】
別個の部分として記載されたユニットは物理的に別個でもよく又はそうでなくてもよく、ユニットとして表示された部分は物理ユニットでもよく又はそうでなくてもよく、１つの位置に配置されてもよく、あるいは複数のネットワークユニットに分散されてもよい。ユニットの一部又は全部が、実施形態の解決策の目的を達成するために、実際の要件に基づいて選択されてもよい。
【０２９９】
さらに、本出願の実施形態における機能ユニットは１つの処理ユニットに統合されてもよく、あるいはユニットの各々は物理的に単独で存在してもよく、あるいは２つ以上のユニットが１つのユニットに統合されてもよい。
【０３００】
機能がソフトウェア機能ユニットの形式で実現され、独立したプロダクトとして販売又は使用されるとき、機能はコンピュータ読取可能記憶媒体に記憶されてもよい。このような理解に基づき、本質的に本出願の技術的解決策、又は従来技術に寄与する部分、又は技術的解決策のいくつかは、ソフトウェアプロダクトの形式で実現されてもよい。コンピュータソフトウェアプロダクトは記憶媒体に記憶され、コンピュータデバイス（パーソナルコンピュータ、サーバ、又はネットワークデバイスでもよい）に本出願の実施形態に記載される方法のステップの全部又は一部を実行するよう指示するいくつかの命令を含む。前述の記憶媒体は、ＵＳＢフラッシュドライブ、リムーバブルハードディスク、読み取り専用メモリ（read-only  memory、ＲＯＭ）、ランダムアクセスメモリ（random  access  memory、ＲＡＭ）、磁気ディスク、又は光ディスクなどのプログラムコードを記憶できる任意の媒体を含む。
【０３０１】
前述の説明は本出願の具体的な実装に過ぎず、本出願の保護範囲を制限することは意図されない。本出願に開示された技術的範囲内で当業者により容易に理解されるいかなる変形又は置換えも、本出願の保護範囲内に入るものとする。したがって、本出願の保護範囲は、特許請求の範囲の保護範囲に従うものとする。
【図１】
2021503817.tif 000005
【図２】
2021503817.tif 000006
【図３】
2021503817.tif 000007
【図４】
2021503817.tif 000008
【図５】
2021503817.tif 000009
【図６】
2021503817.tif 000010
【図７】
2021503817.tif 000011
【図８】
2021503817.tif 000012
【図９】
2021503817.tif 000013
【手続補正書】
【提出日】令和2年6月19日(2020.6.19)
【手続補正１】
【補正対象書類名】明細書
【補正対象項目名】全文
【補正方法】変更
【補正の内容】
【発明の詳細な説明】
【技術分野】
【０００１】
本出願は通信分野に関し、より具体的には残存最小システム情報（remaining  minimum  system  information、ＲＭＳＩ）通信方法、端末デバイス、ネットワークデバイス、及びコンピュータ読取可能記憶媒体に関する。
【背景技術】
【０００２】
従来技術では、ＮＲにおけるＲＭＳＩ伝送は小さいウィンドウに基づいて構成されることが提案されている。換言すれば、従来技術では、ＲＭＳＩは小さいウィンドウに基づいて検出され得ることが提案されている。しかしながら、小さいウィンドウに基づいてＲＭＳＩを検出する方法は、従来技術ではさらに提供されていない。したがって、ＲＭＳＩ通信方法が提案される必要がある。
【発明の概要】
【０００３】
本出願は、ＲＭＳＩを伝送するためのＲＭＳＩ通信方法及び関連装置を提供する。
【０００４】
第１の態様によれば、本出願はＲＭＳＩ通信方法を提供する。当該方法は、端末デバイスにより、オフセット情報、端末デバイスに対応するＲＭＳＩ検出ウィンドウの時間インデックス、及び端末デバイスに対応するＲＭＳＩ検出ウィンドウの持続時間に基づいて、端末デバイスに対応するＲＭＳＩ検出ウィンドウの位置を決定するステップであり、オフセット情報は、ＲＭＳＩ検出期間内のＲＭＳＩ検出ウィンドウの参照位置とＲＭＳＩ検出期間内の第１のＲＭＳＩ検出ウィンドウとの間のオフセット、及びＲＭＳＩ検出期間内のＲＭＳＩ検出ウィンドウの参照位置に基づいて決定される、ステップと、端末デバイスにより、ＲＭＳＩ検出ウィンドウの位置に基づいてＲＭＳＩを受信するステップと、を含む。
【０００５】
当該通信方法において、端末デバイスは、ＲＭＳＩ検出ウィンドウの位置を習得し、ＲＭＳＩ検出ウィンドウ内のＲＭＳＩを受信することができる。
【０００６】
可能な設計において、第１のＲＭＳＩ検出ウィンドウは、時間インデックスが０である同期信号ＳＳ／物理報知チャネルＰＢＣＨブロックに対応するＲＭＳＩ検出ウィンドウである。
【０００７】
可能な設計において、ＲＭＳＩ検出期間内の検出ウィンドウの参照位置は、ＲＭＳＩ検出期間内の第１のシステムフレーム及び／又は第１のシステムフレームの時間情報に基づいて決定される。
【０００８】
可能な設計において、第１のシステムフレームの時間情報は、第１のシステムフレームの第１のサブフレーム又は第１のシステムフレームの第１のスロットである。
【０００９】
可能な設計において、ＲＭＳＩ検出期間内の検出ウィンドウセットの参照位置が、ＳＳ／ＰＢＣＨバーストセット内の時間インデックスが０であるＳＳ／ＰＢＣＨブロックの位置に基づいて決定される。
【００１０】
可能な設計において、検出ウィンドウの参照位置は、ＲＭＳＩ検出期間内の第１のＳＳ／ＰＢＣＨバーストセット内の第１のＳＳ／ＰＢＣＨブロックの位置に基づいて決定される。
【００１１】
可能な設計において、ＳＳ／ＰＢＣＨブロックは、ＳＳ／ＰＢＣＨバーストセット内の候補ＳＳ／ＰＢＣＨブロックである。
【００１２】
可能な設計において、ＲＭＳＩ検出期間内の少なくとも２つの隣接するＲＭＳＩ検出ウィンドウが時間において連続する。
【００１３】
可能な設計において、ＲＭＳＩ検出期間内の少なくとも２つのＲＭＳＩ検出ウィンドウが同じ持続時間を有する。
【００１４】
可能な設計において、ＲＭＳＩ検出ウィンドウのオフセットが半フレームで測定される。
【００１５】
可能な設計において、ＲＭＳＩ検出ウィンドウの開始時間位置がＲＭＳＩ検出ウィンドウの持続時間に関連する。
【００１６】
可能な設計において、ＲＭＳＩ制御情報の周波数位置がＲＭＳＩ検出ウィンドウの持続時間及び／又は時間位置に関連する。
【００１７】
可能な設計において、ＲＭＳＩのサブキャリア間隔がＲＭＳＩ検出ウィンドウの開始時間位置及び／又は時間位置に関連する。
【００１８】
可能な設計において、ＲＭＳＩ制御情報の周波数位置はＲＭＳＩ検出ウィンドウの開始時間位置及び／又は時間位置に関連する。
【００１９】
可能な設計において、ＲＭＳＩ検出ウィンドウの開始位置が半システムフレーム内の第１のスロットに関連する。
【００２０】
第２の態様によれば、本出願はＲＭＳＩ通信方法を提供する。当該通信方法は、ネットワークデバイスにより、オフセット情報、端末デバイスに対応するＲＭＳＩ検出ウィンドウの時間インデックス、及び端末デバイスに対応するＲＭＳＩ検出ウィンドウの持続時間に基づいて、端末デバイスに対応するＲＭＳＩ検出ウィンドウの位置を決定するステップであり、オフセット情報は、ＲＭＳＩ検出期間内のＲＭＳＩ検出ウィンドウの参照位置とＲＭＳＩ検出期間内の第１のＲＭＳＩ検出ウィンドウとの間のオフセットに基づいて、及びＲＭＳＩ検出期間内のＲＭＳＩ検出ウィンドウの参照位置に基づいて決定される、ステップと、ネットワークデバイスにより、ＲＭＳＩ検出ウィンドウの位置に基づいてＲＭＳＩを送信するステップと、を含む。
【００２１】
当該通信方法において、ネットワークデバイスは、ＲＭＳＩを端末デバイスに対応するＲＭＳＩ検出ウィンドウ内で送信することができ、それにより、端末デバイスは、ＲＭＳＩを受信することができる。
【００２２】
可能な設計において、第１のＲＭＳＩ検出ウィンドウは、時間インデックスが０である同期信号ＳＳ／物理報知チャネルＰＢＣＨブロックに対応するＲＭＳＩ検出ウィンドウである。
【００２３】
可能な設計において、ＲＭＳＩ検出期間内の検出ウィンドウの参照位置は、ＲＭＳＩ検出期間内の第１のシステムフレーム及び／又は第１のシステムフレームの時間情報に基づいて決定される。
【００２４】
可能な設計において、第１のシステムフレームの時間情報は、第１のシステムフレームの第１のサブフレーム又は第１のシステムフレームの第１のスロットである。
【００２５】
可能な設計において、ＲＭＳＩ検出期間内の検出ウィンドウセットの参照位置が、ＳＳ／ＰＢＣＨバーストセット内の時間インデックスが０であるＳＳ／ＰＢＣＨブロックの位置に基づいて決定される。
【００２６】
可能な設計において、検出ウィンドウの参照位置は、ＲＭＳＩ検出ウィンドウ期間内の第１のＳＳ／ＰＢＣＨバーストセット内の第１のＳＳ／ＰＢＣＨブロックの位置に基づいて決定される。
【００２７】
可能な設計において、ＳＳ／ＰＢＣＨブロックは、ＳＳ／ＰＢＣＨバーストセット内の候補ＳＳ／ＰＢＣＨブロックである。
【００２８】
可能な設計において、ＲＭＳＩ検出ウィンドウ期間内の少なくとも２つの隣接するＲＭＳＩ検出ウィンドウが時間において連続する。
【００２９】
可能な設計において、ＲＭＳＩ検出期間内の少なくとも２つのＲＭＳＩ検出ウィンドウが同じ持続時間を有する。
【００３０】
可能な設計において、ＲＭＳＩ検出ウィンドウのオフセットが半フレームで測定される。
【００３１】
可能な設計において、ＲＭＳＩ検出ウィンドウの開始時間位置がＲＭＳＩ検出ウィンドウの持続時間に関連する。
【００３２】
可能な設計において、ＲＭＳＩ制御情報の周波数位置がＲＭＳＩ検出ウィンドウの持続時間及び／又は時間位置に関連する。
【００３３】
可能な設計において、ＲＭＳＩのサブキャリア間隔がＲＭＳＩ検出ウィンドウの開始時間位置及び／又は時間位置に関連する。
【００３４】
可能な設計において、ＲＭＳＩ制御情報の周波数位置はＲＭＳＩ検出ウィンドウの開始時間位置及び／又は時間位置に関連する。
【００３５】
可能な設計において、ＲＭＳＩ検出ウィンドウの開始位置が半システムフレーム内の第１のスロットに関連する。
【００３６】
第３の態様によれば、本出願の一実施形態は端末デバイスを提供する。当該端末デバイスは、第１の態様による通信方法における端末デバイスの動作を実現する機能を有する。該機能は、ハードウェアにより実現されてもよく、あるいは対応するソフトウェアを実行するハードウェアにより実現されてもよい。ハードウェア又はソフトウェアは、前述の機能に対応する１つ以上のモジュール、例えばプロセッサ及びメモリを含む。メモリは、関連する命令を記憶し、プロセッサは、メモリ内の命令を実行して前述の通信方法における各処理ステップを完了する。
【００３７】
可能な設計において、当該端末デバイスは受信機及びプロセッサを含み、
プロセッサは、オフセット情報、端末デバイスに対応するＲＭＳＩ検出ウィンドウの時間インデックス、及び端末デバイスに対応するＲＭＳＩ検出ウィンドウの持続時間に基づいて、端末デバイスに対応するＲＭＳＩ検出ウィンドウの位置を決定するように構成され、オフセット情報は、ＲＭＳＩ検出期間内のＲＭＳＩ検出ウィンドウの参照位置とＲＭＳＩ検出期間内の第１のＲＭＳＩ検出ウィンドウとの間のオフセットに基づいて、及びＲＭＳＩ検出期間内のＲＭＳＩ検出ウィンドウの参照位置に基づいて決定され、
受信機は、ＲＭＳＩ検出ウィンドウの位置に基づいてＲＭＳＩを受信するように構成される。
【００３８】
当該端末デバイスはメモリをさらに含んでもよく、メモリはプロセッサに結合され、当該端末デバイスの必要なプログラム命令及び必要なデータを記憶する。
【００３９】
当該端末デバイスは送信機をさらに含んでもよく、送信機は情報をネットワークデバイスに送信するように構成される。
【００４０】
第４の態様によれば、本出願の一実施形態はネットワークデバイスを提供する。当該ネットワークデバイスは、第２の態様による通信方法におけるネットワークデバイスの動作を実現する機能を有する。該機能は、ハードウェアにより実現されてもよく、あるいは対応するソフトウェアを実行するハードウェアにより実現されてもよい。ハードウェア又はソフトウェアは、前述の機能に対応する１つ以上のモジュール、例えばプロセッサ及びメモリを含む。メモリは、関連する命令を記憶し、プロセッサは、メモリ内の命令を実行して前述の通信方法における各処理ステップを完了する。
【００４１】
可能な設計において、当該ネットワークデバイスは送信機及びプロセッサを含み、
プロセッサは、オフセット情報、端末デバイスに対応するＲＭＳＩ検出ウィンドウの時間インデックス、及び端末デバイスに対応するＲＭＳＩ検出ウィンドウの持続時間に基づいて、端末デバイスに対応するＲＭＳＩ検出ウィンドウの位置を決定するように構成され、オフセット情報は、ＲＭＳＩ検出期間内のＲＭＳＩ検出ウィンドウの参照位置とＲＭＳＩ検出期間内の第１のＲＭＳＩ検出ウィンドウとの間のオフセットに基づいて、及びＲＭＳＩ検出期間内のＲＭＳＩ検出ウィンドウの参照位置に基づいて決定され、
送信機は、ＲＭＳＩ検出ウィンドウの位置に基づいてＲＭＳＩを送信するように構成される。
【００４２】
当該ネットワークデバイスはメモリをさらに含んでもよく、メモリはプロセッサに結合され、当該ネットワークデバイスの必要なプログラム命令及び必要なデータを記憶する。
【００４３】
当該ネットワークデバイスは受信機をさらに含んでもよく、受信機は別のデバイスにより送信された情報を受信するように構成される。
【００４４】
第５の態様によれば、本出願はコンピュータ読取可能記憶媒体を提供する。当該コンピュータ読取可能記憶媒体は、端末デバイスにより実行されるプログラムコードを記憶する。プログラムコードは、第１の態様による通信方法を実行するために使用される命令を含む。
【００４５】
第６の態様によれば、本出願はコンピュータ読取可能記憶媒体を提供する。当該コンピュータ読取可能記憶媒体は、ネットワークデバイスにより実行されるプログラムコードを記憶する。プログラムコードは、第２の態様による通信方法を実行するために使用される命令を含む。
【００４６】
第７の態様によれば、本出願は、命令を含むコンピュータプログラムプロダクトを提供する。当該コンピュータプログラムプロダクトが端末デバイス上で実行されたとき、端末デバイスは第１の態様による通信方法を実行可能にされる。
【００４７】
第８の態様によれば、本出願は、命令を含むコンピュータプログラムプロダクトを提供する。当該コンピュータプログラムプロダクトがネットワークデバイス上で実行されたとき、ネットワークデバイスは第２の態様による通信方法を実行可能にされる。
【００４８】
第９の態様によれば、本出願はシステムチップを提供し、当該システムチップは、入力／出力インターフェース、少なくとも１つのプロセッサ、少なくとも１つのメモリ、及びバスを含む。少なくとも１つのメモリは、命令を記憶するように構成され、少なくとも１つのプロセッサは、少なくとも１つのメモリ内の命令を呼び出して第１の態様又は第２の態様による通信方法における動作を実行するように構成される。
【図面の簡単な説明】
【００４９】
【図１】本出願の一実施形態による通信方法を使用する通信システムの概略アーキテクチャ図である。
【図２】本出願の一実施形態による通信方法の概略フローチャートである。
【図３】本出願の一実施形態によるＲＭＳＩ及びＳＳ／ＰＢＣＨ  ｂｌｏｃｋの送信の概略図である。
【図４】本出願の一実施形態によるＲＭＳＩ及びＳＳ／ＰＢＣＨ  ｂｌｏｃｋの送信の概略図である。
【図５】本出願の一実施形態によるＲＭＳＩ及びＳＳ／ＰＢＣＨ  ｂｌｏｃｋの送信の概略図である。
【図６】本出願の一実施形態によるＲＭＳＩ及びＳＳ／ＰＢＣＨ  ｂｌｏｃｋの送信の概略図である。
【図７】本出願の別の実施形態による通信方法の概略フローチャートである。
【図８】本出願の一実施形態による端末デバイスの概略構造図である。
【図９】本出願の一実施形態によるネットワークデバイスの概略構造図である。
【発明を実施するための形態】
【００５０】
以下では、本出願の技術的解決策を添付の図面を参照して説明する。
【００５１】
図１は、本出願の一実施形態が適用されるシステムの概略図である。図１に示すように、システム１００は、ネットワークデバイス１０２及び端末デバイス１０４、１０６、１０８、１１０、１１２、及び１１４を含み得る。ネットワークデバイスは、端末デバイスに無線接続される。
【００５２】
図１において、システムが１つのネットワークデバイスを含むことは説明のため一例として用いられているに過ぎず、本出願のこの実施形態はこのことに限定されないことを理解されたい。例えば、システムは、代替的に、さらなるネットワークデバイスを含んでもよい。同様に、システムは、代替的に、さらなる端末デバイスを含んでもよい。さらに、システムはネットワークとも呼ばれ得ることを理解されたい。本出願のこの実施形態は、このことへの制限を設けない。
【００５３】
端末デバイスは、ユーザ装置（User  Equipment、ＵＥ）、アクセス端末、加入者ユニット、加入者局、移動局、移動コンソール、遠隔局、遠隔端末、移動端末、モバイルデバイス、ユーザ端末、端末、無線通信デバイス、ユーザエージェント、又はユーザ機器でもよい。アクセス端末は、セルラーフォン、コードレスフォン、セッション開始プロトコル（Session  Initiation  Protocol、ＳＩＰ）フォン、無線ローカルループ（Wireless  Local  Loop、ＷＬＬ）局、パーソナルデジタルアシスタント（Personal  Digital  Assistant、ＰＤＡ）、無線通信機能を有するハンドヘルドデバイス、無線モデムに接続されたコンピューティングデバイス又は他の処理デバイス、車載デバイス、ウェアラブルデバイス、将来の５Ｇネットワークにおける端末デバイス、将来の進化型公衆陸上移動体ネットワーク（Public  Land  Mobile  Network、ＰＬＭＮ）における端末デバイスなどでもよい。
【００５４】
限定の代わりに例として、本出願の実施形態では、端末デバイスは、代替的に、ウェアラブルデバイスでもよい。ウェアラブルデバイスは、ウェアラブルインテリジェントデバイスとも呼ばれることがあり、ウェアラブル技術を使用することにより日々の着用に対してインテリジェントな設計及び開発を行うことにより得られる、メガネ、手袋、時計、衣服、及び靴などのウェアラブルデバイスの総称である。ウェアラブルデバイスは、身体に直接装着され、あるいはユーザの衣服又はアクセサリに組み込まれるポータブルデバイスである。ウェアラブルデバイスはハードウェアデバイスを越え、ソフトウェアサポート、データ交換、クラウド対話を通じて強力な機能を実現する。広義には、ウェアラブルインテリジェントデバイスは、包括的な機能を提供し、かつスマートフォンから独立して全部又は一部の機能を実現できる大きいサイズのデバイス、例えば、スマートウォッチ又はスマートグラスを含み、また、特定タイプのアプリケーション機能のみが意図され、かつスマートフォンなどの他のデバイスと協働して使用される必要があるデバイス、例えば、サイン監視に使用される種々のタイプのスマートバンド及びスマートジュエリーを含む。
【００５５】
ネットワークデバイスは、端末デバイスと通信するように構成されたデバイスであり得る。ネットワークデバイスは、グローバルシステムフォーモバイルコミュニケーション（Global  System  of  Mobile  communications、ＧＳＭ）又は符号分割多元接続（Code  Division  Multiple  Access、ＣＤＭＡ）システムにおけるベーストランシーバ局（Base  Transceiver  Station、ＢＴＳ）でもよく、広帯域符号分割多元接続（Wideband  Code  Division  Multiple  Access、ＷＣＤＭＡ）システムにおけるノードＢ（NodeB、ＮＢ）でもよく、ロングタームエボリューション（Long  Term  Evolution、ＬＴＥ）システムにおける進化型ノードＢ（evolved  Node  B、ｅＮＢ、又はｅＮｏｄｅＢ）でもよく、あるいはクラウド無線アクセスネットワーク（Cloud  Radio  Access  Network、ＣＲＡＮ）シナリオにおける無線コントローラでもよい。代替的に、ネットワークデバイスは、中継局、アクセスノード、車載デバイス、ウェアラブルデバイス、将来の５Ｇネットワークにおけるネットワークデバイス、将来の発展型ＰＬＭＮネットワークにおけるネットワークデバイスなどでもよい。
【００５６】
さらに、本出願の実施形態では、ネットワークデバイスはセルのサービスを提供する。端末デバイスは、セルにより使用される伝送リソース（例えば、周波数ドメイン、すなわち、スペクトルリソース）を使用することによりネットワークデバイスと通信し、セルは、ネットワークデバイス（例えば、基地局）に対応するセルであり得る。セルは、マクロ基地局に属してもよく、あるいはスモールセル（small  cell）に対応する基地局に属してもよい。本明細書におけるスモールセルは、メトロセル（Metro  cell）、マイクロセル（Micro  cell）、ピコセル（Pico  cell）、フェムトセル（Femto  cell）などを含み得る。これらのセルは小カバレッジ及び低送信電力により特徴づけられ、高速データ伝送サービスを提供するのに適する。さらに、セルは、代替的に、ハイパーセル（Hypercell）でもよい。
【００５７】
本出願の実施形態では、擬似コロケーション（quasi  co-location、ＱＣＬ）は、以下のパラメータ、すなわち、到着角（angle  of  arrival、ＡｏＡ）、主到着角（Dominant  AoA）、平均到着角、到着角のパワー角スペクトル（power  angular  spectrum（ＰＡＳ）  of  AoA）、出発角（angle  of  departure、ＡｏＤ）、主出発角、平均出発角、出発角のパワー角スペクトル、ＵＥ送信ビームフォーミング、ＵＥ受信ビームフォーミング、空間チャネル相関、基地局送信ビームフォーミング、基地局受信ビームフォーミング、平均チャネル利得、平均チャネル遅延、遅延スプレッド（delay  spread）、ドップラースプレッド（Doppler  spread）等のうち少なくとも１つに関して、同じであるか又は明確な対応を有することを意味する。
【００５８】
同じ下りリンク信号／基地局ビーム／端末ビームを有することは、同じ空間受信パラメータ及び／又は同じアンテナポートを有すること、例えば、以下のパラメータ、すなわち、到着角、主到着角ＤｏｍｉｎａｎｔＡｏＡ、平均到着角、到着角のパワー角スペクトル、出発角、主出発角、平均出発角、出発角のパワー角スペクトル、端末送信ビームフォーミング、ＵＥ受信ビームフォーミング、空間チャネル相関、基地局送信ビームフォーミング、基地局受信ビームフォーミング、平均チャネル利得、平均チャネル遅延、遅延スプレッド、ドップラースプレッド等のうち少なくとも１つに関して、同じであるか又は明確な対応を有することを意味する。
【００５９】
ＲＭＳＩ検出ウィンドウとＳＳ／ＰＢＣＨブロックとが関連づけられているか又はＱＣＬ関係にあるとき、ＲＭＳＩ及びＳＳ／ＰＢＣＨブロックは同じアンテナポートを有し、かつ／あるいは同じビームを使用することにより送信される。
【００６０】
本出願におけるＲＭＳＩ検出ウィンドウは、ＲＭＳＩ監視ウィンドウとも呼ばれる。ＲＭＳＩ監視ウィンドウは、ＲＭＳＩの物理下りリンク制御チャネル（ＰＤＣＣＨ）監視ウィンドウでもよく、ＲＭＳＩの物理下りリンク共用チャネル（ＰＤＳＣＨ）監視ウィンドウでもよく、ＲＭＳＩの制御情報セット（ＣＯＲＥＳＥＴ）監視ウィンドウでもよく、データ情報の監視ウィンドウでもよく、あるいはＲＭＳＩ制御情報の監視ウィンドウでもよい。
【００６１】
図２は、本出願の一実施形態によるＲＭＳＩ通信方法の概略フローチャートである。図２において、ネットワークデバイスは、上述のネットワークデバイスでもよく、端末デバイスは、上述の端末デバイスでもよい。確かに、実際のシステムでは、ネットワークデバイスの数量及び端末デバイスの数量は、本実施形態又は別の実施形態の例に限定されなくてよい。詳細は以下では説明されない。
【００６２】
Ｓ２１０．端末デバイスが、オフセット情報、端末デバイスに対応するＲＭＳＩ検出ウィンドウの時間インデックス、及び端末デバイスに対応するＲＭＳＩ検出ウィンドウの持続時間（duration）に基づいて、端末デバイスに対応するＲＭＳＩ検出ウィンドウの位置を決定し、オフセット情報は、ＲＭＳＩ検出期間内のＲＭＳＩ検出ウィンドウの参照位置とＲＭＳＩ検出期間内の第１のＲＭＳＩ検出ウィンドウとの間のオフセット（ウィンドウオフセット（window  offset））に基づいて、及びＲＭＳＩ検出期間内のＲＭＳＩ検出ウィンドウの参照位置に基づいて決定される。
【００６３】
Ｓ２２０．端末デバイスが、ＲＭＳＩ検出ウィンドウの位置に基づいてＲＭＳＩを受信する。
【００６４】
第１のＲＭＳＩ検出ウィンドウは、時間インデックスが０である同期信号（synchronization  signal、ＳＳ）／物理報知チャネル（physical  broadcast  channel、ＰＢＣＨ）ブロック（block）に対応するＲＭＳＩ検出ウィンドウである。
【００６５】
ＳＳ／ＰＢＣＨ  ｂｌｏｃｋの時間インデックスは、ＲＭＳＩ検出ウィンドウの時間インデックスとして使用されてもよい。ＳＳ／ＰＢＣＨ  ｂｌｏｃｋの時間インデックスは、候補ＳＳ／ＰＢＣＨ  ｂｌｏｃｋの時間インデックスでもよく、あるいは実際に送信されたＳＳ／ＰＢＣＨ  ｂｌｏｃｋの時間インデックスでもよい。候補ＳＳ／ＰＢＣＨ  ｂｌｏｃｋの時間インデックスは、可能性として伝送される（possibly  transmitted）ＳＳ／ＰＢＣＨ  ｂｌｏｃｋの時間インデックスとして参照されてもよい。候補ＳＳ／ＰＢＣＨ  ｂｌｏｃｋの時間インデックスは、略して候補ＳＳ／ＰＢＣＨ  ｂｌｏｃｋのインデックスと呼ばれてもよい。
【００６６】
代替的に、ＲＭＳＩ検出ウィンドウの時間インデックスは予め定義されてもよい。
【００６７】
代替的に、ＲＭＳＩ検出ウィンドウの位置は、ＳＳ／ＰＢＣＨ  ｂｌｏｃｋの時間インデックスに関連づけられたＲＭＳＩ検出ウィンドウの時間インデックスに基づいて決定されてもよい。
【００６８】
ＲＭＳＩ検出ウィンドウの持続時間は予め定義されてもよく、あるいは端末デバイスのためにネットワークデバイスにより構成されてもよい。
【００６９】
少なくとも２つの隣接する検出ウィンドウが時間において連続してもよい。少なくとも２つの検出ウィンドウが等しい持続時間を有してもよい。
【００７０】
ＲＭＳＩ検出ウィンドウのオフセットは、ＲＭＳＩ検出ウィンドウの開始時間とＲＭＳＩ検出ウィンドウの参照位置との間のオフセットでもよい。
【００７１】
検出ウィンドウのオフセットの粒度又は時間単位は、半フレーム、フレーム、スロット、サブフレーム、又はシンボルでもよい。ｗｉｎｄｏｗ  ｏｆｆｓｅｔを表現する方法は、スロット、絶対時間（ｍｓ単位）、サブフレーム、半フレーム、又はシンボルに基づいてもよい。
【００７２】
ｗｉｎｄｏｗ  ｏｆｆｓｅｔがスロットに基づいて表されるとき、さらに、ｗｉｎｄｏｗ  ｏｆｆｓｅｔの単位長さはサブキャリア間隔（ＳＣＳ）に関連してもよい。例えば、ＳＣＳが１５ＫＨｚのとき、ｗｉｎｄｏｗ  ｏｆｆｓｅｔの単位長さは１スロット、５スロット、又は１０スロットでもよく、ＳＣＳが３０ＫＨｚのとき、ｗｉｎｄｏｗ  ｏｆｆｓｅｔの単位長さは１スロット、５スロット、１０スロット、又は２０スロットでもよく、ＳＣＳが６０ＫＨｚのとき、ｗｉｎｄｏｗ  ｏｆｆｓｅｔの単位長さは１スロット、５スロット、１０スロット、２０スロット、又は４０スロットでもよく、あるいはＳＣＳが１２０ＫＨｚのとき、ｗｉｎｄｏｗ  ｏｆｆｓｅｔの単位長さは１スロット、５スロット、１０スロット、２０スロット、４０スロット、又は８０スロットでもよい。
【００７３】
ｗｉｎｄｏｗ  ｏｆｆｓｅｔは、ネットワークデバイスにより示されることなく端末デバイス上で予め構成されてもよく、あるいはネットワークデバイスにより示されてもよい。例えば、ネットワークデバイスは、１ビット、２ビット、又は３ビットを使用することによりｗｉｎｄｏｗ  ｏｆｆｓｅｔを示してもよい。ｗｉｎｄｏｗ  ｏｆｆｓｅｔは、複数の値を有してもよい。値は、０、０．５フレーム、１フレーム、１．５フレーム、２フレーム、２．５フレーム、３フレーム、３．５フレーム、４フレーム、４．５フレーム、５フレーム、５．５フレーム、６フレーム、６．５フレーム、７フレーム、及び７．５フレームのうち全部又は一部でもよい。３ビットは、０、１０ｍｓ、２０ｍｓ、３０ｍｓ、４０ｍｓ、５０ｍｓ、６０ｍｓ、又は７０ｍｓを示してもよい。
【００７４】
ｗｉｎｄｏｗ  ｏｆｆｓｅｔが１ビットを使用することにより示されるとき、ＳＣＳが１５ＫＨｚである場合、１ビットはｗｉｎｄｏｗ  ｏｆｆｓｅｔがゼロスロット若しくは５スロットであることを示すことができ、又は１ビットはｗｉｎｄｏｗ  ｏｆｆｓｅｔが５スロット若しくは１０スロットであることを示すことができ、ＳＣＳが３０ＫＨｚである場合、１ビットはｗｉｎｄｏｗ  ｏｆｆｓｅｔがゼロスロット若しくは１０スロットであることを示すことができ、又は１ビットはｗｉｎｄｏｗ  ｏｆｆｓｅｔが１０スロット若しくは２０スロットであることを示すことができ、ＳＣＳが６０ＫＨｚである場合、１ビットはｗｉｎｄｏｗ  ｏｆｆｓｅｔがゼロスロット若しくは２０スロットであることを示すことができ、又は１ビットはｗｉｎｄｏｗ  ｏｆｆｓｅｔが２０スロット若しくは４０スロットであることを示すことができ、あるいはＳＣＳが１２０ＫＨｚである場合、１ビットはｗｉｎｄｏｗ  ｏｆｆｓｅｔがゼロスロット若しくは４０スロットであることを示すことができ、又は１ビットはｗｉｎｄｏｗ  ｏｆｆｓｅｔが４０スロット若しくは８０スロットであることを示すことができる。代替的に、時間単位は、別の表現方法に等価的に変換されてもよい。例えば、ＳＣＳが１５ＫＨｚである場合、１ビットが、ｗｉｎｄｏｗ  ｏｆｆｓｅｔが５スロット又は１０スロットを示せることは、１ビットが、ｗｉｎｄｏｗ  ｏｆｆｓｅｔが５ｍｓ又は１０ｍｓであることを示せることに等価的に変換されてもよい。これは以下の実施形態にも適用可能であり、詳細は説明されない。
【００７５】
ｗｉｎｄｏｗ  ｏｆｆｓｅｔが２ビットを使用することにより示されるとき、ＳＣＳが１５ＫＨｚである場合、２ビットはｗｉｎｄｏｗ  ｏｆｆｓｅｔがゼロスロット、５スロット、１０スロット、若しくは１５スロットであることを示すことができ、又は２ビットはｗｉｎｄｏｗ  ｏｆｆｓｅｔが５スロット、１０スロット、１５スロット、若しくは２０スロットであることを示すことができ、ＳＣＳが３０ＫＨｚである場合、２ビットはｗｉｎｄｏｗ  ｏｆｆｓｅｔがゼロスロット、１０スロット、２０スロット、若しくは３０スロットであることを示すことができ、又は２ビットはｗｉｎｄｏｗ  ｏｆｆｓｅｔが１０スロット、２０スロット、３０スロット、若しくは４０スロットであることを示すことができ、ＳＣＳが６０ＫＨｚである場合、２ビットはｗｉｎｄｏｗ  ｏｆｆｓｅｔがゼロスロット、２０スロット、４０スロット、若しくは６０スロットであることを示すことができ、又は２ビットはｗｉｎｄｏｗ  ｏｆｆｓｅｔが２０スロット、４０スロット、６０スロット、若しくは８０スロットであることを示すことができ、あるいはＳＣＳが１２０ＫＨｚである場合、２ビットはｗｉｎｄｏｗ  ｏｆｆｓｅｔがゼロスロット、４０スロット、８０スロット、若しくは１２０スロットであることを示すことができ、又は２ビットはｗｉｎｄｏｗ  ｏｆｆｓｅｔが４０スロット、８０スロット、１２０スロット、若しくは１６０スロットであることを示すことができる。
【００７６】
代替的に、ｗｉｎｄｏｗ  ｏｆｆｓｅｔの時間単位は、別の時間値、例えば０スロットから６３スロットのうち任意の値でもよい。
【００７７】
代替的に、ｗｉｎｄｏｗ  ｏｆｆｓｅｔの値は、絶対時間単位を使用することにより構成されてもよい。例えば、指示情報が２ビットであるとき、ｗｉｎｄｏｗ  ｏｆｆｓｅｔは０ミリ秒（ｍｓ）、５ｍｓ、１０ｍｓ、又は１５ｍｓでもよく、あるいはｗｉｎｄｏｗ  ｏｆｆｓｅｔは５ｍｓ、１０ｍｓ、１５ｍｓ、又は２０ｍｓでもよく、時間単位は５ｍｓである。指示情報が１ビットであるとき、ｗｉｎｄｏｗ  ｏｆｆｓｅｔは０ｍｓ又は５ｍｓでもよく、あるいはｗｉｎｄｏｗ  ｏｆｆｓｅｔは５ｍｓ又は１０ｍｓでもよく、時間単位は５ｍｓである。
【００７８】
代替的に、ｗｉｎｄｏｗ  ｏｆｆｓｅｔの時間単位は半フレームでもよい。例えば、ｗｉｎｄｏｗ  ｏｆｆｓｅｔは、ゼロ個の半フレーム、１個の半フレーム、２個の半フレームでもよい。
【００７９】
異なる検出ウィンドウは、異なるｗｉｎｄｏｗ  ｏｆｆｓｅｔを有してもよい。例えば、ＳＳ／ＰＢＣＨ  ｂｌｏｃｋのインデックスが検出ウィンドウの最大数量Ｎより大きく、ＲＭＳＩが次のフレーム又はＫ個の隣接するフレーム内で伝送されるとき、異なる検出ウィンドウは異なるｗｉｎｄｏｗ  ｏｆｆｓｅｔを有し得る。
【００８０】
例えば、少なくとも２つの隣接ｗｉｎｄｏｗ  ｏｆｆｓｅｔは同じでもよく、あるいは少なくとも２つの隣接ｗｉｎｄｏｗ  ｏｆｆｓｅｔは異なってもよい。
【００８１】
ＲＭＳＩ及びＳＳ／ＰＢＣＨ  ｂｌｏｃｋが周波数分割方式で多重化されるとき、ＲＭＳＩのＳＣＳがＳＳ／ＰＢＣＨ  ｂｌｏｃｋのＳＣＳと同じであるため、ＲＭＳＩのＳＣＳを示すための１ビットデータが、ｗｉｎｄｏｗ  ｏｆｆｓｅｔの一部又は全部の値を示すために使用されてもよく、あるいはＲＭＳＩのＳＣＳを示すための１ビットデータは、ｗｉｎｄｏｗ  ｏｆｆｓｅｔを示すビットデータの一部として使用されてもよい。
【００８２】
ＲＭＳＩ及びＳＳ／ＰＢＣＨ  ｂｌｏｃｋが周波数分割方式で多重化されるとき、各検出ウィンドウの持続時間は、固定値、例えば０．５ｍｓでもよい。したがって、検出ウィンドウの持続時間は構成されなくてもよい。この場合、検出ウィンドウの持続時間を示すために使用されるビットが、ｗｉｎｄｏｗ  ｏｆｆｓｅｔを示すために使用されてもよい。
【００８３】
ＲＭＳＩ検出ウィンドウの位置は、ＲＭＳＩ検出ウィンドウの開始時間でもよい。検出ウィンドウの開始時間は、検出ウィンドウの開始位置として参照されてもよい。
【００８４】
ＲＭＳＩ検出期間は、４つの方法を使用することによりＰＢＣＨに対して構成されてもよい。第１の方法では、ＲＭＳＩ検出期間は直接構成される。例えば、１ビットが、ＲＭＳＩ検出期間が２０ｍｓ又は４０ｍｓであることを示すために使用されてもよく、あるいは１ビットが、ＲＭＳＩ検出期間が４０ｍｓ又は８０ｍｓであることを示すために使用されてもよく、あるいは１ビットが、ＲＭＳＩ検出期間が２０ｍｓ又は８０ｍｓであることを示すために使用されてもよい。
【００８５】
第２の方法では、ＲＭＳＩ検出期間はＰＢＣＨの期間の倍数に構成され、１ビット情報が、倍数が１倍又は２倍であることを示すために使用されてもよい。
【００８６】
第３の方法では、固定されたＲＭＳＩ検出期間が構成され、あるいはＰＢＣＨの期間に対するＲＭＳＩ検出期間の倍数が示される。例えば、１ビットは、ＲＭＳＩ検出期間が２０ｍｓで固定されているか又はＳＳ／ＰＢＣＨバーストセット（burst  set）の期間と同じかを示すために使用され、あるいは１ビットは、ＲＭＳＩ検出期間が４０ｍｓで固定されているか又はＳＳ／ＰＢＣＨ  ｂｕｒｓｔ  ｓｅｔの期間と同じかを示すために使用される。
【００８７】
ＲＭＳＩ検出期間がＳＳ／ＰＢＣＨ  ｂｕｒｓｔ  ｓｅｔの期間と無関係であるとき、第４の方法では、ＲＭＳＩ検出期間がＳＳ／ＰＢＣＨ  ｂｕｒｓｔ  ｓｅｔの期間と同じか又はＳＳ／ＰＢＣＨ  ｂｕｒｓｔ  ｓｅｔの期間より大きいかが示される。ＲＭＳＩ検出期間がＳＳ／ＰＢＣＨ  ｂｕｒｓｔ  ｓｅｔの期間と同じとき、ＲＭＳＩ検出ウィンドウの位置は、ＲＭＳＩ検出期間が示されない場合でも決定できる。しかしながら、ＲＭＳＩ検出期間がＳＳ／ＰＢＣＨ  ｂｕｒｓｔ  ｓｅｔの期間より大きいとき、ＲＭＳＩに関連づけられたＳＳ／ＰＢＣＨ  ｂｕｒｓｔ  ｓｅｔのフレーム位置がブラインド検出される必要がある。
【００８８】
代替的に、ＲＭＳＩ検出期間が示されてもよく、ＲＭＳＩ検出期間がＳＳ／ＰＢＣＨ  ｂｕｒｓｔ  ｓｅｔの期間と同じであるか、又はＳＳ／ＰＢＣＨ  ｂｕｒｓｔ  ｓｅｔの期間がＲＭＳＩ検出期間より小さいかがさらに示される。この場合、ブラインド検出が行われる必要はない。
【００８９】
ＲＭＳＩの伝送を容易にするために、１つのサブフレーム内のＲＭＳＩ検出ウィンドウの最大数量がＮに設定されてもよい。ＳＳ／ＰＢＣＨ  ｂｌｏｃｋのインデックス（候補ＳＳ／ＰＢＣＨ  ｂｌｏｃｋの時間インデックス、及び／又は実際に伝送されたＳＳ／ＰＢＣＨ  ｂｌｏｃｋのインデックスを含む）がＮより大きいとき、ＲＭＳＩは、次のフレーム又はＫ個の隣接するフレームで伝送されてもよい。ＳＳ／ＰＢＣＨ  ｂｌｏｃｋのインデックス（候補ＳＳ／ＰＢＣＨ  ｂｌｏｃｋの時間インデックス、及び／又は実際に伝送されたＳＳ／ＰＢＣＨ  ｂｌｏｃｋのインデックスを含む）がＮ以下であるとき、ＲＭＳＩは、現在のフレーム、又は検出ウィンドウの開始位置が位置するフレームで伝送されてもよい。
【００９０】
例えば、ＳＳ／ＰＢＣＨ  ｂｌｏｃｋ及びページングメッセージ又はＲＭＳＩが時分割多重方式で伝送されるとき、ＲＭＳＩ又はページングメッセージは、ＳＳ／ＰＢＣＨ  ｂｌｏｃｋのものとは異なる半フレームで伝送されてもよく、あるいは最後に実際に伝送され又は可能性として伝送されるＳＳ／ＰＢＣＨ  ｂｌｏｃｋの後に伝送されてもよい。
【００９１】
検出ウィンドウの参照位置は固定されてもよく、あるいは絶対的でもよい。例えば、検出ウィンドウの参照位置は、ＲＭＳＩ検出期間内の第１のシステムフレーム、及び／又はＲＭＳＩ検出期間内の第１のシステムフレームの時間情報に基づいて決定されてもよい。例えば、第１のシステムフレームの時間情報は、第１のシステムフレームの第１のサブフレーム、又は第１のシステムフレームの第１のスロットでもよい。
【００９２】
代替的に、検出ウィンドウの参照位置は、ＳＳ／ＰＢＣＨ  ｂｌｏｃｋの位置に関連してもよい。例えば、検出ウィンドウの参照位置は、ＲＭＳＩ検出期間内の第１のＳＳ／ＰＢＣＨバースト（burst）セット（set）内の第１のＳＳ／ＰＢＣＨ  ｂｌｏｃｋの位置（フレーム及び／又はスロット及び／又はシンボル）に基づいて決定されてもよい。別の例として、検出ウィンドウの参照位置は、ＲＭＳＩ検出期間内の第１のＳＳ／ＰＢＣＨ  ｂｕｒｓｔ  ｓｅｔ内の第１のＳＳ／ＰＢＣＨ  ｂｌｏｃｋの位置でもよい。
【００９３】
検出ウィンドウの位置を決定するとき、端末デバイスは、ＲＭＳＩのＳＣＳ及びＳＳ／ＰＢＣＨ  ｂｌｏｃｋのＳＣＳに基づいて、検出ウィンドウの位置をさらに決定してもよい。
【００９４】
ＲＭＳＩのＳＣＳがＳＳ／ＰＢＣＨ  ｂｌｏｃｋのＳＣＳと同じであるとき、検出ウィンドウの位置は直接決定されてもよい。ＲＭＳＩのＳＣＳがＳＳ／ＰＢＣＨ  ｂｌｏｃｋのＳＣＳと異なるとき、検出ウィンドウの参照位置及び／又は検出ウィンドウのオフセットは、同じＳＣＳに基づく値にコンバートされてもよく、次いで、検出ウィンドウの位置が決定される。
【００９５】
上述のように、ＲＭＳＩ検出ウィンドウの参照位置は固定されてもよい。以下では、ＲＭＳＩ検出ウィンドウの参照位置が固定され得るときにＲＭＳＩ検出ウィンドウの位置を決定する方法について説明する。
【００９６】
ＲＭＳＩ検出ウィンドウの参照位置がＲＭＳＩ検出期間内で固定されることは、以下を含み得る：ＲＭＳＩ検出ウィンドウの参照位置のフレーム位置が固定され、ＲＭＳＩ検出ウィンドウの参照位置のフレーム内位置が固定される。参照位置が位置するフレームは、参照フレームと呼ばれてもよい。
【００９７】
この場合、端末デバイスは、オフセット情報、検出ウィンドウの時間インデックス、及びＲＭＳＩ検出ウィンドウの持続時間に基づいて、ＲＭＳＩ検出ウィンドウの位置を決定してもよい。
【００９８】
本明細書における検出ウィンドウの参照位置は、ＲＭＳＩ検出期間内の第１のＲＭＳＩ検出ウィンドウの参照位置でもよく、あるいは第ＮのＲＭＳＩ検出ウィンドウの参照位置でもよい。Ｎは、ＲＭＳＩ検出期間内の検出ウィンドウの数量である。
【００９９】
検出ウィンドウの参照位置は、２つの部分に分割されてもよい。第１の部分は、検出ウィンドウの参照位置のフレーム位置であり、換言すれば、第１の部分は、検出ウィンドウの参照位置が位置するシステムフレームのフレーム番号である。第２の部分は、検出ウィンドウの参照位置のフレーム内位置である。
【０１００】
第１の部分は、式を使用することにより算出されてもよい。算出方法は以下のとおりである：ＳＦＮ  ｍｏｄ  ｙ＝ｋ１。ＳＦＮは、検出ウィンドウの参照位置が位置するシステムフレームのフレーム番号を表し、ｍｏｄはモジュロ演算を表し、ｙは、フレームで測定されるＲＭＳＩ検出期間を表し、ｋ１は予め定義された値である。
【０１０１】
例えば、ｋ１は固定値でもよく、例えば、０、１、２、３、４、５、６、７、８、９、１０、１１、１２、１３、１４、又は１５のうち任意の値でもよい。たとえば、ｋ１は０である。
【０１０２】
例えば、ｋ１は、ネットワークデバイスにより送信された情報に基づいて構成されてもよい。例えば、ネットワークデバイスは、物理報知チャネル（ＰＢＣＨ）を使用することによりｋ１を構成してもよい。
【０１０３】
例えば、ｋ１は、暗黙的方式で構成されてもよい。例えば、ｋ１の値は、ＰＢＣＨの変調及び符号化方式、ＰＢＣＨの巡回冗長検査（cyclic  redundancy  check、ＣＲＣ）、スクランブル方式、又は巡回シフトを使用することにより暗黙的に示されてもよい。例えば、ｋ１の値は、プライマリ同期信号（ＰＳＳ）の周波数、セカンダリ同期信号（ＳＳＳ）の周波数、ＰＳＳの時間ドメイン位置、ＳＳＳの時間ドメイン位置、ＰＳＳの巡回シフト、ＰＳＳの巡回シフト、ＤＭＲＳ、ＳＳＳの異なる系列、又はＰＳＳの異なる系列を使用することにより暗黙的に示されてもよい。
【０１０４】
検出ウィンドウの参照位置の第２の部分はスロットに基づいてもよく、あるいはサブフレームに基づき又はシンボルに基づいてもよい。第２の部分がスロットに基づくとき、スロットのインデックスは、０〜６３のうち任意の値でもよい。第２の部分がサブフレームに基づくとき、サブフレームのインデックスは０〜９のうち任意の値でもよい。第２の部分がシンボルに基づく一例は、第２の部分が第１のシンボルであることである。第２の部分がスロットに基づく一例は、第２の部分がフレーム内の第１のスロット、例えば、インデックスが０であるスロットであることである。
【０１０５】
第２の部分がスロットに基づくとき、第２の部分の値は、ＰＢＣＨのサブキャリア間隔（subcarrier  spacing、ＳＣＳ）に関連してもよい。例えば、サブキャリア間隔が１５キロヘルツ（ＫＨｚ）のとき、第２の部分の値は第５のスロットであり得、サブキャリア間隔が３０ＫＨｚのとき、第２の部分の値は第１０のスロットであり得、サブキャリア間隔が６０ＫＨｚのとき、第２の部分の値は第２０のスロットであり得、サブキャリア間隔が１２０ＫＨｚのとき、第２の部分の値は第４０のスロットであり得る。
【０１０６】
任意で、検出ウィンドウの開始位置と検出ウィンドウの参照位置との間にオフセットがあってもよく、あるいはオフセットがなくてもよい。
【０１０７】
オフセットがない場合、検出ウィンドウの参照位置は、検出ウィンドウの開始位置として参照されてもよい。オフセットが存在する場合、オフセットは、検出ウィンドウのオフセットとして参照されてもよい。
【０１０８】
検出ウィンドウの開始位置と検出ウィンドウの参照位置との間にオフセットがあるとき、第１の検出ウィンドウの開始位置は、検出ウィンドウの参照位置と検出ウィンドウのオフセットとに基づいて取得されてもよい。
【０１０９】
例えば、図３に示すように、ＲＭＳＩ検出期間は４つのシステムフレームを含み、フレーム番号は、それぞれ、ＳＦＮ０、ＳＦＮ１、ＳＦＮ２、及びＳＦＮ３である。検出ウィンドウの参照位置は、ＲＭＳＩ検出期間内の第１のシステムフレームの第１のスロット、すなわち、フレーム番号がＳＦＮ０であるシステムフレーム内でスロットインデックスが０であるスロットに固定される。さらに、検出ウィンドウのオフセットが５スロットのとき、検出ウィンドウの開始位置は、フレーム番号がＳＦＮ０であるシステムフレーム内でスロットインデックスが５であるスロットであり得る。
【０１１０】
隣接する検出ウィンドウが時間において連続し、任意の２つの検出ウィンドウが同じ持続時間を有するとき、端末デバイスは、検出ウィンドウの参照位置、検出ウィンドウのオフセット、及びＳＳ／ＰＢＣＨ  ｂｌｏｃｋのインデックスに基づいて、ＲＭＳＩ検出期間内の任意の検出ウィンドウの開始位置を算出してもよい。
【０１１１】
例えば、端末デバイスは、式Ｉ＋Ｗｉｎｄｏｗ  ｏｆｆｓｅｔ＋ｘ×ＳＳＢ＿ＴＩに基づいて、第ｘの検出ウィンドウの開始位置を算出してもよく、Ｉは、検出ウィンドウの参照位置を表し、ｗｉｎｄｏｗ  ｏｆｆｓｅｔは、検出ウィンドウの参照位置に対するＲＭＳＩ検出期間内の第１の検出ウィンドウの時間オフセットを表し、ＳＳＢ＿ＴＩは、ＳＳ／ＰＢＣＨ  ｂｌｏｃｋの時間インデックスを表す。ＳＳＢ＿ＴＩは、ＲＭＳＩの時間インデックスとして参照されてもよい。
【０１１２】
任意で、ＳＳＢ＿ＴＩは、可能性として伝送されるＳＳ／ＰＢＣＨ  ｂｌｏｃｋの時間インデックスを表してもよく、あるいは実際に伝送されたＳＳ／ＰＢＣＨ  ｂｌｏｃｋの時間インデックスを表してもよい。
【０１１３】
例えば、図３に示すように、検出ウィンドウの参照位置が第１のフレームの第１のスロットであり、ｗｉｎｄｏｗ  ｏｆｆｓｅｔが５スロットであり、検出ウィンドウの持続時間が１スロットであるとき、第２の検出ウィンドウの開始位置は０＋５＋１×２＝７である。換言すれば、第２の検出ウィンドウの開始位置は、第１のフレーム内でインデックスが７であるスロットである。
【０１１４】
ＲＭＳＩがフレームにわたり伝送されるとき、検出ウィンドウが位置するフレームは、式ｋ１＋ｆｌｏｏｒ（（Ｉ＋Ｗｉｎｄｏｗ  ｏｆｆｓｅｔ＋ｘ×ＳＳＢ＿ＴＩ）／Ｎ）を使用することにより算出されてもよく、検出ウィンドウの開始スロットは、式（Ｉ＋Ｗｉｎｄｏｗ  ｏｆｆｓｅｔ＋ｘ×ＳＳＢ＿ＴＩ）  ｍｏｄ  Ｎを使用することにより算出されてもよい。検出ウィンドウの開始位置はシステムフレーム内のスロットの数量に関連し得、あるいはシステムフレームのＳＣＳに関連し得ることが習得できる。本明細書における検出ウィンドウの開始位置は、１つの検出ウィンドウの開始位置であることに留意されたい。
【０１１５】
ＲＭＳＩ監視ウィンドウが重なる（overlap）とき、重なり係数がｋである、換言すればｋ個の監視ウィンドウが重なることを仮定し、検出ウィンドウの開始位置を算出する式は、Ｉ＋Ｗｉｎｄｏｗ  ｏｆｆｓｅｔ＋ｘ×ｆｌｏｏｒ（ＳＳＢ＿ＴＩ／ｋ）である。代替的に、検出ウィンドウが位置するフレームが、式ｋ１＋ｆｌｏｏｒ（（Ｉ＋ｗｉｎｄｏｗ  ｏｆｆｓｅｔ＋ｘ×ｆｌｏｏｒ（ＳＳＢ＿ＴＩ／ｋ））／Ｎを使用することにより算出されてもよく、検出ウィンドウの開始位置は、式（Ｉ＋ｗｉｎｄｏｗ  ｏｆｆｓｅｔ＋ｘ×ｆｌｏｏｒ（ＳＳＢ＿ＴＩ／ｋ））  ｍｏｄ  Ｎを使用することにより算出される。
【０１１６】
端末デバイスにより受信される、可能性として伝送されるＳＳ／ＰＢＣＨ  ｂｌｏｃｋのインデックスは、比較的大きい可能性がある。例えば、ＳＣＳが６０ＫＨｚのＳＳ／ＰＢＣＨ  ｂｌｏｃｋについて、端末デバイスにより受信されるＳＳ／ＰＢＣＨ  ｂｌｏｃｋのインデックスは４５であり得る。１つの検出ウィンドウの持続時間が１スロットである場合、４５スロットが必要とされる。したがって、ＲＭＳＩは少なくとも２つのフレームで受信される必要がある。
【０１１７】
Ｎの値は、ＲＭＳＩ検出期間、ＳＳ／ＰＢＣＨ  ｂｕｒｓｔ  ｓｅｔの期間中に可能性として伝送されるＳＳ／ＰＢＣＨ  ｂｌｏｃｋの数量、ＳＳ／ＰＢＣＨ  ｂｌｏｃｋの周波数帯範囲、端末デバイスのサービスタイプ、上りリンク／下りリンク時間リソース比、サブキャリア間隔、又は検出ウィンドウの持続時間などの情報に基づいて決定されてもよい。
【０１１８】
例えば、ＳＣＳが１５ＫＨｚのとき、Ｎの値は５であり得、ＳＣＳが３０ＫＨｚのとき、Ｎの値は１０であり得、ＳＣＳが６０ＫＨｚのとき、Ｎの値は２０であり得、あるいはＳＣＳが１２０ＫＨｚのとき、Ｎの値は４０であり得る。
【０１１９】
少なくとも２つの隣接する検出ウィンドウは、時間において不連続でもよい。この場合、検出ウィンドウの位置の算出の間、別のオフセットが導入される必要がある。オフセットは、フレームに基づいてもよい。２つの不連続な監視ウィンドウ間のオフセットの一部の情報又は全部の情報が明確であり得、換言すれば、端末デバイスにより習得され得る。
【０１２０】
例えば、第１の検出ウィンドウの位置は、ＲＭＳＩ検出期間内の第ｓのフレーム内にあり、第（ｉ＋１）の検出ウィンドウの位置は、ＲＭＳＩ検出期間内の第（ｓ＋１）のフレーム内にある。この場合、検出ウィンドウの開始位置スロットを算出する方法は、（Ｉ＋Ｗｉｎｄｏｗ  ｏｆｆｓｅｔ＋ｘ×ＳＳＢ＿ＴＩ）  ｍｏｄ  ｉでもよく、ｉは正の整数であり、ｓは正の整数である。
【０１２１】
隣接する検出ウィンドウが時間において不連続であり、隣接する検出ウィンドウの開始位置間にｚスロットの差があるとき、検出ウィンドウが位置するフレームは、式ｓ＋ｆｌｏｏｒ（（Ｉ＋ｗｉｎｄｏｗ  ｏｆｆｓｅｔ＋ｚ×ＳＳＢ＿ＴＩ）／Ｎ）を使用することにより算出されてもよく、検出ウィンドウが位置するスロットは、式（Ｉ＋ｗｉｎｄｏｗ  ｏｆｆｓｅｔ＋ｚ×ＳＳＢ＿ＴＩ）  ｍｏｄ  Ｎを使用することにより算出されてもよい。
【０１２２】
ＲＭＳＩ制御情報及び／又はデータ情報並びにＳＳ／ＰＢＣＨ  ｂｌｏｃｋが周波数分割方式で多重化されるとき、ＲＭＳＩ周波数位置がＲＭＳＩ検出ウィンドウの持続時間に関連してもよく、あるいはＲＭＳＩ検出ウィンドウの開始時間位置に関連してもよい。
【０１２３】
例えば、図４に示すように、ＲＭＳＩ制御情報及び／又はデータ情報の周波数位置並びにＳＳ／ＰＢＣＨ  ｂｌｏｃｋの周波数位置に関する４つのケースがあり得る。最初の３つのケースは、ＲＭＳＩ制御情報及び／又はデータ情報とＳＳ／ＰＢＣＨ  ｂｌｏｃｋとが周波数分割方式で多重化されるとき存在する周波数位置関係を示し、最後のケースは、ＲＭＳＩ制御情報及び／又はデータ情報とＳＳ／ＰＢＣＨ  ｂｌｏｃｋとが時分割方式で多重化されるとき存在する周波数位置関係を示す。
【０１２４】
図４から、ＲＭＳＩの周波数位置は、ＲＭＳＩ及びＳＳ／ＰＢＣＨ  ｂｌｏｃｋが周波数分割方式で多重化されていることを示すことが分かる。ＲＭＳＩ制御情報及び／又はデータ情報の周波数位置とＳＳ／ＰＢＣＨ  ｂｌｏｃｋの周波数位置との間の位置関係は、ＲＭＳＩ検出ウィンドウの持続時間が周波数分割多重化の間の半スロットであることを示すことができ、あるいはＲＭＳＩ検出ウィンドウの開始時間位置が周波数分割多重化の間のＳＳ／ＰＢＣＨ  ｂｌｏｃｋの開始時間位置と同じであることを示すことができる。この場合、ｗｉｎｄｏｗ  ｏｆｆｓｅｔが示される必要はなくてもよい。
【０１２５】
検出ウィンドウの位置は相対的である。例えば、検出ウィンドウの位置がＳＳ／ＰＢＣＨ  ｂｌｏｃｋの位置に対し相対的であるとき、検出ウィンドウの位置は、ＲＭＳＩ検出期間とＳＳ／ＰＢＣＨ  ｂｕｒｓｔ  ｓｅｔの期間との間の関係に基づいて異なる方法を使用することにより決定されてもよい。
【０１２６】
検出ウィンドウの位置が相対的であるとき、検出ウィンドウの位置はさらに、ＲＭＳＩ検出期間とＳＳ／ＰＢＣＨ  ｂｕｒｓｔ  ｓｅｔの期間との間の関係を検出することにより決定されてもよい。
【０１２７】
ＲＭＳＩ検出期間がＳＳ／ＰＢＣＨ  ｂｌｏｃｋの期間に関連するとき、検出ウィンドウの位置は、検出ウィンドウの参照位置が固定されているときに検出ウィンドウの位置を決定する方法を参照して決定されてもよい。検出ウィンドウの参照位置が固定されているときに検出ウィンドウの位置を決定する方法における固定参照位置は、ＳＳ／ＰＢＣＨ  ｂｌｏｃｋの位置で置換される必要があり、あるいは検出ウィンドウの参照位置が固定されているときに検出ウィンドウの位置を決定する方法における固定参照位置は、第ｉの検出ウィンドウの位置を決定するために、第ｉのＳＳ／ＰＢＣＨ  ｂｌｏｃｋの位置で置換される必要があることに留意されたい。
【０１２８】
ＲＭＳＩのＳＣＳがＳＳ／ＰＢＣＨ  ｂｌｏｃｋのＳＣＳと異なるとき、検出ウィンドウの参照位置及び／又は検出ウィンドウのオフセットは、同じＳＣＳに基づく値にコンバートされてもよく、次いで、検出ウィンドウの位置は、ＲＭＳＩのＳＣＳがＳＳ／ＰＢＣＨのＳＣＳと同じであるときに検出ウィンドウの位置を決定する方法に基づいて決定される。
【０１２９】
ＲＭＳＩのＳＣＳがＳＳ／ＰＢＣＨ  ｂｌｏｃｋのＳＣＳと同じであるとき、検出ウィンドウの位置は、検出ウィンドウの参照位置が固定されているときに検出ウィンドウの位置を決定する方法を参照して決定されてもよい。検出ウィンドウの参照位置が固定されているときに検出ウィンドウの位置を決定する方法における固定参照位置は、ＳＳ／ＰＢＣＨ  ｂｌｏｃｋの位置で置換される必要があり、あるいは検出ウィンドウの参照位置が固定されているときに検出ウィンドウの位置を決定する方法における固定参照位置は、第ｉの検出ウィンドウの位置を決定するために、第ｉのＳＳ／ＰＢＣＨ  ｂｌｏｃｋの位置で置換される必要があることに留意されたい。
【０１３０】
ＲＭＳＩ検出期間がＳＳ／ＰＢＣＨ  ｂｕｒｓｔ  ｓｅｔの期間と無関係であるとき、ＲＭＳＩ検出期間内のＳＳ／ＰＢＣＨ  ｂｕｒｓｔ  ｓｅｔ０内のＳＳ／ＰＢＣＨ  ｂｌｏｃｋ０が位置するスロットが、検出ウィンドウの参照位置として使用されてもよく、ＲＭＳＩ検出期間内のＳＳ／ＰＢＣＨ  ｂｕｒｓｔ  ｓｅｔ  ｎ内のＳＳ／ＰＢＣＨ  ｂｌｏｃｋ０が位置するスロットが、参照位置として使用されてもよく、ＲＭＳＩ検出期間内のＳＳ／ＰＢＣＨ  ｂｕｒｓｔ  ｓｅｔ０内のＳＳ／ＰＢＣＨ  ｂｌｏｃｋ  ｎが位置するスロットが、参照位置として使用されてもよく、ＲＭＳＩ検出期間内のＳＳ／ＰＢＣＨ  ｂｕｒｓｔ  ｓｅｔ  ｎ内のＳＳ／ＰＢＣＨ  ｂｌｏｃｋ  ｎが位置するスロットが、参照位置として使用されてもよく、ＲＭＳＩ検出期間内のＳＳ／ＰＢＣＨ  ｂｕｒｓｔ  ｓｅｔ０内のＳＳ／ＰＢＣＨ  ｂｌｏｃｋ０が位置するミニスロットが、参照位置として使用されてもよく、ＲＭＳＩ検出期間内のＳＳ／ＰＢＣＨ  ｂｕｒｓｔ  ｓｅｔ０内のＳＳ／ＰＢＣＨ  ｂｌｏｃｋ  ｎが位置するミニスロットが、参照位置として使用されてもよく、ＲＭＳＩ検出期間内のＳＳ／ＰＢＣＨ  ｂｕｒｓｔ  ｓｅｔ  ｎ内のＳＳ／ＰＢＣＨ  ｂｌｏｃｋ０が位置するミニスロットが、参照位置として使用されてもよく、ＲＭＳＩ検出期間内のＳＳ／ＰＢＣＨ  ｂｕｒｓｔ  ｓｅｔ  ｎ内のＳＳ／ＰＢＣＨ  ｂｌｏｃｋ  ｎが位置するミニスロットが、参照位置として使用されてもよく、ＲＭＳＩ検出期間内のＳＳ／ＰＢＣＨ  ｂｕｒｓｔ  ｓｅｔ０内のＳＳ／ＰＢＣＨ  ｂｌｏｃｋ０が位置する第１のシンボルが、参照位置として使用されてもよく、ＲＭＳＩ検出期間内のＳＳ／ＰＢＣＨ  ｂｕｒｓｔ  ｓｅｔ０内のＳＳ／ＰＢＣＨ  ｂｌｏｃｋ  ｎが位置する第１のシンボルが、参照位置として使用されてもよく、ＲＭＳＩ検出期間内のＳＳ／ＰＢＣＨ  ｂｕｒｓｔ  ｓｅｔ  ｎ内のＳＳ／ＰＢＣＨ  ｂｌｏｃｋ０が位置する第１のシンボルが、参照位置として使用されてもよく、あるいはＲＭＳＩ検出期間内のＳＳ／ＰＢＣＨ  ｂｕｒｓｔ  ｓｅｔ  ｎ内のＳＳ／ＰＢＣＨ  ｂｌｏｃｋ  ｎが位置する第１のシンボルが、参照位置として使用されてもよい。例えば、ＲＭＳＩ検出期間内の第１のＳＳ／ＰＢＣＨ  ｂｕｒｓｔ  ｓｅｔ内の第１のＳＳ／ＰＢＣＨ  ｂｌｏｃｋが、参照位置として使用される。
【０１３１】
ＲＭＳＩ検出期間がＳＳ／ＰＢＣＨ  ｂｌｏｃｋの期間と無関係であり、ＲＭＳＩ検出期間が不明であり、又はＳＳ／ＰＢＣＨ  ｂｌｏｃｋの期間が不明なとき、あるいは他の場合、端末デバイスがＳＳ／ＰＢＣＨ  ｂｌｏｃｋを検出した後、端末デバイスは、ＳＳ／ＰＢＣＨ  ｂｌｏｃｋの位置に基づいて検出ウィンドウの位置を決定できない。この場合、端末デバイスは５つの方法を使用することによりＲＭＳＩを受信してもよい。
【０１３２】
第１の方法では、端末デバイスは、検出ウィンドウの位置を決定するために、検出ウィンドウをブラインド検出する。
【０１３３】
例えば、ＳＳ／ＰＢＣＨ  ｂｌｏｃｋを検出した後、端末デバイスは、ＲＭＳＩが伝送され得る複数の時間ウィンドウをブラインド検出する。各時間ウィンドウの持続時間は、５ｍｓ又は１０ｍｓであり得る。
【０１３４】
第２の方法では、ネットワークデバイスは、ＰＢＣＨを使用することにより、ＳＳ／ＰＢＣＨ  ｂｌｏｃｋに関連づけられた検出ウィンドウの位置を示し、あるいは検出ウィンドウの参照位置として使用されるＳＳ／ＰＢＣＨ  ｂｕｒｓｔ  ｓｅｔの位置を示す。ネットワークデバイスは、ネットワークデバイスの指示に基づいてＲＭＳＩ検出ウィンドウの位置を算出する。
【０１３５】
ネットワークデバイスは、ＳＳ／ＰＢＣＨ  ｂｌｏｃｋに関連づけられたＲＭＳＩ監視ウィンドウの位置が、ＲＭＳＩに関連づけられたＳＳ／ＰＢＣＨ  ｂｕｒｓｔ  ｓｅｔが位置するフレームであり、１つのＲＭＳＩ検出期間内のＳＳ／ＰＢＣＨ  ｂｕｒｓｔ  ｓｅｔが位置するフレームの位置でもよく、あるいはＲＭＳＩとＳＳ／ＰＢＣＨ  ｂｕｒｓｔ  ｓｅｔとの間の伝送時間間隔（transmission  time  interval、ＴＴＩ）が位置するフレームの位置でもよいことを示し、３ビットが、８つのフレーム位置を示すために使用されてもよく、２ビットが、４つのフレーム位置を示すために使用されてもよく、あるいは１ビットが、２つのフレーム位置を示すために使用されてもよい。
【０１３６】
第３の方法では、ネットワークデバイスは、ＰＢＣＨを使用することによりＳＳ／ＰＢＣＨ  ｂｕｒｓｔ  ｓｅｔの期間を示す。端末デバイスは、ＳＳ／ＰＢＣＨ  ｂｕｒｓｔ  ｓｅｔ内のＳＳ／ＰＢＣＨ  ｂｌｏｃｋを検出した後、受信したＳＳ／ＰＢＣＨ  ｂｌｏｃｋのフレーム情報、スロット情報、シンボル情報などの情報に基づいて、検出ウィンドウの参照位置として使用されるＳＳ／ＰＢＣＨ  ｂｕｒｓｔ  ｓｅｔ内の位置を決定して、検出ウィンドウの開始位置を決定してもよい。
【０１３７】
第４の方法では、ネットワークデバイスは、ＰＢＣＨを使用することにより、ＰＢＣＨが位置するＳＳ／ＰＢＣＨ  ｂｕｒｓｔ  ｓｅｔがＲＭＳＩ検出期間内の検出ウィンドウセットに関連づけられてＲＭＳＩ位置を決定するかどうか、又はＰＢＣＨが位置するＳＳ／ＰＢＣＨ  ｂｕｒｓｔ  ｓｅｔがＲＭＳＩ検出ウィンドウの参照ＳＳ／ＰＢＣＨ  ｂｕｒｓｔ  ｓｅｔであるかどうかを示す。例えば、１ビットが指示に使用されてもよい。ＳＳ／ＰＢＣＨ  ｂｕｒｓｔ  ｓｅｔ内のＳＳ／ＰＢＣＨ  ｂｌｏｃｋを検出した後、端末デバイスは、情報に基づいて、ＰＢＣＨが位置するＳＳ／ＰＢＣＨ  ｂｕｒｓｔ  ｓｅｔがＲＭＳＩ検出期間内の検出ウィンドウセットに関連づけられてＲＭＳＩ位置を決定するかどうか、又はＰＢＣＨが位置するＳＳ／ＰＢＣＨ  ｂｕｒｓｔ  ｓｅｔがＲＭＳＩ検出ウィンドウの参照ＳＳ／ＰＢＣＨ  ｂｕｒｓｔ  ｓｅｔであるかどうかを決定し、次いで、次回のＳＳ／ＰＢＣＨ  ｂｕｒｓｔ  ｓｅｔ又はＳＳ／ＰＢＣＨ  ｂｌｏｃｋを検出するかどうかを決定する。
【０１３８】
第５の方法は、前述の方法の組み合わせである。
【０１３９】
ＲＭＳＩ検出期間がＳＳ／ＰＢＣＨ  ｂｕｒｓｔ  ｓｅｔの期間に関連するとき、ＲＭＳＩ検出期間とＳＳ／ＰＢＣＨ  ｂｕｒｓｔ  ｓｅｔの期間との間の関係は、以下のうち任意の１つでもよい：ＲＭＳＩ検出期間がＳＳ／ＰＢＣＨ  ｂｌｏｃｋの期間と同じであること、ＲＭＳＩ検出期間がＳＳ／ＰＢＣＨ  ｂｌｏｃｋの期間の整数倍であること、及びＲＭＳＩ検出期間がＳＳ／ＰＢＣＨ  ｂｌｏｃｋの期間より大きいこと、及びＲＭＳＩ検出期間がＳＳ／ＰＢＣＨ  ｂｌｏｃｋの期間の分数倍又は小数倍であること。
【０１４０】
ＲＭＳＩ検出期間がＳＳ／ＰＢＣＨ  ｂｌｏｃｋの期間と異なるとき、ＲＭＳＩ検出期間は固定されていてもよく、あるいは固定されていなくてもよい。例えば、固定ＲＭＳＩ検出期間は、２０ｍｓ又は４０ｍｓでもよい。
【０１４１】
ＲＭＳＩ検出期間が固定されていないとき、ＲＭＳＩ検出期間は、ＳＳ／ＰＢＣＨ  ｂｕｒｓｔ  ｓｅｔの期間の倍数でもよい。具体的に、倍数は、整数倍、例えば２倍でもよく、あるいは分数倍、例えば１／２倍でもよい。
【０１４２】
ＲＭＳＩ検出期間がＳＳ／ＰＢＣＨ  ｂｌｏｃｋの期間と同じであるとき、検出ウィンドウの参照位置は、ＳＳ／ＰＢＣＨ  ｂｕｒｓｔ  ｓｅｔ内の第１のＳＳ／ＰＢＣＨ  ｂｌｏｃｋの位置に基づいて決定されてもよく、あるいは第ｉの検出ウィンドウの位置は、ＳＳ／ＰＢＣＨ  ｂｕｒｓｔ  ｓｅｔ内の第１のＳＳ／ＰＢＣＨ  ｂｌｏｃｋの位置に基づいて決定されてもよい。
【０１４３】
以下では、ＲＭＳＩ検出期間がＳＳ／ＰＢＣＨ  ｂｌｏｃｋの期間と同じであるときに検出ウィンドウの参照位置を決定し、参照位置に基づいて検出ウィンドウの位置をさらに決定するために端末デバイスにより使用される方法について説明する。
【０１４４】
ＲＭＳＩ検出期間がＳＳ／ＰＢＣＨ  ｂｌｏｃｋの期間と同じであるケースがさらに分割された後に得られる２つのケースを以下に説明する。一方のケースでは、検出ウィンドウの参照位置は、ＳＳ／ＰＢＣＨ  ｂｌｏｃｋの位置に関連する。他方のケースでは、ＲＭＳＩ期間内の第ｉの検出ウィンドウの参照位置は、ＳＳ／ＰＢＣＨ  ｂｕｒｓｔ  ｓｅｔにおける第ｉのＳＳ／ＰＢＣＨ  ｂｌｏｃｋの位置に関連する。
【０１４５】
ＲＭＳＩ検出期間がＳＳ／ＰＢＣＨ  ｂｌｏｃｋの期間と同じである一例を図５に示す。ＲＭＳＩ検出期間及びＳＳ／ＰＢＣＨ  ｂｌｏｃｋの期間は各々４０ｍｓである。
【０１４６】
以下では、検出ウィンドウの参照位置がＳＳ／ＰＢＣＨ  ｂｌｏｃｋの位置に関連するときに検出ウィンドウの参照位置を決定し、参照位置に基づいて検出ウィンドウの位置をさらに決定するために端末デバイスにより使用される方法について説明する。
【０１４７】
ＲＭＳＩ検出期間がＳＳ／ＰＢＣＨ  ｂｌｏｃｋの期間と同じとき、検出ウィンドウの参照位置は、ＳＳ／ＰＢＣＨ  ｂｕｒｓｔ  ｓｅｔ内の第１のＳＳ／ＰＢＣＨ  ｂｌｏｃｋの位置であり得る。このようにして、ＳＳ／ＰＢＣＨ  ｂｌｏｃｋを検出した後、端末デバイスは、ＲＭＳＩ検出期間に基づいてＳＳ／ＰＢＣＨ  ｂｌｏｃｋの期間を推論し、受信したＳＳ／ＰＢＣＨ  ｂｌｏｃｋのインデックスに基づいて、ＳＳ／ＰＢＣＨ  ｂｕｒｓｔ  ｓｅｔ内の最初に可能性として伝送されるＳＳ／ＰＢＣＨ  ｂｌｏｃｋの位置を推論し、その位置を検出ウィンドウの参照位置として使用してもよい。
【０１４８】
次いで、式Ｏ＋Ｗｉｎｄｏｗ  ｏｆｆｓｅｔ＋ｘ×ＳＳＢ＿ＴＩを使用することにより、第（ＳＳＢ＿ＴＩ）の検出ウィンドウの位置が推論され得る。ＳＳＢ＿ＴＩは、０から始まるＳＳ／ＰＢＣＨ  ｂｌｏｃｋの時間インデックスである。Ｏは、ＳＳ／ＰＢＣＨ  ｂｕｒｓｔ  ｓｅｔ内の第１のＳＳ／ＰＢＣＨ  ｂｌｏｃｋの位置であり、スロット０又はスロットｎであり得、サブフレーム０又はサブフレームｎであり得、あるいはミニスロット０又はミニスロットｎであり得る。
【０１４９】
Ｏがスロット０のとき、Ｏは式中に存在しなくてもよい。換言すれば、式は、Ｗｉｎｄｏｗ  ｏｆｆｓｅｔ＋ｘ×ＳＳＢ＿ＴＩに簡素化され得る。
【０１５０】
ｗｉｎｄｏｗ  ｏｆｆｓｅｔの特徴は、検出ウィンドウの参照位置が固定されているときのｗｉｎｄｏｗ  ｏｆｆｓｅｔの特徴を含み得る。詳細はここで再度説明されない。
【０１５１】
さらに、ＦＤＭ又はＴＤＭを示すためのデータビットが、ｗｉｎｄｏｗ  ｏｆｆｓｅｔを示すために使用されてもよい。例えば、ＦＤＭを示すためのデータビット値は、検出ウィンドウの開始位置が、検出ウィンドウの参照位置として使用されるＳＳ／ＰＢＣＨ  ｂｕｒｓｔ  ｓｅｔ内のＳＳ／ＰＢＣＨ  ｂｌｏｃｋの位置と同じであることを示すことができ、ｉは、０〜Ｎのうち任意の値であり、Ｎは、ＲＭＳＩ検出期間内の検出ウィンドウの数量である。
【０１５２】
例えば、ＴＤＭを示すためのデータビットは、検出ウィンドウの参照位置が、検出ウィンドウの参照位置として使用されるＳＳ／ＰＢＣＨ  ｂｕｒｓｔ  ｓｅｔ内のＳＳ／ＰＢＣＨ  ｂｌｏｃｋの位置と半フレームだけ異なることを示すことができる。
【０１５３】
ＳＳ／ＰＢＣＨ  ｂｌｏｃｋのＳＣＳがＲＭＳＩのＳＣＳと異なるとき、ＳＳ／ＰＢＣＨ  ｂｌｏｃｋのＳＣＳに基づいて定義されるｗｉｎｄｏｗ  ｏｆｆｓｅｔが使用されてもよく、あるいはＲＭＳＩのＳＣＳに基づいて定義されるｗｉｎｄｏｗ  ｏｆｆｓｅｔが使用されてもよい。
【０１５４】
検出ウィンドウの参照位置として使用されるＳＳ／ＰＢＣＨ  ｂｌｏｃｋの位置におけるスロットの単位は、ＳＳ／ＰＢＣＨ  ｂｌｏｃｋのＳＣＳに基づいて定義されてもよく、あるいはＲＭＳＩのＳＣＳに基づいて定義されてもよい。
【０１５５】
さらに、ｗｉｎｄｏｗ  ｏｆｆｓｅｔは半フレームに基づくものではない。ｗｉｎｄｏｗ  ｏｆｆｓｅｔのサイズはｎスロットである。スロットの単位は、ＳＳ／ＰＢＣＨ  ｂｌｏｃｋのＳＣＳに基づいてもよく、あるいはＲＭＳＩのＳＣＳに基づいてもよい。
【０１５６】
ＲＭＳＩ検出ウィンドウの開始位置を算出する第１の方法は、以下を含み得る：Ｏの値が、ＳＳ／ＰＢＣＨ  ｂｌｏｃｋのＳＣＳに基づき、ｗｉｎｄｏｗ  ｏｆｆｓｅｔは、ＲＭＳＩのＳＣＳに基づき、Ｏの値は、ＲＭＳＩのＳＣＳに変換される。ＲＭＳＩのＳＣＳがＳＳ／ＰＢＣＨ  ｂｌｏｃｋのＳＣＳより大きいとき、Ｏを変換した後に得られる値は、Ｏ＿ＲＭＳＩ＝Ｏ×ｍであり、ｍは、ＲＭＳＩのＳＣＳとＳＳ／ＰＢＣＨ  ｂｌｏｃｋのＳＣＳとの間の倍数関係を表す。ＲＭＳＩのＳＣＳがＳＳ／ＰＢＣＨ  ｂｌｏｃｋのＳＣＳより小さいとき、Ｏを変換した後に得られる値は、Ｏ＿ＲＭＳＩ＝ｆｌｏｏｒ（Ｏ／ｍ）であり、ｍは、ＳＳ／ＰＢＣＨ  ｂｌｏｃｋのＳＣＳとＲＭＳＩのＳＣＳとの間の倍数関係を表す。
【０１５７】
Ｏ＿ＲＭＳＩを算出する前述の式は、Ｏ＿ＲＭＳＩ＝ｆｌｏｏｒ（Ｏ×ｍ）へ組み合わせられてもよく、ｍは、ＳＳ／ＰＢＣＨ  ｂｌｏｃｋのＳＣＳがＲＭＳＩのＳＣＳの分数倍又は整数倍であることを表し得る。
【０１５８】
Ｏ＿ＲＭＳＩが算出された後、ＲＭＳＩ検出ウィンドウの特定の位置は、式Ｏ＿ＲＭＳＩ＋Ｗｉｎｄｏｗ  ｏｆｆｓｅｔ＋ｘ×ＳＳＢ＿ＴＩを使用することにより算出されてもよく、ｘは、検出ウィンドウの持続時間であり、ＳＳＢ＿ＴＩは、検出ウィンドウの時間インデックス又はＳＳ／ＰＢＣＨ  ｂｌｏｃｋのインデックスである。
【０１５９】
ＲＭＳＩ検出ウィンドウの開始位置を算出する第２の方法は、以下を含み得る：Ｏの値が、ＳＳ／ＰＢＣＨ  ｂｌｏｃｋのＳＣＳに基づき、ｗｉｎｄｏｗ  ｏｆｆｓｅｔは、ＳＳ／ＰＢＣＨ  ｂｌｏｃｋのＳＣＳに基づき、Ｏ＋Ｗｉｎｄｏｗ  ｏｆｆｓｅｔの値が、ＲＭＳＩのＳＣＳに変換される。
【０１６０】
ＲＭＳＩのＳＣＳがＳＳ／ＰＢＣＨ  ｂｌｏｃｋのＳＣＳより大きいとき、Ｏ＋Ｗｉｎｄｏｗ  ｏｆｆｓｅｔを変換した後に得られる値は、（Ｏ＋Ｗｉｎｄｏｗ  ｏｆｆｓｅｔ）×ｍであり、ｍは、ＲＭＳＩのＳＣＳとＳＳ／ＰＢＣＨ  ｂｌｏｃｋのＳＣＳとの間の倍数関係を表す。ＲＭＳＩのＳＣＳがＳＳ／ＰＢＣＨ  ｂｌｏｃｋのＳＣＳより小さいとき、Ｏ＋ｗｉｎｄｏｗ  ｏｆｆｓｅｔを変換した後に得られる値は、ｆｌｏｏｒ（（Ｏ＋Ｗｉｎｄｏｗ  ｏｆｆｓｅｔ）／ｍ）であり、ｍは、ＳＳ／ＰＢＣＨ  ｂｌｏｃｋのＳＣＳとＲＭＳＩのＳＣＳとの間の倍数関係を表す。
【０１６１】
Ｏ＋Ｗｉｎｄｏｗ  ｏｆｆｓｅｔを変換する２つの式は、ｆｌｏｏｒ（（Ｏ＋Ｗｉｎｄｏｗ  ｏｆｆｓｅｔ）×ｍ）へ組み合わせられてもよい。ｍは、ＳＳ／ＰＢＣＨ  ｂｌｏｃｋのＳＣＳとＲＭＳＩのＳＣＳとの間の倍数関係を表し、ｍは、分数倍を表すことがあり、あるいは整数倍を表すことがある。
【０１６２】
（Ｏ＋Ｗｉｎｄｏｗ  ｏｆｆｓｅｔ）×ｍ）が算出された後、次いで、ＲＭＳＩ検出ウィンドウの特定の位置は、式ｆｌｏｏｒ（（Ｏ＋Ｗｉｎｄｏｗ  ｏｆｆｓｅｔ）×ｍ）＋ｘ×ＳＳＢ＿ＴＩを使用することにより算出される。
【０１６３】
代替的に、ＲＭＳＩ検出ウィンドウの開始位置又は特定の位置は、１つのフレーム内で伝送される検出ウィンドウの最大数量Ｎに基づいて決定されてもよい。
【０１６４】
例えば、ＳＳ／ＰＢＣＨ  ｂｕｒｓｔ  ｓｅｔが位置するフレームのフレーム番号がｋ１である場合、ＲＭＳＩ検出ウィンドウのインデックス又はＲＭＳＩに関連づけられたＳＳ／ＰＢＣＨ  ｂｌｏｃｋの時間インデックスがＮより大きいとき、ＲＭＳＩは、フレーム番号がｋ１＋１であるフレーム内で伝送され得る。
【０１６５】
ｆｌｏｏｒ（（ｆｌｏｏｒ（（Ｏ＋Ｗｉｎｄｏｗ  ｏｆｆｓｅｔ）×ｍ）＋ｘ×ＳＳＢ＿ＴＩ）／Ｎ）＝ｋ２の場合、ＲＭＳＩ検出ウィンドウは、フレーム番号がｋ１＋ｋ２のフレームで伝送される。
【０１６６】
（ｆｌｏｏｒ（（Ｏ＋Ｗｉｎｄｏｗ  ｏｆｆｓｅｔ）×ｍ）＋ｘ×ＳＳＢ＿ＴＩ）  ｍｏｄ  Ｎ＝ｋ３の場合、フレーム番号がｋ１＋ｋ２のフレーム内のＲＭＳＩ検出ウィンドウのスロット位置は、ｆｌｏｏｒ（（Ｏ＋Ｗｉｎｄｏｗ  ｏｆｆｓｅｔ）×ｍ）＋ｋ３×ＳＳＢ＿ＴＩである。
【０１６７】
ｗｉｎｄｏｗ  ｏｆｆｓｅｔの指示情報は、他の情報と多重化されてもよい。例えば、ＲＭＳＩ及びＳＳ／ＰＢＣＨ  ｂｌｏｃｋが周波数分割方式で多重化されているとき、ＲＭＳＩのＳＣＳはＳＳ／ＰＢＣＨ  ｂｌｏｃｋのＳＣＳと同じであるため、ＳＣＳを示す１ビットのデータが、ｗｉｎｄｏｗ  ｏｆｆｓｅｔのいくつかの値又は全ての値を示すために使用されてもよく、あるいは１ビットが、ｗｉｎｄｏｗ  ｏｆｆｓｅｔの指示情報の一部として使用される。例えば、ｗｉｎｄｏｗ  ｏｆｆｓｅｔを示す情報のデータビットが１ビットであり、０ｍｓ又は５ｍｓが示されているとき、その１ビットは指示のためにさらに使用される。ＳＣＳを示す１ビットのデータが、ｗｉｎｄｏｗ  ｏｆｆｓｅｔのいくつかの値又は全ての値を示すために使用されるとき、ビットは１５ｍｓ及び１０ｍｓを示す。ＳＣＳを示す１ビットのデータが、ｗｉｎｄｏｗ  ｏｆｆｓｅｔの指示情報の一部として使用されるとき、２ビットあり、００は０ｍｓを表し、０１は５ｍｓを表し、１０は１０ｍｓを表し、１１は１５ｍｓを表す。
【０１６８】
ＲＭＳＩ及びＳＳ／ＰＢＣＨ  ｂｌｏｃｋが周波数分割方式で多重化されているとき、各ＲＭＳＩ監視ウィンドウの持続時間は０．５ｍｓでもよい。したがって、検出ウィンドウの持続時間は構成されなくてもよい。このようにして、検出ウィンドウの持続時間を示すデータビットが、ｗｉｎｄｏｗ  ｏｆｆｓｅｔを示すために使用されてもよい。例えば、ｗｉｎｄｏｗ  ｏｆｆｓｅｔを示す情報のデータビットが１ビットであり、検出ウィンドウの持続時間を示す情報が１ビットであり、０ｍｓ又は５ｍｓが示されているとき、その１ビットは指示のためにさらに使用される。ＳＣＳを示す１ビットのデータが、ｗｉｎｄｏｗ  ｏｆｆｓｅｔのいくつかの値又は全ての値を示すために使用されるとき、ビットは１５ｍｓ及び１０ｍｓを示す。ＳＣＳを示す１ビットのデータが、ｗｉｎｄｏｗ  ｏｆｆｓｅｔの指示情報の一部として使用されるとき、２ビットあり、００は０ｍｓを表し、０１は５ｍｓを表し、１０は１０ｍｓを表し、１１は１５ｍｓを表す。
【０１６９】
異なる検出ウィンドウは、異なるｗｉｎｄｏｗ  ｏｆｆｓｅｔを有してもよい。少なくとも２つの隣接ｗｉｎｄｏｗ  ｏｆｆｓｅｔは同じでもよく、あるいは少なくとも２つの隣接ｗｉｎｄｏｗ  ｏｆｆｓｅｔは異なってもよい。例えば、１つのフレームが１０スロットを有するとき、最初の５スロットが下りリンク伝送に使用されてもよく、最後の５スロットが上りリンク伝送に使用される。ＲＭＳＩ監視ウィンドウの開始位置は、スロット３から開始する。４つのＲＭＳＩ検出ウィンドウがあり、各検出ウィンドウの持続時間は１スロットである。この場合、上りリンクデータ伝送スロットを回避するために、最後のＲＭＳＩ監視ウィンドウのオフセットは５スロットである。最後の監視ウィンドウのオフセットは、前の３つの監視ウィンドウのオフセットとは異なる。
【０１７０】
ＲＭＳＩ制御情報及び／又はデータ情報並びにＳＳ／ＰＢＣＨブロックが周波数分割方式で多重化されているとき、ＲＭＳＩ周波数位置は、ＲＭＳＩ検出ウィンドウの持続時間に関連し得、あるいはＲＭＳＩ検出ウィンドウの開始位置に関連し得る。
【０１７１】
ＲＭＳＩ制御情報及び／又はデータ情報の周波数位置とＳＳ／ＰＢＣＨブロックの周波数位置との関係は図３に示されている。詳細はここで再度説明されない。
【０１７２】
ＲＭＳＩ制御情報の周波数位置、ＲＭＳＩ検出ウィンドウの持続時間、及びＲＭＳＩ検出ウィンドウ又はｗｉｎｄｏｗ  ｏｆｆｓｅｔの位置は、連帯的に構成されてもよい。ＲＭＳＩの前述の構成パラメータは、ＲＭＳＩ検出期間及び／又はＳＳ／ＰＢＣＨ  ｂｕｒｓｔ  ｓｅｔの期間に関連し得る。ＲＭＳＩの前述のパラメータは、インデックス指示方法を使用することにより構成されてもよい。例えば、表１に示すように、表１のケースは、４ビットを使用することにより代替的に示され得る。時分割におけるＲＭＳＩ検出ウィンドウの持続時間情報又はＲＭＳＩの位置情報が追加され、表２に示される。表２は一例であり、表２の一部又は全部の値が実際の状況で使用され得る。
【表１】
2021503817.tif 000014
【表２】
2021503817.tif 000015
【０１７３】
ＲＭＳＩ検出ウィンドウは重なる場合がある。換言すれば、１つのＲＭＳＩ検出ウィンドウは複数のＳＳ／ＰＢＣＨ  ｂｌｏｃｋに関連づけられ得る。関連づけられるＳＳ／ＰＢＣＨ  ｂｌｏｃｋの数量は構成されてもよく、あるいはプロトコルで規定されてもよい。
【０１７４】
ＲＭＳＩ監視ウィンドウが重なるとき、１つのＲＭＳＩ検出ウィンドウ内で送信される複数のＲＭＳＩ制御情報は、それぞれ、異なるＳＳ／ＰＢＣＨ  ｂｌｏｃｋに対応し得る。
【０１７５】
複数のＲＭＳＩ制御情報が１つのスロット内で送信されるとき、ＲＭＳＩ検出ウィンドウ内のＲＭＳＩ情報が時間シーケンスで送信され得、あるいは周波数シーケンスで送信され得ることが予め定義されてもよい。
【０１７６】
例えば、第１のＲＭＳＩ制御情報がスロット内の第１のシンボルで送信され、第２のＲＭＳＩ制御情報がスロット内の第２のシンボルで送信されることを、プロトコルで規定されてもよく、又はネットワークデバイスが示してもよく、あるいは、
第１のＲＭＳＩ制御情報がスロット内の第２のシンボルで送信され、第２のＲＭＳＩ制御情報がスロット内の第３のシンボルで送信されることを、プロトコルで規定されてもよく、又はネットワークデバイスが示してもよく、あるいは、
第１のＲＭＳＩ制御情報がスロット内の第１のシンボルで送信され、第２のＲＭＳＩ制御情報がスロット内の第３のシンボルで送信されることを、プロトコルで規定されてもよく、又はネットワークデバイスが示してもよく、あるいは、
第１のＲＭＳＩ制御情報がスロット内の第１のシンボルで送信され、第２のＲＭＳＩ制御情報がスロット内の第２のシンボルで送信され、第３のＲＭＳＩ制御情報がスロット内の第３のシンボルで送信されることを、プロトコルで規定されてもよく、又はネットワークデバイスが示してもよく、あるいは、
第１のＲＭＳＩ制御情報がスロット内の第１又は第２のシンボルで送信され、第２のＲＭＳＩ制御情報がスロット内の第３のシンボルで送信されることを、プロトコルで規定されてもよく、又はネットワークデバイスが示してもよく、あるいは、
第１のＲＭＳＩ制御情報がスロット内の第１のシンボルで送信され、第２のＲＭＳＩ制御情報がスロット内の第２又は第３のシンボルで送信されることを、プロトコルで規定されてもよく、又はネットワークデバイスが示してもよく、あるいは、
第１のＲＭＳＩ制御情報がスロット内の第１のシンボルで送信され、第２のＲＭＳＩ制御情報がスロット内の第７のシンボルで送信されることを、プロトコルで規定されてもよく、又はネットワークデバイスが示してもよい。
【０１７７】
以下では、ＲＭＳＩ検出期間がＳＳ／ＰＢＣＨ  ｂｌｏｃｋの期間と同じであり、第ｉのＲＭＳＩ検出ウィンドウの参照位置がＳＳ／ＰＢＣＨ  ｂｕｒｓｔ  ｓｅｔ内の第ｉのＳＳ／ＰＢＣＨ  ｂｌｏｃｋの位置に関連するケースについて説明する。
【０１７８】
ＲＭＳＩ検出期間がＳＳ／ＰＢＣＨ  ｂｌｏｃｋの期間と同じであるとき、ＳＳ／ＰＢＣＨ  ｂｕｒｓｔ  ｓｅｔ内の第ｉのＳＳ／ＰＢＣＨ  ｂｌｏｃｋの位置は、第ｉのＲＭＳＩ検出ウィンドウの参照位置Ｏとして使用されてもよい。
【０１７９】
このようにして、第ｉのＳＳ／ＰＢＣＨ  ｂｌｏｃｋを検出した後、端末デバイスは、第ｉのＳＳ／ＰＢＣＨ  ｂｌｏｃｋに対する第ｉのＲＭＳＩ検出ウィンドウのオフセットに基づいて、第ｉのＲＭＳＩ検出ウィンドウの位置を決定してもよい。ＲＭＳＩ検出ウィンドウとＳＳ／ＰＢＣＨ  ｂｌｏｃｋとはＱＣＬ関係にあり得る。
【０１８０】
ＳＳ／ＰＢＣＨ  ｂｌｏｃｋが半スロットに基づき、ＲＭＳＩ検出ウィンドウがスロットに基づくとき、第ｉのＲＭＳＩ検出ウィンドウの開始位置は、検出ウィンドウに関連づけられたＳＳ／ＰＢＣＨ  ｂｌｏｃｋのインデックス及び検出ウィンドウの持続時間に関連する。
【０１８１】
第ｉのＳＳ／ＰＢＣＨ  ｂｌｏｃｋに対する第ｉのＲＭＳＩ検出ウィンドウのオフセットは、複数の方式で構成され得る。
【０１８２】
１つの方法では、各ＳＳ／ＰＢＣＨ  ｂｌｏｃｋ内のＰＢＣＨコンテンツは一意的である。このようにして、ＳＳ／ＰＢＣＨ  ｂｌｏｃｋとＱＣＬ関係にある各ＲＭＳＩ検出ウィンドウに対する各ＳＳ／ＰＢＣＨ  ｂｌｏｃｋのオフセットの特定の値がＰＢＣＨコンテンツに配置される。この場合、ＲＭＳＩ検出ウィンドウの位置は、式Ｏ＿ＳＳｉ＋Ｔｉｍｅ  ｏｆｆｅｓｔｉを使用することにより算出されてもよく、Ｏ＿ＳＳｉは、第ｉのＳＳ／ＰＢＣＨ  ｂｌｏｃｋの位置を表し、Ｔｉｍｅ  ｏｆｆｓｅｔｉは、第ｉのＲＭＳＩ検出ウィンドウに対する第ｉのＳＳ／ＰＢＣＨ  ｂｌｏｃｋの位置のオフセットを表す。
【０１８３】
ＲＭＳＩ検出ウィンドウの開始位置の参照位置Ｏ＿ＳＳｉは、ＲＭＳＩのＳＣＳ又はＳＳ／ＰＢＣＨ  ｂｌｏｃｋのＳＣＳに関連し得る。
【０１８４】
Ｏ＿ＳＳｉの値及びＴｉｍｅ  ｏｆｆｓｅｔｉの値が双方ともＲＭＳＩのＳＣＳに基づくとき、ＲＭＳＩ検出ウィンドウの開始位置は、式Ｏ＿ＳＳｉ＋Ｔｉｍｅ  ｏｆｆｓｅｔｉを使用することにより直接算出されてもよい。
【０１８５】
Ｏ＿ＳＳｉがＳＳ／ＰＢＣＨ  ｂｌｏｃｋのＳＣＳに基づき、Ｔｉｍｅ  ｏｆｆｓｅｔｉがＲＭＳＩのＳＣＳに基づくとき、Ｏ＿ＳＳｉの値は、ＲＭＳＩのＳＣＳに最初変換されてもよい。
【０１８６】
ＲＭＳＩのＳＣＳがＳＳ／ＰＢＣＨ  ｂｌｏｃｋのＳＣＳより大きいとき、Ｏ＿ＳＳｉをＲＭＳＩのＳＣＳに変換した後に得られる値は、Ｏ＿ＲＭＳＩｉ＝Ｏ＿ＳＳｉ×ｍであり、ｍは、ＳＳ／ＰＢＣＨ  ｂｌｏｃｋのＳＣＳに対するＲＭＳＩのＳＣＳの倍数を表す。
【０１８７】
ＲＭＳＩのＳＣＳがＳＳ／ＰＢＣＨ  ｂｌｏｃｋのＳＣＳより小さいとき、Ｏ＿ＳＳｉをＲＭＳＩのＳＣＳに変換した後に得られる値は、Ｏ＿ＲＭＳＩｉ＝ｆｌｏｏｒ（Ｏ＿ＳＳｉ／ｍ）であり、ｍは、ＲＭＳＩのＳＣＳに対するＳＳ／ＰＢＣＨ  ｂｌｏｃｋのＳＣＳの倍数を表す。
【０１８８】
Ｏ＿ＳＳｉを変換する前述の式は、Ｏ＿ＲＭＳＩｉ＝ｆｌｏｏｒ（Ｏ＿ＳＳｉ×ｍ）へ組み合わせられてもよく、ｍは、ＲＭＳＩのＳＣＳに対するＳＳ／ＰＢＣＨ  ｂｌｏｃｋのＳＣＳの倍数を表す。具体的には、ｍは、分数倍を表すことがあり、あるいは整数倍を表すことがある。
【０１８９】
ＲＭＳＩ検出ウィンドウの位置は、ＲＭＳＩ検出ウィンドウのインデックス、又はＲＭＳＩ検出ウィンドウとＱＣＬ関係にあるＳＳ／ＰＢＣＨ  ｂｌｏｃｋのインデックスに関連し得る。この場合、Ｏ＿ＲＭＳＩｉ＋Ｔｉｍｅ  ｏｆｆｓｅｔｉ＋ｘ×ＳＳＢ＿ＴＩが算出され、ＲＭＳＩ検出ウィンドウの位置を取得してもよい。
【０１９０】
Ｏ＿ＳＳｉがＲＭＳＩのＳＣＳに基づき、Ｔｉｍｅ  ｏｆｆｓｅｔｉがＳＳ／ＰＢＣＨ  ｂｌｏｃｋのＳＣＳに基づくとき、Ｔｉｍｅ  ｏｆｆｓｅｔｉの値は、ＲＭＳＩのＳＣＳに最初変換されてもよい。
【０１９１】
ＲＭＳＩのＳＣＳがＳＳ／ＰＢＣＨ  ｂｌｏｃｋのＳＣＳより大きいとき、Ｔｉｍｅ  ｏｆｆｓｅｔｉをＲＭＳＩのＳＣＳに変換した後に得られる値は、ＴＯ＿ＲＭＳＩｉ＝Ｔｉｍｅ  ｏｆｆｓｅｔｉ×ｍであり、ｍは、ＳＳ／ＰＢＣＨ  ｂｌｏｃｋのＳＣＳに対するＲＭＳＩのＳＣＳの倍数を表す。
【０１９２】
ＲＭＳＩのＳＣＳがＳＳ／ＰＢＣＨ  ｂｌｏｃｋのＳＣＳより小さいとき、Ｔｉｍｅ  ｏｆｆｓｅｔｉをＲＭＳＩのＳＣＳに変換した後に得られる値は、ＴＯ＿ＲＭＳＩｉ＝ｆｌｏｏｒ（Ｔｉｍｅ  ｏｆｆｓｅｔｉ／ｍ）であり、ｍは、ＲＭＳＩのＳＣＳに対するＳＳ／ＰＢＣＨ  ｂｌｏｃｋのＳＣＳの倍数を表す。
【０１９３】
ＴＯ＿ＲＭＳＩｉを算出するための前述の２つの式は、ＴＯ＿ＲＭＳＩｉ＝ｆｌｏｏｒ（Ｏ＿ＳＳｉ×ｍ）へ組み合わせられてもよく、ｍは、ＲＭＳＩのＳＣＳに対するＳＳ／ＰＢＣＨ  ｂｌｏｃｋのＳＣＳの倍数を表し、ｍは、分数倍を表すことがあり、あるいは整数倍を表すことがある。
【０１９４】
ＲＭＳＩ検出ウィンドウの位置が、ＲＭＳＩ検出ウィンドウのインデックス、又はＲＭＳＩ検出ウィンドウとＱＣＬ関係にあるＳＳ／ＰＢＣＨ  ｂｌｏｃｋのインデックスに関連するとき、ＲＭＳＩ検出ウィンドウの位置は、Ｏ＿ＳＳｉ＋ＴＯ＿ＲＭＳＩｉ＋ｘ×ＳＳＢ＿ＴＩを算出することにより取得されてもよい。この場合、Ｏ＿ＳＳｉがＳＳ／ＰＢＣＨ  ｂｌｏｃｋのＳＣＳに基づき、Ｔｉｍｅ  ｏｆｆｓｅｔｉがＳＳ／ＰＢＣＨ  ｂｌｏｃｋのＳＣＳに基づく場合、ＳＳ／ＰＢＣＨ  ｂｌｏｃｋのＳＣＳは、同じ方法を用いることによりＲＭＳＩのＳＣＳに変換されてもよい。
【０１９５】
ＲＭＳＩ検出ウィンドウの位置がＲＭＳＩ検出ウィンドウのインデックスに関連し、あるいはＲＭＳＩ検出ウィンドウとＱＣＬ関係にあるＳＳ／ＰＢＣＨ  ｂｌｏｃｋのインデックスに関連するとき、ＲＭＳＩ検出ウィンドウのインデックスは、伝送されるべきＳＳ／ＰＢＣＨ  ｂｌｏｃｋのインデックスと同じであり得る。この場合、ＲＭＳＩ検出ウィンドウの持続時間が１スロットである場合、ＲＭＳＩ検出ウィンドウの特定の位置は、（Ｏ＿ＳＳｉ＋Ｔｉｍｅ  ｏｆｆｓｅｔｉ＋ＳＳＢ＿ＴＩ）  ｍｏｄ  ２であり得る。ＲＭＳＩ検出ウィンドウの持続時間が１スロットより大きい、例えば、持続時間が２スロットである場合、ＲＭＳＩ検出ウィンドウの特定の位置は、式Ｏ＿ＳＳｉ＋Ｔｉｍｅ  ｏｆｆｓｅｔ＋ｘ×（ＳＳＢ＿ＴＩ  ｍｏｄ  ２）＋３×ｆｌｏｏｒ（ＳＳＢ＿ＴＩ／２）を使用することにより算出されてもよい。
【０１９６】
以下では、ＲＭＳＩ検出期間がＳＳ／ＰＢＣＨ  ｂｕｒｓｔ  ｓｅｔの期間の整数倍であり、検出ウィンドウの位置がＳＳ／ＰＢＣＨ  ｂｕｒｓｔ  ｓｅｔ内のＳＳ／ＰＢＣＨ  ｂｌｏｃｋの位置に関連するケースについて説明する。
【０１９７】
ＲＭＳＩ検出期間がＳＳ／ＰＢＣＨ  ｂｕｒｓｔ  ｓｅｔの期間の整数倍である一例を図６に示す。ＲＭＳＩ検出ウィンドウ期間は４０ｍｓであり、ＳＳ／ＰＢＣＨ  ｂｌｏｃｋ期間は１０ｍｓである。
【０１９８】
ＲＭＳＩ検出期間がＳＳ／ＰＢＣＨ  ｂｕｒｓｔ  ｓｅｔの期間の整数倍であるとき、ＲＭＳＩ検出期間内のＳＳ／ＰＢＣＨ  ｂｕｒｓｔ  ｓｅｔ０内のＳＳ／ＰＢＣＨ  ｂｌｏｃｋ０が位置するスロットが、ＲＭＳＩ検出ウィンドウの参照位置として使用されてもよく、あるいは、
ＲＭＳＩ検出期間内のＳＳ／ＰＢＣＨ  ｂｕｒｓｔ  ｓｅｔ  ｎ内のＳＳ／ＰＢＣＨ  ｂｌｏｃｋ０が位置するスロットが、ＲＭＳＩ検出ウィンドウの参照位置として使用されてもよく、あるいは、
ＲＭＳＩ検出期間内のＳＳ／ＰＢＣＨ  ｂｕｒｓｔ  ｓｅｔ０内のＳＳ／ＰＢＣＨ  ｂｌｏｃｋ  ｎが位置するスロットが、ＲＭＳＩ検出ウィンドウの参照位置として使用されてもよく、あるいは、
ＲＭＳＩ検出期間内のＳＳ／ＰＢＣＨ  ｂｕｒｓｔ  ｓｅｔ  ｎ内のＳＳ／ＰＢＣＨ  ｂｌｏｃｋ  ｎが位置するスロットが、ＲＭＳＩ検出ウィンドウの参照位置として使用されてもよく、あるいは、
ＲＭＳＩ検出期間内のＳＳ／ＰＢＣＨ  ｂｕｒｓｔ  ｓｅｔ０内のＳＳ／ＰＢＣＨ  ｂｌｏｃｋ０が位置するミニスロットが、ＲＭＳＩ検出ウィンドウの参照位置として使用されてもよく、あるいは、
ＲＭＳＩ検出期間内のＳＳ／ＰＢＣＨ  ｂｕｒｓｔ  ｓｅｔ  ｎ内のＳＳ／ＰＢＣＨ  ｂｌｏｃｋ０が位置するミニスロットが、ＲＭＳＩ検出ウィンドウの参照位置として使用されてもよく、あるいは、
ＲＭＳＩ検出期間内のＳＳ／ＰＢＣＨ  ｂｕｒｓｔ  ｓｅｔ０内のＳＳ／ＰＢＣＨ  ｂｌｏｃｋ  ｎが位置するミニスロットが、ＲＭＳＩ検出ウィンドウの参照位置として使用されてもよく、あるいは、
ＲＭＳＩ検出期間内のＳＳ／ＰＢＣＨ  ｂｕｒｓｔ  ｓｅｔ  ｎ内のＳＳ／ＰＢＣＨ  ｂｌｏｃｋ  ｎが位置するミニスロットが、ＲＭＳＩ検出ウィンドウの参照位置として使用されてもよく、あるいは、
ＲＭＳＩ検出期間内のＳＳ／ＰＢＣＨ  ｂｕｒｓｔ  ｓｅｔ０内のＳＳ／ＰＢＣＨ  ｂｌｏｃｋ０が位置する第１のシンボルが、ＲＭＳＩ検出ウィンドウの参照位置として使用されてもよく、あるいは、
ＲＭＳＩ検出期間内のＳＳ／ＰＢＣＨ  ｂｕｒｓｔ  ｓｅｔ  ｎ内のＳＳ／ＰＢＣＨ  ｂｌｏｃｋ０が位置する第１のシンボルが、ＲＭＳＩ検出ウィンドウの参照位置として使用されてもよく、あるいは、
ＲＭＳＩ検出期間内のＳＳ／ＰＢＣＨ  ｂｕｒｓｔ  ｓｅｔ０内のＳＳ／ＰＢＣＨ  ｂｌｏｃｋ  ｎが位置する第１のシンボルが、ＲＭＳＩ検出ウィンドウの参照位置として使用されてもよく、あるいは、
ＲＭＳＩ検出期間内のＳＳ／ＰＢＣＨ  ｂｕｒｓｔ  ｓｅｔ  ｎ内のＳＳ／ＰＢＣＨ  ｂｌｏｃｋ  ｎが位置する第１のシンボルが、ＲＭＳＩ検出ウィンドウの参照位置として使用されてもよい。
【０１９９】
ＲＭＳＩ検出期間の参照フレーム又は開始フレームのフレーム番号は、式ＳＦＮ  ｍｏｄ  ｙ＝ｋ２を使用することにより算出されてもよく、
ｙは、フレーム内で測定されるＲＭＳＩ検出期間を表し、ｋ２の値は、固定されてもよく、例えば０、１、２、３、４、５、６、７、８、９、１０、１１、１２、１３、１４、又は１５のうち任意の１つ、例えば０でもよく、ＳＦＮは、ＲＭＳＩ検出期間の参照フレームのフレーム番号を表す。
【０２００】
ＳＳ／ＰＢＣＨ  ｂｌｏｃｋの期間の参照フレーム又は開始フレームのフレーム番号を算出する方式については、ＲＭＳＩ検出期間の参照フレーム又は開始フレームのフレーム番号を算出する方式を参照する。詳細はここで再度説明されない。
【０２０１】
ＲＭＳＩ検出期間は、ＳＳ／ＰＢＣＨ  ｂｌｏｃｋの期間の整数倍である。したがって、ＳＳ／ＰＢＣＨ  ｂｌｏｃｋを検出した後、端末デバイスは、ＲＭＳＩ検出期間に基づいてＳＳ／ＰＢＣＨ  ｂｌｏｃｋの期間を推論し、ＳＳ／ＰＢＣＨ  ｂｌｏｃｋのフレーム番号に基づいて、ＲＭＳＩの参照として使用されるＳＳ／ＰＢＣＨ  ｂｕｒｓｔ  ｓｅｔのフレーム番号を決定してもよい。例えば、ＲＭＳＩ検出期間内の第１のＳＳ／ＰＢＣＨ  ｂｕｒｓｔ  ｓｅｔのフレーム番号は、ＲＭＳＩ検出ウィンドウの位置を決定するために使用されるフレーム番号として使用されてもよい。
【０２０２】
次に、受信したＳＳ／ＰＢＣＨ  ｂｌｏｃｋのインデックスに基づいて、ＳＳ／ＰＢＣＨ  ｂｕｒｓｔ  ｓｅｔ内の可能性として伝送されるＳＳ／ＰＢＣＨ  ｂｌｏｃｋ０の位置が決定され得、該位置は、ＲＭＳＩ検出ウィンドウの参照位置として使用されてもよく、第１のＲＭＳＩ検出ウィンドウの位置は、式Ｏ＋ｗｉｎｄｏｗ  ｏｆｆｓｅｔ＋ｘ×ＳＳＢ＿ＴＩを使用することにより算出される。Ｏは、ＳＳ／ＰＢＣＨ  ｂｕｒｓｔ  ｓｅｔ内の第１のＳＳ／ＰＢＣＨ  ｂｌｏｃｋの位置である。第１のＳＳ／ＰＢＣＨ  ｂｌｏｃｋの位置は、スロット０又はスロットｎであり得、サブフレームｎ又はサブフレームｎであり得、ミニスロット０又はミニスロットｎであり得、あるいはシンボル０又はシンボルｎであり得る。任意で、ＲＭＳＩ検出ウィンドウの位置は、代替的に、Ｗｉｎｄｏｗ  ｏｆｆｓｅｔ＋ｘ×ＳＳＢ＿ＴＩに基づいて算出されてもよい。
【０２０３】
ｗｉｎｄｏｗ  ｏｆｆｓｅｔの特徴は、ＲＭＳＩ検出ウィンドウの参照位置が固定されているときに得られるｗｉｎｄｏｗ  ｏｆｆｓｅｔの特徴と同じであり得る。
【０２０４】
Ｏの単位は、ＳＳ／ＰＢＣＨ  ｂｌｏｃｋのＳＣＳに基づいてもよく、あるいはＲＭＳＩのＳＣＳに基づいてもよい。ｗｉｎｄｏｗ  ｏｆｆｓｅｔは、ＳＳ／ＰＢＣＨ  ｂｌｏｃｋのＳＣＳに基づいてもよく、あるいはＲＭＳＩのＳＣＳに基づいてもよい。
【０２０５】
ＯがＳＳ／ＰＢＣＨ  ｂｌｏｃｋのＳＣＳに基づき、ｗｉｎｄｏｗ  ｏｆｆｓｅｔがＲＭＳＩのＳＣＳに基づくとき、Ｏの値は、ＲＭＳＩのＳＣＳに最初変換されてもよい。
【０２０６】
ＲＭＳＩのＳＣＳがＳＳ／ＰＢＣＨ  ｂｌｏｃｋのＳＣＳより大きいとき、ＯをＲＭＳＩのＳＣＳに変換した後に得られる値は、Ｏ＿ＲＭＳＩ＝Ｏ×ｍであり、ｍは、ＳＳ／ＰＢＣＨ  ｂｌｏｃｋのＳＣＳに対するＲＭＳＩのＳＣＳの倍数を表す。
【０２０７】
ＲＭＳＩのＳＣＳがＳＳ／ＰＢＣＨ  ｂｌｏｃｋのＳＣＳより小さいとき、ＯをＲＭＳＩのＳＣＳに変換した後に得られる値は、Ｏ＿ＲＭＳＩ＝ｆｌｏｏｒ（Ｏ／ｍ）であり、ｍは、ＲＭＳＩのＳＣＳに対するＳＳ／ＰＢＣＨ  ｂｌｏｃｋのＳＣＳの倍数を表す。
【０２０８】
Ｏを変換する２つの式は、Ｏ＿ＲＭＳＩ＝ｆｌｏｏｒ（Ｏ×ｍ）へ組み合わせられてもよく、ｍは、ＲＭＳＩのＳＣＳに対するＳＳ／ＰＢＣＨ  ｂｌｏｃｋのＳＣＳの倍数を表し、ｍは、分数倍を表すことがあり、あるいは整数倍を表すことがある。
【０２０９】
Ｏ＿ＲＭＳＩが算出された後、ＲＭＳＩ検出ウィンドウの特定の位置が、式Ｏ＿ＲＭＳＩ＋Ｗｉｎｄｏｗ  ｏｆｆｓｅｔ＋ｘ×ＳＳＢ＿ＴＩを使用することにより算出される。
【０２１０】
Ｏの値がＳＳ／ＰＢＣＨ  ｂｌｏｃｋのＳＣＳに基づき、ｗｉｎｄｏｗ  ｏｆｆｓｅｔがＳＳ／ＰＢＣＨ  ｂｌｏｃｋのＳＣＳに基づくとき、Ｏ＋Ｗｉｎｄｏｗ  ｏｆｆｓｅｔの値が、ＲＭＳＩのＳＣＳに最初変換されてもよい。
【０２１１】
ＲＭＳＩのＳＣＳがＳＳ／ＰＢＣＨ  ｂｌｏｃｋのＳＣＳより大きいとき、Ｏ＋Ｗｉｎｄｏｗ  ｏｆｆｓｅｔをＲＭＳＩのＳＣＳに変換した後に得られる値は、（Ｏ＋Ｗｉｎｄｏｗ  ｏｆｆｓｅｔ）×ｍであり、ｍは、ＳＳ／ＰＢＣＨ  ｂｌｏｃｋのＳＣＳに対するＲＭＳＩのＳＣＳの倍数を表す。
【０２１２】
ＲＭＳＩのＳＣＳがＳＳ／ＰＢＣＨ  ｂｌｏｃｋのＳＣＳより小さいとき、Ｏ＋Ｗｉｎｄｏｗ  ｏｆｆｓｅｔをＲＭＳＩのＳＣＳに変換した後に得られる値は、ｆｌｏｏｒ（（Ｏ＋Ｗｉｎｄｏｗ  ｏｆｆｓｅｔ）／ｍ）であり、ｍは、ＲＭＳＩのＳＣＳに対するＳＳ／ＰＢＣＨ  ｂｌｏｃｋのＳＣＳの倍数を表す。
【０２１３】
Ｏ＋Ｗｉｎｄｏｗ  ｏｆｆｓｅｔを変換する２つの式は、ｆｌｏｏｒ（（Ｏ＋Ｗｉｎｄｏｗ  ｏｆｆｓｅｔ）×ｍ）へ組み合わせられてもよく、ｍは、ＲＭＳＩのＳＣＳに対するＳＳ／ＰＢＣＨ  ｂｌｏｃｋのＳＣＳの倍数を表し、ｍは、分数倍を表すことがあり、あるいは整数倍を表すことがある。
【０２１４】
ｆｌｏｏｒ（（Ｏ＋Ｗｉｎｄｏｗ  ｏｆｆｓｅｔ）×ｍ）が得られた後、ＲＭＳＩ検出ウィンドウの特定の位置が、ｆｌｏｏｒ（（Ｏ＋Ｗｉｎｄｏｗ  ｏｆｆｓｅｔ）×ｍ）＋ｘ×ＳＳＢ＿ＴＩを使用することにより算出される。
【０２１５】
代替的に、ＲＭＳＩ検出ウィンドウの開始位置又は特定の位置は、１つのフレーム内で伝送される検出ウィンドウの最大数量Ｎに基づいて決定されてもよい。
【０２１６】
例えば、ＳＳ／ＰＢＣＨ  ｂｕｒｓｔ  ｓｅｔが位置するフレームのフレーム番号がｋ１であるとき、ＲＭＳＩ検出ウィンドウのインデックス又はＲＭＳＩに関連づけられたＳＳ／ＰＢＣＨ  ｂｌｏｃｋの時間インデックスがＮより大きい場合、ＲＭＳＩ検出ウィンドウは、フレーム番号がｋ１＋１のフレーム内であり得る。
【０２１７】
例えば、ｆｌｏｏｒ（（ｆｌｏｏｒ（（Ｏ＋Ｗｉｎｄｏｗ  ｏｆｆｓｅｔ）×ｍ）＋ｘ×ＳＳＢ＿ＴＩ）／Ｎ）＝ｋ２のとき、ＲＭＳＩ検出ウィンドウは、フレーム番号がｋ１＋ｋ２のフレーム内であり得る。
【０２１８】
例えば、（ｆｌｏｏｒ（（Ｏ＋ｗｉｎｄｏｗ  ｏｆｆｓｅｔ）×ｍ）＋ｘ×ＳＳＢ＿ＴＩ）  ｍｏｄ  Ｎ＝ｋ３の場合、フレーム番号がｋ１＋ｋ２のフレーム内のＲＭＳＩ監視ウィンドウのスロット位置は、ｆｌｏｏｒ（（Ｏ＋Ｗｉｎｄｏｗ  ｏｆｆｓｅｔ）×ｍ）＋ｋ３×ＳＳＢ＿ＴＩである。
【０２１９】
以下では、第ｉのＲＭＳＩ検出ウィンドウの参照位置がＳＳ／ＰＢＣＨ  ｂｕｒｓｔ  ｓｅｔ内の第ｉのＳＳ／ＰＢＣＨ  ｂｌｏｃｋの位置に関連し、ＲＭＳＩ検出期間がＳＳ／ＰＢＣＨ  ｂｕｒｓｔ  ｓｅｔの期間の整数倍であるケースについて説明する。
【０２２０】
ＲＭＳＩ検出期間がＳＳ／ＰＢＣＨ  ｂｕｒｓｔ  ｓｅｔの期間の整数倍であるとき、ＲＭＳＩ検出ウィンドウの参照位置は、ＲＭＳＩ検出期間内の第１のＳＳ／ＰＢＣＨ  ｂｕｒｓｔ  ｓｅｔ内の第ｉのＳＳ／ＰＢＣＨ  ｂｌｏｃｋの位置であり得る。
【０２２１】
代替的に、ＲＭＳＩ検出ウィンドウの参照位置は、ＲＭＳＩ検出期間内のＳＳ／ＰＢＣＨ  ｂｕｒｓｔ  ｓｅｔ  ｎ内の第ｉのＳＳ／ＰＢＣＨ  ｂｌｏｃｋの位置でもよい。
【０２２２】
ＲＭＳＩ検出期間の参照フレーム又は開始フレームのフレーム番号は、式ＳＦＮ  ｍｏｄ  ｙ＝ｋ２を使用することにより算出されてもよく、ｙは、フレーム内で測定されるＲＭＳＩ検出期間を表し、ｋ２の値は、固定されてもよく、例えば０、１、２、３、４、５、６、７、８、９、１０、１１、１２、１３、１４、又は１５のうち任意の１つであり、ＳＦＮは、ＲＭＳＩ検出期間の参照フレーム又は開始フレームのフレーム番号を表す。
【０２２３】
ＳＳ／ＰＢＣＨ  ｂｌｏｃｋの期間の参照フレーム又は開始フレームのフレーム番号を算出する方式については、ＲＭＳＩ検出期間の参照フレーム又は開始フレームのフレーム番号を算出する方式を参照する。詳細はここで再度説明されない。
【０２２４】
ＳＳ／ＰＢＣＨ  ｂｌｏｃｋを検出した後、端末デバイスは、ＲＭＳＩ検出期間に基づいてＳＳ／ＰＢＣＨ  ｂｌｏｃｋの期間を決定し、次いで、ＳＳ／ＰＢＣＨ  ｂｌｏｃｋが位置するフレームのフレーム番号に基づいて、ＲＭＳＩの参照として使用されるＳＳ／ＰＢＣＨ  ｂｕｒｓｔ  ｓｅｔが位置するフレームのフレーム番号を決定し、例えば、ＲＭＳＩ検出期間内の第１のＳＳ／ＰＢＣＨ  ｂｕｒｓｔ  ｓｅｔのフレーム番号を、ＲＭＳＩの参照として使用されるＳＳ／ＰＢＣＨ  ｂｕｒｓｔ  ｓｅｔが位置するフレームのフレーム番号として決定してもよい。
【０２２５】
第ｉのＳＳ／ＰＢＣＨ  ｂｌｏｃｋの位置が第ｉのＲＭＳＩ検出ウィンドウの参照位置Ｏとして使用されるとき、第ｉのＳＳ／ＰＢＣＨ  ｂｌｏｃｋを検出した後、端末デバイスは、第ｉのＳＳ／ＰＢＣＨ  ｂｌｏｃｋに対するＲＭＳＩ検出ウィンドウのオフセットに基づいて第ｉのＲＭＳＩ検出ウィンドウの位置を決定してもよい。第ｉのＲＭＳＩ検出ウィンドウの位置は、第ｉのＳＳ／ＰＢＣＨ  ｂｌｏｃｋとＱＣＬ関係にある。
【０２２６】
ＳＳ／ＰＢＣＨ  ｂｌｏｃｋは半スロットに基づいてもよく、ＲＭＳＩ検出ウィンドウはスロットに基づいてもよい。
【０２２７】
第ｉのＲＭＳＩ監視ウィンドウの開始位置は、関連づけられたＳＳ／ＰＢＣＨ  ｂｌｏｃｋのインデックス及び検出ウィンドウの持続時間に関連する。
【０２２８】
第ｉのＳＳ／ＰＢＣＨ  ｂｌｏｃｋに対するＲＭＳＩ検出ウィンドウのオフセットは、複数の方法を使用することにより構成されてもよい。一方法が以下を含む：各ＳＳ／ＰＢＣＨ  ｂｌｏｃｋ内のＰＢＣＨコンテンツは一意的である。ＳＳ／ＰＢＣＨ  ｂｌｏｃｋとＱＣＬ関係にあるＲＭＳＩ検出ウィンドウの位置に対する各ＳＳ／ＰＢＣＨ  ｂｌｏｃｋのオフセットの特定の値がＰＢＣＨコンテンツに配置される。
【０２２９】
ＲＭＳＩ検出ウィンドウの位置を算出する特定の方法が、Ｏ＿ＳＳＩ＋Ｔｉｍｅ  ｏｆｆｅｓｔｉであり得、Ｏ＿ＳＳＩは、第ｉのＳＳ／ＰＢＣＨ  ｂｌｏｃｋの位置を表し、Ｔｉｍｅ  ｏｆｆｅｓｔｉは、第ｉのＲＭＳＩ検出ウィンドウに対する第ｉのＳＳ／ＰＢＣＨ  ｂｌｏｃｋの位置の時間オフセットを表す。
【０２３０】
ＲＭＳＩ検出ウィンドウの参照位置Ｏ＿ＳＳｉは、ＲＭＳＩのＳＣＳ及び／又はＳＳ／ＰＢＣＨ  ｂｌｏｃｋのＳＣＳに関連し得る。
【０２３１】
Ｏ＿ＳＳｉの値及びＴｉｍｅ  ｏｆｆｅｓｔｉの値がＲＭＳＩのＳＣＳに基づくとき、ＲＭＳＩ検出ウィンドウの開始位置は、Ｏ＿ＳＳｉ＋Ｔｉｍｅ  ｏｆｆｅｓｔｉの式を使用することにより直接算出されてもよい。
【０２３２】
Ｏ＿ＳＳｉがＳＳ／ＰＢＣＨ  ｂｌｏｃｋのＳＣＳに基づき、Ｔｉｍｅ  ｏｆｆｅｓｔｉがＲＭＳＩのＳＣＳに基づくとき、Ｏ＿ＳＳｉの値は、ＲＭＳＩのＳＣＳに最初変換されてもよい。
【０２３３】
例えば、ＲＭＳＩのＳＣＳがＳＳ／ＰＢＣＨ  ｂｌｏｃｋのＳＣＳより大きいとき、Ｏ＿ＳＳｉをＲＭＳＩのＳＣＳに変換した後に得られる値は、Ｏ＿ＲＭＳＩｉ＝Ｏ＿ＳＳｉ×ｍであり得、ｍは、ＳＳ／ＰＢＣＨ  ｂｌｏｃｋのＳＣＳに対するＲＭＳＩのＳＣＳの倍数を表す。
【０２３４】
例えば、ＲＭＳＩのＳＣＳがＳＳ／ＰＢＣＨ  ｂｌｏｃｋのＳＣＳより小さいとき、Ｏ＿ＳＳｉをＲＭＳＩのＳＣＳに変換した後に得られる値は、Ｏ＿ＲＭＳＩｉ＝ｆｌｏｏｒ（Ｏ＿ＳＳＩ／ｍ）であり得、ｍは、ＲＭＳＩのＳＣＳに対するＳＳ／ＰＢＣＨ  ｂｌｏｃｋのＳＣＳの倍数を表す。
【０２３５】
Ｏ＿ＳＳｉを変換する２つの式は、Ｏ＿ＲＭＳＩｉ＝ｆｌｏｏｒ（Ｏ＿ＳＳｉ×ｍ）へ組み合わせられてもよく、ｍは、ＲＭＳＩのＳＣＳに対するＳＳ／ＰＢＣＨ  ｂｌｏｃｋのＳＣＳの倍数を表し、ｍは、分数倍を表すことがあり、あるいは整数倍を表すことがある。
【０２３６】
ＲＭＳＩ検出ウィンドウの位置は、ＲＭＳＩ検出ウィンドウのインデックス、及び／又はＲＭＳＩ検出ウィンドウとＱＣＬ関係にあるＳＳ／ＰＢＣＨ  ｂｌｏｃｋのインデックスに関連し得る。この場合、ＲＭＳＩ検出ウィンドウの位置は、Ｏ＿ＲＭＳＩｉ＋Ｔｉｍｅ  ｏｆｆｅｓｔｉ＋ｘ×ＳＳＢ＿ＴＩを算出することにより取得されてもよい。
【０２３７】
Ｏ＿ＳＳｉがＲＭＳＩのＳＣＳに基づき、Ｔｉｍｅ  ｏｆｆｅｓｔｉがＳＳ／ＰＢＣＨ  ｂｌｏｃｋのＳＣＳに基づくとき、Ｔｉｍｅ  ｏｆｆｅｓｔｉの値は、ＲＭＳＩのＳＣＳに最初変換されてもよい。
【０２３８】
例えば、ＲＭＳＩのＳＣＳがＳＳ／ＰＢＣＨ  ｂｌｏｃｋのＳＣＳより大きいとき、Ｔｉｍｅ  ｏｆｆｅｓｔｉをＲＭＳＩのＳＣＳに変換した後に得られる値は、ＴＯ＿ＲＭＳＩｉ＝Ｔｉｍｅ  ｏｆｆｅｓｔｉ×ｍであり得、ｍは、ＳＳ／ＰＢＣＨ  ｂｌｏｃｋのＳＣＳに対するＲＭＳＩのＳＣＳの倍数を表す。
【０２３９】
例えば、ＲＭＳＩのＳＣＳがＳＳ／ＰＢＣＨ  ｂｌｏｃｋのＳＣＳより小さいとき、Ｔｉｍｅ  ｏｆｆｅｓｔｉをＲＭＳＩのＳＣＳに変換した後に得られる値は、ＴＯ＿ＲＭＳＩｉ＝ｆｌｏｏｒ（Ｔｉｍｅ  ｏｆｆｅｓｔｉ／ｍ）であり得、ｍは、ＲＭＳＩのＳＣＳに対するＳＳ／ＰＢＣＨ  ｂｌｏｃｋのＳＣＳの倍数を表す。
【０２４０】
Ｔｉｍｅ  ｏｆｆｅｓｔｉを変換する２つの式は、ＴＯ＿ＲＭＳＩｉ＝ｆｌｏｏｒ（Ｏ＿ＳＳｉ×ｍ）へ組み合わせられてもよく、ｍは、ＲＭＳＩのＳＣＳに対するＳＳ／ＰＢＣＨ  ｂｌｏｃｋのＳＣＳの倍数を表し、ｍは、分数倍を表すことがあり、あるいは整数倍を表すことがある。
【０２４１】
ＲＭＳＩ検出ウィンドウの位置が、ＲＭＳＩ検出ウィンドウのインデックス及び／又はＲＭＳＩ検出ウィンドウとＱＣＬ関係にあるＳＳ／ＰＢＣＨ  ｂｌｏｃｋのインデックスに関連し得るとき、ＲＭＳＩ検出ウィンドウの位置は、Ｏ＿ＳＳｉ＋ＴＯ＿ＲＭＳＩｉ＋ｘ×ＳＳＢ＿ＴＩを算出することにより取得されてもよい。
【０２４２】
Ｏ＿ＳＳｉがＳＳ／ＰＢＣＨ  ｂｌｏｃｋのＳＣＳに基づき、Ｔｉｍｅ  ｏｆｆｅｓｔｉがＳＳ／ＰＢＣＨ  ｂｌｏｃｋのＳＣＳに基づくとき、前述の方法を参照してＯ＿ＳＳｉ及びＴｉｍｅ  ｏｆｆｅｓｔｉをＲＭＳＩのＳＣＳに変換する。
【０２４３】
以下では、ＲＭＳＩ検出期間がＳＳ／ＰＢＣＨ  ｂｕｒｓｔ  ｓｅｔの期間より大きく、ＲＭＳＩ検出期間がＳＳ／ＰＢＣＨ  ｂｕｒｓｔ  ｓｅｔの期間の分数倍であるケースについて説明する。
【０２４４】
このケースでは、ＳＳ／ＰＢＣＨ  ｂｕｒｓｔ  ｓｅｔの期間内に複数のＲＭＳＩ検出ウィンドウセットが存在し得る。これらの検出ウィンドウセットは、１つのＳＳ／ＰＢＣＨ  ｂｕｒｓｔ  ｓｅｔ内の全てのＳＳ／ＰＢＣＨ  ｂｌｏｃｋに関連づけられ得る。
【０２４５】
ＲＭＳＩ検出期間がＰＢＣＨに対して構成される場合、ＳＳ／ＰＢＣＨ  ｂｕｒｓｔ  ｓｅｔの期間は、ＲＭＳＩ検出期間とＳＳ／ＰＢＣＨ  ｂｕｒｓｔ  ｓｅｔの期間との間の倍数関係に基づいて推論されてもよく、ＳＳ／ＰＢＣＨ  ｂｕｒｓｔ  ｓｅｔの位置がさらに推論される。さらに、ＳＳ／ＰＢＣＨ  ｂｕｒｓｔ  ｓｅｔの期間内のＲＭＳＩ検出ウィンドウセットの数量Ｎが推論されてもよい。
【０２４６】
ＳＳ／ＰＢＣＨ  ｂｕｒｓｔ  ｓｅｔの期間内の第１の検出ウィンドウセットは、ＳＳ／ＰＢＣＨ  ｂｕｒｓｔ  ｓｅｔの期間内のＳＳ／ＰＢＣＨ  ｂｕｒｓｔ  ｓｅｔに関連づけられた検出ウィンドウセットとして定義されてもよい。
【０２４７】
別のＲＭＳＩ検出ウィンドウセットでは、ＳＳ／ＰＢＣＨ  ｂｕｒｓｔ  ｓｅｔに対する別のＲＭＳＩ検出ウィンドウセットのオフセットが、ＲＭＳＩ検出期間及びＳＳ／ＰＢＣＨ  ｂｕｒｓｔ  ｓｅｔの期間内の第１の検出ウィンドウセットのインデックスに基づいて算出されてもよい。
【０２４８】
例えば、ＳＳ／ＰＢＣＨ  ｂｕｒｓｔ  ｓｅｔに対する別のＲＭＳＩ検出ウィンドウセットのオフセットは、Ｉ＋ｉ×Ｔ＿ＲＭＳＩを算出することにより取得されてもよい。Ｉは、ＳＳ／ＰＢＣＨ  ｂｕｒｓｔ  ｓｅｔの期間内の第１の検出ウィンドウセットの位置を表し、Ｉは、フレーム位置でもよく、半フレーム位置でもよく、あるいはスロット位置でもよく、Ｔ＿ＲＭＳＩは、ＲＭＳＩ検出期間を表し、ｉは、ＳＳ／ＰＢＣＨ  ｂｕｒｓｔ  ｓｅｔの期間内の第１の検出ウィンドウセットのインデックスを表す。
【０２４９】
ＲＭＳＩ検出ウィンドウの特定の位置は、上記の種々のケースにおける検出ウィンドウの位置を決定する方法を参照して決定され得る。
【０２５０】
例えば、ＳＳ／ＰＢＣＨ  ｂｌｏｃｋ及びＲＭＳＩが周波数分割方式で多重化されているとき、ＲＭＳＩ検出ウィンドウが位置するフレームの位置は、ＳＳ／ＰＢＣＨ  ｂｕｒｓｔ  ｓｅｔに基づいて算出されてもよい。
【０２５１】
ＲＭＳＩ検出ウィンドウの特定の位置については、第１のＳＳ／ＰＢＣＨ  ｂｌｏｃｋを参照し、あるいはＳＳ／ＰＢＣＨ  ｂｌｏｃｋ  ｎを参照し、ｎは１より大きい整数である。
【０２５２】
本出願のこの実施形態では、検出ウィンドウのオフセットは定義されなくてもよいが、ＲＭＳＩ検出ウィンドウに対してＮ個の開始位置が定義される。
【０２５３】
この場合、ＲＭＳＩ検出ウィンドウの参照位置は、ＲＭＳＩ検出ウィンドウの開始位置として参照されてもよい。
【０２５４】
ＲＭＳＩ検出ウィンドウの開始位置は、第１の検出ウィンドウの開始位置でもよい。第１のＲＭＳＩ検出ウィンドウの複数の開始位置が存在してもよい。
【０２５５】
第１のＲＭＳＩ検出ウィンドウの２つの開始位置があるとき、２つの開始位置は、それぞれ、ＲＭＳＩ検出期間内の第１のフレームの前半フレーム及び後半フレームでもよく、あるいは、それぞれ、ＲＭＳＩ検出期間内の第１のフレーム及び第２のフレームでもよい。
【０２５６】
代替的に、２つの開始位置は、それぞれ、参照として使用されるＳＳ／ＰＢＣＨ  ｂｕｒｓｔ  ｓｅｔが位置するフレームの第１のＳＳ／ＰＢＣＨ  ｂｌｏｃｋが半フレームだけシフトされ及び１フレームだけシフトされた後に得られる位置でもよい。
【０２５７】
２つの開始位置は、１ビット情報を使用することにより示されてもよい。
【０２５８】
第１のＲＭＳＩ検出ウィンドウの４つの開始位置があるとき、４つの開始位置は、それぞれ、ＲＭＳＩ期間内の第１のフレームの前半フレーム及び後半フレーム、並びにＲＭＳＩ期間内の第２のフレームの前半フレーム及び後半フレームでもよい。
【０２５９】
代替的に、４つの開始位置は、それぞれ、参照として使用されるＳＳ／ＰＢＣＨ  ｂｕｒｓｔ  ｓｅｔが位置するフレームの第１のＳＳ／ＰＢＣＨ  ｂｌｏｃｋが半フレーム、１フレーム、１．５フレーム、及び２フレームだけシフトされた後に得られる位置でもよい。
【０２６０】
４つの開始位置は、２ビットを使用することにより示されてもよい。
【０２６１】
同様に、第１のＲＭＳＩ検出ウィンドウの８つの開始位置があるとき、３ビットが指示に使用されてもよい。
【０２６２】
ＲＭＳＩ検出ウィンドウのためのＮ個の開始位置を定義する方法は、ＦＤＭケースに適用されてもよく、ＴＤＭケースにさらに適用されてもよい。本出願はこのことへの制限を設けない。
【０２６３】
図７は、本出願の別の実施形態によるＲＭＳＩ通信方法の概略フローチャートである。
【０２６４】
Ｓ７１０．ネットワークデバイスが、オフセット情報、端末デバイスに対応するＲＭＳＩ検出ウィンドウの時間インデックス、及び端末デバイスに対応するＲＭＳＩ検出ウィンドウの持続時間に基づいて、端末デバイスに対応するＲＭＳＩ検出ウィンドウの位置を決定し、オフセット情報は、ＲＭＳＩ検出期間内のＲＭＳＩ検出ウィンドウの参照位置とＲＭＳＩ検出期間内の第１のＲＭＳＩ検出ウィンドウとの間のオフセットに基づいて、及びＲＭＳＩ期間内のＲＭＳＩ検出ウィンドウの参照位置に基づいて決定される。
【０２６５】
Ｓ７２０．ネットワークデバイスが、ＲＭＳＩ検出ウィンドウの位置に基づいてＲＭＳＩを送信する。
【０２６６】
図２の通信方法の技術的特徴は図７の通信方法にも適用可能である。簡潔さのため、詳細はここで再度説明されない。
【０２６７】
図８は、本出願の一実施形態による端末デバイスの概略構造図である。図８に示される端末デバイス８００は単なる一例であることを理解されたい。本出願のこの実施形態における端末デバイスは、他のモジュール又はユニットをさらに含んでもよく、あるいは図８のモジュールの機能と同様の機能を有するモジュールを含んでもよく、あるいは図８の全てのモジュールを含む必要はない。
【０２６８】
端末デバイス８００は、プロセッサ８２０及び受信機８３０を含み得る。任意で、端末デバイス８００は、メモリ８１０及び送信機８４０をさらに含んでもよい。メモリ８１０は、プロセッサにより実行されるプログラムコード及び関連データを記憶するように構成される。メモリ８１０は、プロセッサ８２０に統合されてもよい。送信機８４０は、情報を送信するように構成されてもよい。
【０２６９】
プロセッサ８２０は、オフセット情報、端末デバイスに対応するＲＭＳＩ検出ウィンドウの時間インデックス、及び端末デバイスに対応するＲＭＳＩ検出ウィンドウの持続時間に基づいて、端末デバイスに対応するＲＭＳＩ検出ウィンドウの位置を決定するように構成され、オフセット情報は、ＲＭＳＩ検出期間内のＲＭＳＩ検出ウィンドウの参照位置とＲＭＳＩ検出期間内の第１のＲＭＳＩ検出ウィンドウとの間のオフセットに基づいて、及びＲＭＳＩ検出期間内のＲＭＳＩ検出ウィンドウの参照位置に基づいて決定される。
【０２７０】
受信機８３０は、ＲＭＳＩ検出ウィンドウの位置に基づいてＲＭＳＩを受信するように構成される。
【０２７１】
任意で、第１のＲＭＳＩ検出ウィンドウは、時間インデックスが０である同期信号ＳＳ／物理報知チャネルＰＢＣＨ  ｂｌｏｃｋに対応するＲＭＳＩ検出ウィンドウである。
【０２７２】
任意で、ＲＭＳＩ検出期間内の検出ウィンドウの参照位置は、ＲＭＳＩ検出期間内の第１のシステムフレーム及び／又は第１のシステムフレームの時間情報に基づいて決定される。
【０２７３】
任意で、第１のシステムフレームの時間情報は、第１のシステムフレームの第１のサブフレーム又は第１のシステムフレームの第１のスロットである。
【０２７４】
任意で、ＲＭＳＩ検出期間内の検出ウィンドウセットの参照位置は、ＳＳ／ＰＢＣＨ  ｂｕｒｓｔ  ｓｅｔ内で時間インデックスが０であるＳＳ／ＰＢＣＨ  ｂｌｏｃｋの位置に基づいて決定される。
【０２７５】
任意で、ＲＭＳＩ検出ウィンドウの参照位置は、ＲＭＳＩ検出期間内の第１のＳＳ／ＰＢＣＨ  ｂｕｒｓｔ  ｓｅｔ内の第１のＳＳ／ＰＢＣＨ  ｂｌｏｃｋの位置に基づいて決定される。
【０２７６】
任意で、ＳＳ／ＰＢＣＨ  ｂｌｏｃｋは、ＳＳ／ＰＢＣＨ  ｂｕｒｓｔ  ｓｅｔ内の候補ＳＳ／ＰＢＣＨ  ｂｌｏｃｋである。
【０２７７】
任意で、ＲＭＳＩ検出期間内の少なくとも２つの隣接するＲＭＳＩ検出ウィンドウは時間において連続する。
【０２７８】
任意で、ＲＭＳＩ検出期間内の少なくとも２つのＲＭＳＩ検出ウィンドウは同じ持続時間を有する。
【０２７９】
任意で、ＲＭＳＩ検出ウィンドウのオフセットは半フレームで測定される。
【０２８０】
端末デバイス８００は、図２に示す通信方法において端末デバイスにより実行される動作又はステップを実現することができる。詳細はここで再度説明されない。
【０２８１】
図９は、本出願の一実施形態によるネットワークデバイスの概略構造図である。図９に示されるネットワークデバイス９００は単なる一例であることを理解されたい。本出願のこの実施形態におけるネットワークデバイスは、他のモジュール又はユニットをさらに含んでもよく、あるいは図９のモジュールと同様の機能を有するモジュールを含んでもよく、あるいは図９の全てのモジュールを含む必要はない。
【０２８２】
ネットワークデバイス９００は、プロセッサ９２０及び送信機９４０を含み得る。任意で、ネットワークデバイス９００は、メモリ９１０及び受信機９３０をさらに含んでもよい。メモリ９１０は、プロセッサにより実行されるプログラムコード及び関連データを記憶するように構成される。メモリ９１０は、プロセッサ９２０に統合されてもよい。受信機９３０は、情報を受信するように構成されてもよい。
【０２８３】
プロセッサ９２０は、オフセット情報、端末デバイスに対応するＲＭＳＩ検出ウィンドウの時間インデックス、及び端末デバイスに対応するＲＭＳＩ検出ウィンドウの持続時間に基づいて、端末デバイスに対応するＲＭＳＩ検出ウィンドウの位置を決定するように構成され、オフセット情報は、ＲＭＳＩ検出期間内のＲＭＳＩ検出ウィンドウの参照位置とＲＭＳＩ検出期間内の第１のＲＭＳＩ検出ウィンドウとの間のオフセットに基づいて、及びＲＭＳＩ検出期間内のＲＭＳＩ検出ウィンドウの参照位置に基づいて決定される。
【０２８４】
送信機９４０は、ＲＭＳＩ検出ウィンドウの位置に基づいてＲＭＳＩを送信するように構成される。
【０２８５】
任意で、第１のＲＭＳＩ検出ウィンドウは、時間インデックスが０である同期信号ＳＳ／物理報知チャネルＰＢＣＨ  ｂｌｏｃｋに対応するＲＭＳＩ検出ウィンドウである。
【０２８６】
任意で、ＲＭＳＩ検出期間内の検出ウィンドウの参照位置は、ＲＭＳＩ検出期間内の第１のシステムフレーム及び／又は第１のシステムフレームの時間情報に基づいて決定される。
【０２８７】
任意で、第１のシステムフレームの時間情報は、第１のシステムフレームの第１のサブフレーム又は第１のシステムフレームの第１のスロットである。
【０２８８】
任意で、ＲＭＳＩ検出期間内の検出ウィンドウの参照位置は、ＳＳ／ＰＢＣＨ  ｂｕｒｓｔ  ｓｅｔ内で時間インデックスが０であるＳＳ／ＰＢＣＨ  ｂｌｏｃｋの位置に基づいて決定される。
【０２８９】
任意で、ＲＭＳＩ検出ウィンドウの参照位置は、ＲＭＳＩ検出期間内の第１のＳＳ／ＰＢＣＨ  ｂｕｒｓｔ  ｓｅｔ内の第１のＳＳ／ＰＢＣＨ  ｂｌｏｃｋの位置に基づいて決定される。
【０２９０】
任意で、ＳＳ／ＰＢＣＨ  ｂｌｏｃｋは、ＳＳ／ＰＢＣＨ  ｂｕｒｓｔ  ｓｅｔ内の候補ＳＳ／ＰＢＣＨ  ｂｌｏｃｋである。
【０２９１】
任意で、ＲＭＳＩ検出期間内の少なくとも２つの隣接するＲＭＳＩ検出ウィンドウは時間において連続する。
【０２９２】
任意で、ＲＭＳＩ検出期間内の少なくとも２つのＲＭＳＩ検出ウィンドウは同じ持続時間を有する。
【０２９３】
任意で、ＲＭＳＩ検出ウィンドウのオフセットは半フレームで測定される。
【０２９４】
ネットワークデバイス９００は、図７に示す通信方法においてネットワークデバイスにより実行される動作又はステップを実現することができる。詳細はここで再度説明されない。
【０２９５】
当業者は、本明細書に開示された実施形態と組み合わせて説明された例におけるユニット及びアルゴリズムステップが電子ハードウェア又はコンピュータソフトウェアと電子ハードウェアとの組み合わせにより実現され得ることを認識し得る。機能がハードウェアにより実行されるか又はソフトウェアにより実行されるかは、技術的解決策の特定の適用及び設計制約条件に依存する。当業者は、説明された機能を特定の適用ごとに実装するために異なる方法を用い得るが、その実装は本出願の範囲を超えるものであると解釈されるべきではない。
【０２９６】
簡便かつ簡潔な説明を目的として、前述のシステム、装置、及びユニットの詳細な動作処理については、前述の方法の実施形態における対応する処理を参照することが当業者により明確に理解され得る。詳細はここで再度説明されない。
【０２９７】
本出願で提供されるいくつかの実施形態において、開示されたシステム、装置、及び方法は他の方法で実現されてもよいことを理解されたい。例えば、説明された装置の実施形態は単なる一例である。例えば、ユニット分割は単なる論理機能分割であり、実際の実装では他の分割でもよい。例えば、複数のユニット又は構成要素が組み合わせられ、又は別のシステムへ統合されてもよく、あるいはいくつかの特徴が無視され、あるいは実行されなくてもよい。さらに、表示され又は論じられた相互結合又は直接結合又は通信接続は、いくつかのインターフェースを使用することにより実現されてもよい。装置又はユニット間の間接結合又は通信接続は、電子的、機械的、又は他の形式で実現されてもよい。
【０２９８】
別個の部分として記載されたユニットは物理的に別個でもよく又はそうでなくてもよく、ユニットとして表示された部分は物理ユニットでもよく又はそうでなくてもよく、１つの位置に配置されてもよく、あるいは複数のネットワークユニットに分散されてもよい。ユニットの一部又は全部が、実施形態の解決策の目的を達成するために、実際の要件に基づいて選択されてもよい。
【０２９９】
さらに、本出願の実施形態における機能ユニットは１つの処理ユニットに統合されてもよく、あるいはユニットの各々は物理的に単独で存在してもよく、あるいは２つ以上のユニットが１つのユニットに統合されてもよい。
【０３００】
機能がソフトウェア機能ユニットの形式で実現され、独立したプロダクトとして販売又は使用されるとき、機能はコンピュータ読取可能記憶媒体に記憶されてもよい。このような理解に基づき、本質的に本出願の技術的解決策、又は従来技術に寄与する部分、又は技術的解決策のいくつかは、ソフトウェアプロダクトの形式で実現されてもよい。コンピュータソフトウェアプロダクトは記憶媒体に記憶され、コンピュータデバイス（パーソナルコンピュータ、サーバ、又はネットワークデバイスでもよい）に本出願の実施形態に記載される方法のステップの全部又は一部を実行するよう指示するいくつかの命令を含む。前述の記憶媒体は、ＵＳＢフラッシュドライブ、リムーバブルハードディスク、読み取り専用メモリ（read-only  memory、ＲＯＭ）、ランダムアクセスメモリ（random  access  memory、ＲＡＭ）、磁気ディスク、又は光ディスクなどのプログラムコードを記憶できる任意の媒体を含む。
【０３０１】
前述の説明は本出願の具体的な実装に過ぎず、本出願の保護範囲を制限することは意図されない。本出願に開示された技術的範囲内で当業者により容易に理解されるいかなる変形又は置換えも、本出願の保護範囲内に入るものとする。したがって、本出願の保護範囲は、特許請求の範囲の保護範囲に従うものとする。
【手続補正２】
【補正対象書類名】特許請求の範囲
【補正対象項目名】全文
【補正方法】変更
【補正の内容】
【特許請求の範囲】
【請求項１】
通信方法であって、
第１の残存最小システム情報ＲＭＳＩ検出ウィンドウの開始位置、及び同期信号ＳＳ／物理報知チャネルＰＢＣＨブロックの時間インデックスに基づいて、端末デバイスに対応するＲＭＳＩ検出ウィンドウの開始位置を決定するステップであり、前記ＲＭＳＩ検出ウィンドウの前記開始位置の値は、前記ＲＭＳＩ検出ウィンドウの前記開始位置の４つのとり得る値のうちの１つである、ステップと、
前記ＲＭＳＩ検出ウィンドウの前記開始位置に基づいてＲＭＳＩを受信するステップと、
を含む通信方法。
【請求項２】
前記第１のＲＭＳＩ検出ウィンドウの前記開始位置はスロットに基づき、前記スロットのインデックスは０〜６３のうち任意の値である、請求項１に記載の通信方法。
【請求項３】
前記第１のＲＭＳＩ検出ウィンドウの前記開始位置は、ＲＭＳＩ検出期間内の第１のフレームの０ｍｓ位置又は５ｍｓ位置である、請求項１又は２に記載の通信方法。
【請求項４】
１つのスロット内に少なくとも２つのＲＭＳＩ制御情報が存在するとき、
第１のＲＭＳＩ制御情報は前記スロット内の第１のシンボルで送信され、第２のＲＭＳＩ制御情報は前記スロット内の第２のシンボルで送信され、あるいは、
第１のＲＭＳＩ制御情報は前記スロット内の第１のシンボルで送信され、第２のＲＭＳＩ制御情報は前記スロット内の第３のシンボルで送信され、あるいは、
第１のＲＭＳＩ制御情報は前記スロット内の第１のシンボルで送信され、第２のＲＭＳＩ制御情報は前記スロット内の第２のシンボル又は第３のシンボルで送信され、あるいは、
第１のＲＭＳＩ制御情報は前記スロット内の第１のシンボルで送信され、第２のＲＭＳＩ制御情報は前記スロット内の第７のシンボルで送信される、
請求項１乃至３のうちいずれか１項に記載の通信方法。
【請求項５】
前記ＲＭＳＩは２つのフレームにおいて伝送される、請求項１乃至４のうちいずれか１項に記載の通信方法。
【請求項６】
ＲＭＳＩ検出期間は２０ｍｓで固定され、あるいはＳＳ／ＰＢＣＨバーストセットの期間と同じである、請求項１乃至５のうちいずれか１項に記載の通信方法。
【請求項７】
前記第１のＲＭＳＩ検出ウィンドウの前記開始位置はサブキャリア間隔に関連する、請求項１乃至６のうちいずれか１項に記載の通信方法。
【請求項８】
通信方法であって、
第１の残存最小システム情報ＲＭＳＩ検出ウィンドウの開始位置、及び同期信号ＳＳ／物理報知チャネルＰＢＣＨブロックの時間インデックスに基づいて、端末デバイスに対応するＲＭＳＩ検出ウィンドウの開始位置を決定するステップであり、前記ＲＭＳＩ検出ウィンドウの前記開始位置の値は、前記ＲＭＳＩ検出ウィンドウの前記開始位置の４つのとり得る値のうちの１つである、ステップと、
前記ＲＭＳＩ検出ウィンドウの前記開始位置に基づいてＲＭＳＩを送信するステップと、
を含む通信方法。
【請求項９】
前記第１のＲＭＳＩ検出ウィンドウの前記開始位置は、ＲＭＳＩ検出期間内の第１のフレームの０ｍｓ位置又は５ｍｓ位置である、請求項８に記載の通信方法。
【請求項１０】
１つのスロット内に少なくとも２つのＲＭＳＩ制御情報が存在するとき、
第１のＲＭＳＩ制御情報は前記スロット内の第１のシンボルで送信され、第２のＲＭＳＩ制御情報は前記スロット内の第２のシンボルで送信され、あるいは、
第１のＲＭＳＩ制御情報は前記スロット内の第１のシンボルで送信され、第２のＲＭＳＩ制御情報は前記スロット内の第３のシンボルで送信され、あるいは、
第１のＲＭＳＩ制御情報は前記スロット内の第１のシンボルで送信され、第２のＲＭＳＩ制御情報は前記スロット内の第２のシンボル又は第３のシンボルで送信され、あるいは、
第１のＲＭＳＩ制御情報は前記スロット内の第１のシンボルで送信され、第２のＲＭＳＩ制御情報は前記スロット内の第７のシンボルで送信される、
請求項８又は９に記載の通信方法。
【請求項１１】
ＲＭＳＩ検出期間は２０ｍｓで固定され、あるいはＳＳ／ＰＢＣＨバーストセットの期間と同じである、請求項８乃至１０のうちいずれか１項に記載の通信方法。
【請求項１２】
前記ＲＭＳＩは２つのフレームにおいて伝送される、請求項８乃至１１のうちいずれか１項に記載の通信方法。
【請求項１３】
前記第１のＲＭＳＩ検出ウィンドウの前記開始位置はサブキャリア間隔に関連する、請求項８乃至１２のうちいずれか１項に記載の通信方法。
【請求項１４】
命令を記憶するように構成されたコンピュータ読取可能記憶媒体であって、前記命令は、実行されたときにコンピュータに請求項１乃至７のうちいずれか１項、又は請求項８乃至１３のうちいずれか１項に記載の方法を実行させる、コンピュータ読取可能記憶媒体。
【請求項１５】
請求項１乃至７のうちいずれか１項、又は請求項８乃至１３のうちいずれか１項に記載の方法を実行する通信装置。
【国際調査報告】
2021503817.tif 000016
2021503817.tif 000017
2021503817.tif 000018
2021503817.tif 000019